(57)【要約】【課題】遊技者が保留記憶情報を所定上限数まで記憶させないことによる不利益を抑制すること。【解決手段】時短状態に制御されている間に第２特別図柄の保留記憶情報を所定上限数まで記憶させることを促す促進報知として、第１態様（ステップ２８３ＦＳ１１３，１１５）と、第１態様よりも遊技者の認識度合の低い第２態様（ステップ２８３ＦＳ１１７）とのいずれかで促進報知を実行可能であり、第１態様の後に第２態様で促進報知を実行しているときに、記憶されている保留記憶情報の数が所定上限数に達していない場合に、再度、第１態様で促進報知を実行する（ステップ２８３ＦＳ１１４，１１５）。【選択図】図２０−１
2019170583.tif 000002
【特許請求の範囲】
【請求項１】
第１可変表示を行う第１可変表示手段と、第２可変表示を行う第２可変表示手段と、遊技媒体が進入可能な特定領域が内部に設けられ所定状態において遊技媒体が進入可能な状態に制御可能な可変入賞手段とを備え、少なくとも前記第１可変表示手段の表示結果が第１特定表示結果となったときに、遊技者にとって有利な第１有利状態に制御可能であるとともに、前記第２可変表示手段における表示結果が第２特定表示結果となったときに前記所定状態に制御され、前記特定領域に遊技媒体が進入したことに基づいて遊技者にとって有利な第２有利状態に制御可能な遊技機であって、
前記第２可変表示手段による第２可変表示に関する情報を保留記憶情報として所定上限数まで記憶可能な保留記憶手段と、
前記第１有利状態および前記第２有利状態が終了したことに基づいて、所定回数、前記第２可変表示が通常状態よりも実行されやすい時短状態に制御可能な時短制御手段と、
前記時短制御手段によって前記時短状態に制御されている間に前記保留記憶手段へ保留記憶情報を前記所定上限数まで記憶させることを促す促進報知を実行する促進報知手段とを備え、
前記促進報知手段は、
第１態様と、前記第１態様よりも遊技者の認識度合の低い第２態様とのいずれかで前記促進報知を実行可能であり、
前記第１態様の後に前記第２態様で前記促進報知を実行しているときに、前記保留記憶手段へ記憶されている保留記憶情報の数が前記所定上限数に達していない場合に、再度、前記第１態様で前記促進報知を実行する、遊技機。
【発明の詳細な説明】
【技術分野】
【０００１】
この発明は、第１可変表示を行う第１可変表示手段と、第２可変表示を行う第２可変表示手段と、遊技媒体が進入可能な特定領域が内部に設けられ所定状態において遊技媒体が進入可能な状態に制御可能な可変入賞手段とを備え、前記第１可変表示手段と前記第２可変表示手段とのいずれかにおける表示結果が第１特定表示結果となったときに、遊技者にとって有利な第１有利状態に制御可能であるとともに、前記第２可変表示手段における表示結果が第２特定表示結果となったときに前記所定状態に制御され、前記特定領域に遊技媒体が進入したことに基づいて遊技者にとって有利な第２有利状態に制御可能な遊技機に関する。
【背景技術】
【０００２】
従来、大当り遊技状態が終了した後に、特定期間を通常の遊技状態よりも有利な遊技状態に制御するとともに、所定の可変表示の実行回数以内に再度大当りとなった場合には、さらに有利な遊技状態に移行するように制御可能な遊技機があった（たとえば、特許文献１参照）。
【０００３】
この通常の遊技状態よりも有利な遊技状態、たとえば、通常の遊技状態よりも可変表示時間が短縮された時短状態において、始動入賞口に設けられる可変入賞球装置が開放しているときに、第２特別図柄の保留記憶情報を貯めるように促す報知を実行する遊技機があった（たとえば、特許文献２参照）。
【先行技術文献】
【特許文献】
【０００４】
【特許文献１】特開２０１３−９４２４２号公報
【特許文献２】特開２０１１−４１７６０号公報
【発明の概要】
【発明が解決しようとする課題】
【０００５】
しかし、特許文献１および特許文献２の遊技機によれば、保留記憶情報を貯めなかったとしても特に何も実行しないので、保留記憶情報を貯めることによって本来得ることができるはずの恩恵を遊技者が受けることができず、不利益を被る虞があった。
【０００６】
この発明は、かかる実情に鑑み考え出されたものであり、その目的は、遊技者が保留記憶情報を所定上限数まで記憶させないことによって発生する不利益を防止することが可能な遊技機を提供することである。
【課題を解決するための手段】
【０００７】
（１）  第１可変表示（たとえば、第１特別図柄の可変表示）を行う第１可変表示手段（たとえば、第１特別図柄表示器８ａ）と、第２可変表示（たとえば、第２特別図柄の可変表示）を行う第２可変表示手段（たとえば、第２特別図柄表示器８ｂ）と、遊技媒体（たとえば、遊技球）が進入可能な特定領域（たとえば、Ｖ入賞領域８７０）が内部に設けられ所定状態（たとえば、小当り遊技状態）において遊技媒体が進入可能な状態に制御可能な可変入賞手段（たとえば、Ｖ判定入賞装置８７）とを備え、少なくとも前記第１可変表示手段の表示結果が第１特定表示結果（たとえば、大当り表示結果）となったときに、遊技者にとって有利な第１有利状態（たとえば、特別図柄による大当り遊技状態）に制御可能であるとともに、前記第２可変表示手段における表示結果が第２特定表示結果（たとえば、小当り表示結果）となったときに前記所定状態に制御され、前記特定領域に遊技媒
体が進入したことに基づいて遊技者にとって有利な第２有利状態（たとえば、小当り経由の大当り遊技状態）に制御可能な遊技機（たとえば、パチンコ遊技機１）であって、
前記第２可変表示手段による第２可変表示に関する情報を保留記憶情報（たとえば、保留記憶）として所定上限数（たとえば、４つ）まで記憶可能な保留記憶手段（たとえば、遊技制御用マイクロコンピュータ５６０、ＲＡＭ５５、第２保留記憶バッファ）と、
前記第１有利状態および前記第２有利状態が終了したことに基づいて、所定回数（たとえば、時短状態の可変表示の回数）、前記第２可変表示が通常状態よりも実行されやすい時短状態に制御可能な時短制御手段（たとえば、遊技制御用マイクロコンピュータ５６０、図１４のステップＳ１６３〜Ｓ１７０）と、
前記時短制御手段によって前記時短状態に制御されている間に前記保留記憶手段に保留記憶情報を前記所定上限数まで記憶させることを促す促進報知（たとえば、図２０−２，図２０−４，図２０−６で示す第２始動入賞口１５への入賞を促す促進画像２８３Ｆ９６Ａ，２８３Ｆ９６Ｂ，２８３Ｆ９７Ａ，２８３Ｆ９７Ｂ）を実行する促進報知手段（たとえば、演出制御用マイクロコンピュータ１００）とを備え、
前記促進報知手段は、
第１態様（たとえば、図２０−１のステップ２８３ＦＳ１１３，ステップ２８３ＦＳ１１５、図２０−２の促進画像２８３Ｆ９６Ａ，２８３Ｆ９６Ｂで示すような、画面全体に「狙え」画像を表示する態様）と、前記第１態様よりも遊技者の認識度合の低い第２態様（たとえば、図２０−１のステップ２８３ＦＳ１１７、図２０−２の促進画像２８３Ｆ９７Ａ，２８３Ｆ９７Ｂで示すような、画面端に「狙え」画像を表示する態様）とのいずれかで前記促進報知を実行可能であり、
前記第１態様の後に前記第２態様で前記促進報知を実行しているときに、前記保留記憶手段に記憶されている保留記憶情報の数が前記所定上限数に達していない場合に、再度、前記第１態様で前記促進報知を実行する（たとえば、図２０−１のステップ２８３ＦＳ１１４，ステップ２８３ＦＳ１１５、図２０−２（Ｄ）で示すように、画面全体に表示する促進画像２８３Ｆ９７Ｂを、再度、表示する）。
【０００８】
このような構成によれば、遊技者が保留記憶情報を所定上限数まで記憶させないことによる不利益を抑制することができる。
【０００９】
（２）  上記（１）の遊技機において、
前記促進報知手段は、再度、前記第１態様で前記促進報知を実行する場合には、遊技者の認識度合を高めることが可能な少なくとも１つの演出要素を追加して実行する（たとえば、図２０−２（Ｂ）で示すように、タイムバー表示を実行していた場合は、図２０−２（Ｄ）で示すように、タイムバー表示に加えて、カウントダウン表示を追加して実行する）。
【００１０】
このような構成によれば、遊技者に対して保留記憶情報を所定上限数まで記憶させることを、より強く促すことができる。
【００１１】
（３）  上記（１）または（２）の遊技機において、
可変表示中演出（たとえば、演出図柄の可変表示）を実行可能な可変表示演出実行手段（たとえば、演出制御用マイクロコンピュータ１００）をさらに備え、
前記促進報知手段は、再度、前記第１態様で前記促進報知を実行するときには、前記可変表示演出実行手段による前記可変表示中演出よりも優先して、前記第１態様の前記促進報知を実行する（たとえば、図２０−２（Ｄ）で示すように、演出図柄９１，９２，９３の可変表示を表示せず、促進画像２８３Ｆ９６Ｂを表示するようにしてもよいし、演出図柄９１，９２，９３の可変表示よりも促進画像２８３Ｆ９６Ｂを手前に表示するようにしてもよい）。
【００１２】
このような構成によれば、遊技者に対して保留記憶情報を所定上限数まで記憶させることを、より強く促すことができる。
【００１３】
（４）  上記（３）の遊技機において、
前記促進報知手段は、前記可変表示演出実行手段によって可変表示の表示結果が表示されるときには、表示結果の表示を優先するように、前記促進報知を実行する（たとえば、図２０−２（Ｅ）等で示したように、第２態様で促進画像２８３Ｆ９７Ｂを表示する。図２０−２（Ｅ）等で示したように、促進画像２８３Ｆ９７Ｂよりも手前に演出図柄９１，９２，９３を表示する。）。
【００１４】
このような構成によれば、遊技者に対して可変表示の表示結果を分かり易く認識させることができる。
【００１５】
（５）  上記（１）から（４）のいずれかの遊技機において、
前記促進報知手段によって促進報知が実行された後、前記保留記憶手段に保留記憶情報が前記所定上限数まで記憶されたときに、達成報知演出（たとえば、「保留記憶上限達成」と表示する演出）を実行する達成報知演出実行手段（たとえば、演出制御用マイクロコンピュータ１００、図２０−１のステップ２８３ＦＳ２８３ＦＳ１２３）をさらに備え、
前記達成報知演出実行手段は、前記促進報知手段によって、再度、前記第１態様で前記促進報知が実行されているときに、前記保留記憶手段に保留記憶情報が前記所定上限数まで記憶された場合は、前記達成報知演出の実行を制限する（たとえば、図２０−１のステップ２８３ＦＳ１２２で示すように、第２期間以降であれば、保留上限達成報知をまったく実行しないようにしてもよいし、画面端で実行するようにしてもよいし、音声のみで実行するようにしてもよい）。
【００１６】
このような構成によれば、他の演出の状況に対応して達成報知演出を実行することができる。
【図面の簡単な説明】
【００１７】
【図１】パチンコ遊技機を正面からみた正面図である。
【図２】当り種別表を示す図である。
【図３】主基板（遊技制御基板）における回路構成の一例を示すブロック図である。
【図４】各乱数を示す説明図である。
【図５】当り判定テーブルおよび大当り種別判定テーブルを示す説明図である。
【図６】第１時短状態における第１，第２特別図柄の変動例を示す説明図である。
【図７】演出制御コマンドの内容の一例を示す説明図である。
【図８】演出制御コマンドの内容の一例を示す説明図である。
【図９】タイマ割込処理を示すフローチャートである。
【図１０】特別図柄プロセス処理を示すフローチャートである。
【図１１】始動口スイッチ通過処理を示すフローチャートである。
【図１２】特別図柄通常処理を示すフローチャートである。
【図１３】特別図柄停止処理を示すフローチャートである。
【図１４】大当り終了処理を示すフローチャートである。
【図１５】小当り開放前処理を示すフローチャートである。
【図１６】小当り開放中処理を示すフローチャートである。
【図１７】小当り終了処理を示すフローチャートである。
【図１８】演出制御メイン処理を示すフローチャートである。
【図１９】演出制御プロセス処理を示すフローチャートである。
【図２０−１】時短中演出関連処理の流れを示すフローチャートである。
【図２０−２】時短状態中の画面の遷移の一例を示す第１の表示画面図である。
【図２０−３】時短状態中の制御の遷移の一例を示す第１のタイミングチャートである。
【図２０−４】時短状態中の画面の遷移の一例を示す第２の表示画面図である。
【図２０−５】時短状態中の制御の遷移の一例を示す第２のタイミングチャートである。
【図２０−６】時短状態中の画面の遷移を示す第３の表示画面図である。
【図２０−７】時短状態中の制御の遷移の一例を示す第３のタイミングチャートである。
【発明を実施するための形態】
【００１８】
以下、本発明の実施の形態を、図面を参照して説明する。なお、遊技機の一例としてパチンコ遊技機を示すが、本発明はパチンコ遊技機に限られず、コイン遊技機等のその他の遊技機であってもよい。
【００１９】
図１はパチンコ遊技機１を正面からみた正面図である。パチンコ遊技機１は、縦長の方形状に形成された外枠（図示せず）と、外枠の内側に開閉可能に取付けられた遊技枠（図示せず）と、遊技枠に開閉可能に設けられている額縁状に形成されたガラス扉枠２とを有する。
【００２０】
ガラス扉枠の下部表面には打球供給皿（上皿）３がある。打球供給皿３の下部には、打球供給皿３に収容しきれない遊技媒体としての遊技球を貯留する余剰球受皿４、および遊技媒体としての遊技球を打球として打球発射装置から発射するときに操作する打球操作ハンドル（操作ノブ）５が設けられている。ガラス扉枠２の奥手には、打込まれた遊技球が流下可能な遊技領域７が形成された遊技盤６が着脱可能に取付けられている。遊技領域７には、多数の遊技釘が植設されている。遊技領域７には、遊技釘のうち一部の遊技釘が示されている。打球発射装置は、発射モータにより駆動されるものであり、打球操作ハンドル５の回動操作位置に応じて、遊技球を打出す力（発射強度）が調整される。これにより、遊技者は、遊技領域７において希望する場所を狙って遊技球を発射することが可能である。
【００２１】
遊技領域７の中央付近には、各々を識別可能な複数種類の識別情報としての演出図柄を変動表示（可変表示ともいう）可能な演出表示装置９が設けられている。遊技領域７においては、遊技球が流下する流下経路のうちの第１経路が、正面から見て演出表示装置９よりも左側の領域に主に設けられ、遊技球が流下する流下経路のうち第１経路とは異なる第２経路が、正面から見て演出表示装置９よりも右側の領域に主に設けられている。
【００２２】
第１経路に遊技球を流下させるために演出表示装置９の左側領域（左側遊技領域）に遊技球を打込むことが左打ちと呼ばれる。第２経路に遊技球を流下させるために演出表示装置９の右側領域（右側遊技領域）に遊技球を打込むことが右打ちと呼ばれる。第１経路は、遊技領域７の左側に遊技球を打ち込むことにより遊技球が流下可能となる経路であるので、左打ち経路と呼ばれてもよい。また、第２経路は、遊技領域７の右側に遊技球を打ち込むことにより遊技球が流下可能となる経路であるので、右打ち経路と呼ばれてもよい。
【００２３】
なお、第１経路と第２経路とは、別の経路により構成されてもよく、一部が共有化された経路であってもよい。左遊技領域と右遊技領域とは、たとえば、遊技領域７内における演出表示装置９の端面や遊技釘の配列等により区分けされていればよい。
【００２４】
打球操作ハンドル５の操作に応じて打球発射装置から発射されて遊技領域７に打込まれた遊技球は、左遊技領域へと誘導された場合に、たとえば遊技釘の配列に沿って誘導されることにより、右遊技領域へは誘導不可能または誘導困難となる。また、遊技球は、右遊
技領域へと誘導された場合に、たとえば遊技釘の配列に沿って誘導されることにより、左遊技領域へは誘導不可能または誘導困難となる。
【００２５】
遊技領域７のうちの左遊技領域に打分けられた遊技球が進入可能な構造物として、第１始動入賞口１３が設けられている。第１始動入賞口１３は、演出表示装置９の下方に配置されている。第１始動入賞口１３には、進入した遊技球を検出するためのスイッチとして、内部に第１始動入賞口スイッチ１３ａが設けられている。
【００２６】
遊技領域７のうちの右遊技領域に打分けられた遊技球が進入可能な構造物として、ゲート３２、可変入賞球装置１５、および、Ｖ判定入賞装置８７が設けられている。可変入賞球装置１５は、遊技球が入賞可能な第２始動入賞口１４を有する。また、それぞれに進入した遊技球を検出するためのスイッチとして、ゲート３２の内部にはゲートスイッチ３２ａが、第２始動入賞口１４の内部には第２始動入賞口スイッチ１４ａが、Ｖ判定入賞装置８７の内部にはＶ入賞スイッチ８７ａ、Ｖ判定入賞スイッチ１５ａおよびＶ判定排出スイッチ１５ｂが、それぞれ設けられている。以下では、第１始動入賞口１３に遊技球が入賞（進入）することを第１始動入賞、第２始動入賞口１４に遊技球が入賞（進入）することを第２始動入賞とも称する。
【００２７】
第１始動入賞口１３は、変動表示手段（可変表示手段）としての第１特別図柄の変動表示（可変表示）を開始するための始動入賞装置として、遊技球（始動入賞球）が進入（入賞）可能な入賞口構造物である。第２始動入賞口１４は、変動表示手段（可変表示手段）としての第２特別図柄の変動表示（可変表示）を開始するための始動入賞装置として、遊技球（始動入賞球）が進入（入賞）可能な入賞口構造物である。
【００２８】
ゲート３２は、遊技球が進入（通過）可能なゲート構造物である。遊技球がゲート３２を通過すると、普通図柄が変動表示する。普通図柄については後述する。左遊技領域では、入賞口構造物のうち第１始動入賞口１３に遊技球が誘導されてくるように遊技釘が植設されている。このため、第１始動入賞口１３に遊技球を進入させることを狙うときに、遊技者は、遊技球を左打ちすればよい。また、右遊技領域では、入賞口構造物のうち第２始動入賞口１４、およびゲート３２に遊技球が誘導されてくるように遊技釘が植設されている。このため、第２始動入賞口１４、およびゲート３２に遊技球を進入させることを狙うときに、遊技者は、遊技球を右打ちすればよい。
【００２９】
なお、右遊技領域に打分けられた遊技球が第１始動入賞口１３に進入する可能性があるようにしてもよいが、遊技性の観点から、その可能性は左遊技領域に打分けられた遊技球がそれらに進入する可能性に比べて極端に低くすることが望ましい。逆に、左遊技領域に打分けられた遊技球がゲート３２、および、第２始動入賞口１４に進入する可能性があるようにしてもよいが、遊技性の観点から、その可能性は右遊技領域に打分けられた遊技球がそれらに進入する可能性に比べて極端に低くすることが望ましい。
【００３０】
Ｖ判定入賞装置８７は、小当りが発生したときに大当りを発生させるための条件となる遊技球のＶ入賞を判定するための装置である。
【００３１】
Ｖ判定入賞装置８７は、透明の部材で形成され、内部を遊技球が通過する様子が視認可能である。Ｖ判定入賞装置８７は、上部に、前後方向に遊技球が通過可能な幅が設けられ、右から左に向かって傾斜し左右方向に延在した通路の両側（手前側と奥側）に壁部が設けられ、その通路に沿って遊技球が誘導される誘導路が形成されている。導路の中央部には、小当りとなったときに所定期間（たとえば、０．１秒間×１０回の開放期間＋１秒間の閉鎖期間（インターバル期間）×９回＋終了期間１秒間）に亘り開放と閉鎖とが繰返されることにより、開放されている所定期間内に合計約１０個数以上の遊技球が入賞可能な
開口部としての作動口が形成されている。Ｖ判定入賞装置８７における遊技球の通路には、誘導される遊技球を減速させるための減速手段としての突起が壁部の両側に交互に複数突出する態様で設けられることにより、右打ち時において、Ｖ判定入賞装置８７上部の作動口上の通路に遊技球がゆっくりと流れるような構造（以下減速構造という）が形成されている。
【００３２】
小当り遊技状態においては、Ｖ判定入賞装置８７内への１０個の遊技球の進入が検出されるまで、または、所定期間が経過するまでの比較的長期間に亘り、Ｖ判定入賞装置８７の開放制御が実行される。Ｖ判定入賞装置８７において、誘導路における作動口が形成されていない部分は、固定部８７３とよばれる固定された通路をなす。作動口を開閉可能な位置には、作動口上を前後方向に進退移動可能な可動部８７２が設けられている。
【００３３】
可動部８７２は、ソレノイド２２により駆動され、作動口を開閉するための進退動作が可能である。可動部８７２の状態により作動口が閉鎖された状態においては、遊技球が可動部８７２および固定部８７３の上面を誘導路として通過可能となり、当該誘導路上を右端から左端に誘導されて左端から落下する。可動部８７２の動作状態により作動口が開放された状態においては、誘導路において作動口が開口するので、誘導路に誘導される遊技球が作動口からＶ判定入賞装置８７の内部に落下可能となる。
【００３４】
Ｖ判定入賞装置８７（作動口）の内部においては、作動口から進入した遊技球が入賞可能な入賞領域として、特定領域としてのＶ入賞領域８７０がＶ判定入賞装置８７の底部における左右方向の中央部に設けられ、さらに、作動口から進入した遊技球のすべてを傾斜した経路によりＶ入賞領域８７０上に誘導する傾斜路８７１が設けられている。Ｖ入賞領域８７０は、遊技球が進入可能なＶ入賞口を有し、Ｖ入賞口から進入した遊技球を下方へ誘導可能である。
【００３５】
Ｖ入賞領域８７０の入賞口（Ｖ入賞口）最上端には、Ｖ入賞領域８７０を開放状態と閉鎖状態とのいずれかの状態に切替え可能な板状態の開閉部材（図示省略）が設けられている。開閉部材は、ソレノイド２４により駆動され、Ｖ入賞口を開閉するための進退動作が可能である。開閉部材の状態によりＶ入賞口が開放された状態においては、Ｖ入賞領域８７０上に誘導された遊技球がＶ入賞領域８７０内に落下可能な状態となる。一方、開閉部材の状態によりＶ入賞口が閉鎖された状態においては、Ｖ入賞領域８７０上に誘導された遊技球が開閉部材上を通過して、Ｖ入賞領域８７０の下流側近傍に開口する態様で設けられ、遊技を下方へ誘導可能な入賞球領域（図示省略）内に落下可能な状態となる。
【００３６】
具体的に、Ｖ判定入賞装置８７のＶ入賞領域８７０は、基本的に開放状態とされており、Ｖ判定入賞装置８７の作動口が開放される小当り遊技状態において、１個の遊技球がＶ入賞領域８７０内に進入して入賞すると、その遊技球がＶ入賞領域８７０に設けられたＶ入賞スイッチ１５ａにより検出される。小当り遊技状態において、１個の遊技球がＶ入賞スイッチ１５ａにより検出されると、開閉部材が閉鎖状態に制御され、以降にＶ入賞領域８７０上に誘導された遊技球は、入賞球領域内に進入することとなる。入賞球領域内に進入した遊技球は、入賞球領域に設けられたＶ判定入賞スイッチ１５ｂにより検出される。これにより、Ｖ判定入賞装置８７内に進入した遊技球は、１個の遊技球がＶ入賞スイッチ１５ａにより検出され、その後の遊技球がＶ判定入賞スイッチ１５ｂにより検出される。
【００３７】
小当り遊技状態において開放されたＶ判定入賞装置８７は、Ｖ入賞スイッチ１５ａおよびＶ判定入賞スイッチ１５ｂにより検出された球の合計個数が１０個に達すると、作動口が閉鎖され、遊技球が進入不可能な状態とされる。Ｖ入賞領域８７０と入賞球領域とは、下方において合流する構成とされており、その合流された排出通路を通り、Ｖ判定入賞装置８７内に進入した遊技球は、遊技盤６内部の所定の排出路に排出される。排出通路には
、排出される遊技球を検出可能なＶ判定排出スイッチが設けられ、当該スイッチにより排出されるすべての遊技球が検出される。
【００３８】
小当りが発生してＶ判定入賞装置８７の作動口が開放されたときにおいて、Ｖ入賞領域８７０に遊技球が入賞して所定の有効期間中にＶ入賞スイッチ８７ａで遊技球が検出されると、大当りの発生条件が成立し、大当り遊技状態に制御される。このようなＶ入賞領域８７０への遊技球の入賞がＶ入賞と呼ばれる。パチンコ遊技機１では、前述のように小当りが発生してＶ判定入賞装置８７の作動口が開放される期間中においては、特殊な操作を要することなく平均的に合計１０個程度の遊技球がＶ判定入賞装置８７内に進入可能なように構造設計および制御設計がされており、さらに、Ｖ判定入賞装置８７内に遊技球が進入可すると、遊技球が必ず（１００％）Ｖ入賞領域８７０に進入するように構造設計がされている。また、パチンコ遊技機１では、小当りが発生したときに、遊技者が容易に遊技球をＶ判定入賞装置８７に打込むことができるように、右打ちを指示する右打ち促進報知が実行される。
【００３９】
したがって、小当りが発生したときには、Ｖ判定入賞装置８７の作動口の開放期間中に、遊技者が遊技球を発射しない場合、および、遊技者が左打ちをする場合を除き、右打ちをすれば、必ず（１００％）遊技球がＶ入賞領域８７０に進入して大当りが発生することとなる。
【００４０】
なお、この実施の形態では、Ｖ判定入賞装置８７に遊技球の減速構造を設けた例を示した。しかし、このような減速構造を設けず、Ｖ判定入賞装置８７における遊技球の誘導路のうちの一部に遊技球を落下させることが可能となる作動口を設け、小当り遊技状態の期間中に１０個程度の遊技球をＶ入賞領域８７０に進入させるために、作動口を１０回開放させる構成を用いてもよい。
【００４１】
Ｖ判定入賞装置８７の前面側の一部には、「Ｖ」という文字形状で構成されたＬＥＤよるなる発光体であるＶランプ８７５が設けられている。Ｖランプ８７５は、小当り遊技状態においてＶ入賞が発生したときに基本的に白色で発光される。Ｖランプ８７５は、たとえば、基本的に白色で発光可能であるが、保留連を報知するときのように、遊技状況に応じた演出により、青色、赤色、および、虹色に発光色が変化可能である。なお、Ｖランプ８７５は、遊技者により視認可能な位置であれば、Ｖ判定入賞装置８７において、前面部に設けられてもよく、内部に設けられてもよい。また、Ｖランプ８７５は、Ｖ判定入賞装置８７とは異なる位置（たとえば、Ｖ判定入賞装置８７の近傍位置等）に設けられてもよい。
【００４２】
可変入賞球装置１５は、遊技球が進入可能な遊技者にとって有利な状態（開状態）と、遊技球が進入不可能な遊技者にとって不利な状態（閉状態）とに変化する可変入賞球装置としての役物であり、入口部分にチューリップ状の開成翼片（左右一対形状）を備え、開成翼片の上方に、開成翼片が閉鎖状態での遊技球の進入を制限するストッパ部材が設けられている。この開成翼片は、ソレノイド１６により駆動される。可変入賞球装置１５は、普通図柄の表示結果が当りになると一定期間（たとえば、１秒間）開成することによって、遊技者にとって不利な状態から有利な状態に変化する。なお、可変入賞球装置１５が閉状態になっている状態において、入賞はしづらいものの、入賞することは可能である（すなわち、遊技球が入賞しにくい）ように構成されていてもよい。以下、第１始動入賞口１３と第２始動入賞口１４とを総称して始動入賞口または始動口ということがある。
【００４３】
右遊技領域では、可変入賞球装置１５およびＶ判定入賞装置８７に遊技球が誘導されてくるように遊技釘が植設されている。このため、これら可変入賞球装置１５およびＶ判定入賞装置８７に遊技球を進入させることを狙うときに、遊技者は、遊技球を右打ちすれば
よい。
【００４４】
なお、左遊技領域に打分けられた遊技球が可変入賞球装置１５、および、Ｖ判定入賞装置８７のいずれかに進入する可能性があるようにしてもよいが、遊技性の観点から、その可能性は右遊技領域に打分けられた遊技球がそれらに進入する可能性に比べて極端に低くすることが望ましい。
【００４５】
遊技領域７の中央付近には、特別図柄の変動表示に対応した演出等の各種の演出表示をすることが可能な演出表示装置９が設けられている。遊技領域７における演出表示装置９の右側方には、各々を識別可能な複数種類の識別情報としての特別図柄を変動表示する変動表示手段として、第１特別図柄を変動表示する第１特別図柄表示器８ａと、各々を識別可能な複数種類の識別情報としての第２特別図柄を変動表示する第２特別図柄表示器８ｂとが設けられている。
【００４６】
第１特別図柄表示器８ａおよび第２特別図柄表示器８ｂのそれぞれは、数字および文字を変動表示可能な簡易で小型の表示器（たとえば７セグメントＬＥＤ）で構成されている。演出表示装置９は、液晶表示装置（ＬＣＤ）で構成されている。演出表示装置９の表示画面において、第１特別図柄または第２特別図柄の変動表示に同期して、各々を識別可能な複数種類の識別情報としての演出図柄の変動表示等の各種画像を表示する表示領域が設けられている。このような表示領域には、たとえば「左」、「中」、「右」の３つの装飾用（演出用）の演出図柄（飾り図柄とも呼ばれる）を変動表示する図柄表示領域（図柄表示エリア）が形成される。
【００４７】
第１特別図柄表示器８ａおよび第２特別図柄表示器８ｂのそれぞれは、主基板（遊技制御基板）に搭載されている遊技制御用マイクロコンピュータによって制御される。演出表示装置９は、演出制御基板に搭載されている演出制御用マイクロコンピュータによって制御される。第１特別図柄表示器８ａで第１特別図柄の変動表示が実行されているときに、その変動表示に伴なって演出表示装置９で演出表示を実行し、第２特別図柄表示器８ｂで第２特別図柄の変動表示が実行されているときに、その変動表示に伴なって演出表示装置９で演出表示を実行すれば、遊技の進行状況を把握しやすくすることができる。
【００４８】
以下、第１特別図柄と第２特別図柄とを特別図柄と総称することがあり、第１特別図柄表示器８ａと第２特別図柄表示器８ｂとを特別図柄表示器（変動表示部）と総称することがある。
【００４９】
なお、この実施の形態では、２つの特別図柄表示器８ａ，８ｂを備える場合を示しているが、遊技機は、特別図柄表示器を１つのみ備えるものであってもよい。特別図柄表示器を１つのみ備える場合には、始動入賞口を１つのみ設ければよい。また、特別図柄表示器を１つのみ備える場合であっても、始動入賞口を２つ（複数）設け、いずれの始動入賞口に遊技球が入賞したときにも、１つの特別図柄表示器を変動表示させる制御をしてもよい。また、特別図柄表示器を２つ（複数）備える場合に、始動入賞口を１つ設け、所定の順番で２つの特別図柄表示器を変動表示させる（たとえば１回の始動入賞ごとに変動表示させる特別図柄表示器を切替える等）制御をしてもよい。
【００５０】
遊技領域７の下方には、大当り可変入賞球装置２０が設けられている。大当り可変入賞球装置２０は、右打ちされた遊技球が、右遊技領域に植設された遊技釘によって誘導される。また、大当り可変入賞球装置２０は、遊技釘の植設状態により、左遊技領域からは遊技球が進入しないように構成されている。
【００５１】
大当り可変入賞球装置２０は、前面が長方形の扉で覆われた大入賞口を備えており、大
当りが発生すると、ソレノイド２１によって、底辺を軸として扉が前方に傾動し、大入賞口が現れる（開口する）。大当り可変入賞球装置２０の内部には、進入した遊技球を検出するためのカウントスイッチ２３が設けられている。大当り可変入賞球装置２０へは、右遊技領域に遊技球を打込んだ場合にのみ、大入賞口への遊技球の入賞が可能となるように、遊技釘やその他の構造物によって入賞ルートが制限されている。なお、左遊技領域および右遊技領域のいずれに遊技球を打込んだ場合であっても、大入賞口へ入賞できるようにしてもよい。
【００５２】
第１始動入賞口１３、第２始動入賞口１４、大当り可変入賞球装置２０、および、Ｖ判定入賞装置８７のいずれかに遊技球が入賞すると、それぞれに応じて予め定められた数の賞球が払出される。なお、ゲート３２を遊技球が通過した場合にも賞球を払出すようにしてもよい。また、第１始動入賞口１３、および、第２始動入賞口１４のうちの少なくともいずれかについては、遊技球が入賞しても賞球が払出されないようにしてもよい。
【００５３】
遊技盤６の下部には、入賞しなかった打球が取込まれるアウト口２６がある。また、遊技領域７の外側の左右上部および左右下部には、所定の音声出力として効果音や音声を発声する４つのスピーカ２７が設けられている。遊技領域７の外周には、前面枠に設けられた枠ＬＥＤ２８が設けられている。
【００５４】
大当りは、第１特別図柄表示器８ａに大当り図柄（大当り表示結果）が導出表示されたとき、および、第２特別図柄表示器８ｂに大当り図柄（大当り表示結果）が導出表示されたときのそれぞれで発生する。第１始動入賞口１３に遊技球が入賞したことに基づく抽選により大当りとする決定がされたときに、第１特別図柄表示器８ａに大当り図柄が導出表示される。第２始動入賞口１４に遊技球が入賞したことに基づく抽選により大当りとする決定がされたときに、第２特別図柄表示器８ｂに大当り図柄が導出表示される。
【００５５】
大当りは、小当り遊技状態となることによってＶ判定入賞装置８７の作動口が開放しているときに進入した遊技球が、Ｖ入賞領域８７０に進入した場合にも発生する。以下、遊技球がＶ入賞領域８７０に進入してＶ入賞スイッチ８７ａで検出されることをＶ入賞と呼ぶ。小当りとは、所定の価値付与として、Ｖ判定入賞装置８７の作動口が開放する当りであり、Ｖ入賞を条件として大当りが発生可能となる。Ｖ判定入賞装置８７において、作動口が開放する遊技状態を「小当り遊技状態」と呼ぶ。そして、小当り遊技状態において、遊技球がＶ入賞したことに基づいて発生する大当りを、「小当り経由の大当り」と呼ぶ。これに対し、第１特別図柄表示器８ａまたは第２特別図柄表示器８ｂによる特別図柄の変動表示の表示結果に基づいて大当り遊技状態となることを、「特別図柄による大当り」と称する。
【００５６】
大当り遊技状態は、所定の価値付与として、遊技者にとって有利な特定遊技状態（有利状態）であり、大当り可変入賞球装置２０が開放状態と閉鎖状態とを所定回数繰返す繰返し継続制御が行なわれる。繰返し継続制御において、大当り可変入賞球装置２０が開放（大入賞口が開放）されている状態が、ラウンドと呼ばれる。繰返し継続制御は、ラウンド制御とも呼ばれる。
【００５７】
大当り遊技状態では、大当り可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、大当り可変入賞球装置２０の開放が再度行なわれる。継続権の発生は、大当り遊技状態における開放回数が予め定められた上限値となる１５ラウンド（最終ラウンド）に達するまで繰返される。
【００５８】
第１特別図柄または第２特別図柄の変動表示は、変動表示の実行条件である第１始動条件（第１実行条件）または第２始動条件（第２実行条件）が成立（たとえば、遊技球が始動入賞領域としての第１始動入賞口１３または第２始動入賞口１４を通過（入賞を含む）したこと）した後、変動表示の開始条件（たとえば、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、遊技球が通過するとは、入賞口やゲート等の予め入賞領域として定められている領域を遊技球が通過したことであり、入賞口に遊技球が入った（入賞した）ことを含む概念である。また、表示結果を導出表示するとは、図柄（識別情報の例）を最終的に停止表示（確定表示）させることである。
【００５９】
また、第１始動入賞口１３および第２始動入賞口１４のような始動領域に遊技球が進入したにもかかわらず未だ開始条件が成立していない変動表示について、所定の上限数の範囲内で未だ開始条件が成立していない変動表示に関する情報を記憶することが保留記憶と呼ばれる。また、このような保留記憶という用語は、保留記憶された情報を示す（特定する）場合にも用いられる。保留記憶は、始動記憶または始動入賞記憶とも呼ばれる。
【００６０】
第１特別図柄については、第１始動入賞口１３への遊技球の進入に基づく保留記憶としての第１保留記憶に基づいて変動表示が実行される。第２特別図柄については、第２始動入賞口１４への遊技球の進入に基づく保留記憶としての第２保留記憶に基づいて変動表示が実行される。このような第１保留記憶または第２保留記憶が存在している状態で大当りが発生した場合、大当り発生前に存在していた保留記憶は、そのまま維持され、大当たり遊技状態の終了後において変動表示のために用いられる。
【００６１】
第２始動入賞口１４への第２始動入賞が発生したときには、第１始動入賞の保留記憶があっても、当該第２始動入賞に基づく第２特別図柄の変動表示の方が優先して実行される。このように第２特別図柄の変動表示は、第１特別図柄の変動表示よりも優先して実行される。
【００６２】
第１特別図柄表示器８ｂおよび第２特別図柄表示器８ｂの上方には、第２始動入賞口１４に入った有効入賞球数すなわち第２保留記憶数を表示する１つの表示器からなる第２特別図柄保留記憶表示器１８ｂが設けられている。第２特別図柄保留記憶表示器１８ｂは、有効始動入賞がある毎に、第２特別図柄保留記憶表示器１８ｂを点灯し、第２特別図柄表示器８ｂでの変動表示が開始される毎に、第２特別図柄保留記憶表示器１８ｂを消灯する。
【００６３】
第２特別図柄保留記憶表示器１８ｂのさらに上方には、第１始動入賞口１３に入った有効入賞球数すなわち第１保留記憶数を表示する４つの表示器からなる第１特別図柄保留記憶表示器１８ａが設けられている。第１特別図柄保留記憶表示器１８ａは、有効始動入賞がある毎に点灯する表示器の数を１増やす。そして、第１特別図柄表示器８ａでの変動表示が開始される毎に、点灯する表示器の数を１減らす。
【００６４】
演出表示装置９の左方には、各々を識別可能な普通図柄を変動表示する普通図柄表示器１０が設けられている。この実施の形態では、普通図柄表示器１０は、０〜９の数字を変動表示可能な簡易で小型の表示器（たとえば７セグメントＬＥＤ）で実現されている。すなわち、普通図柄表示器１０は、０〜９の数字（または、記号）を変動表示するように構成されている。また、小型の表示器は、たとえば方形状に形成されている。
【００６５】
遊技球がゲート３２を通過すると、普通図柄表示器１０の表示の変動表示が開始される
。普通図柄表示器１０における停止図柄が所定の図柄（当り図柄。たとえば、図柄「７」。）である場合に当りとなり、可変入賞球装置１５が遊技者にとって不利な閉状態から所定時間に限って遊技者にとって有利な開状態に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、普通図柄保留記憶表示器４１は点灯するＬＥＤを１増やす。そして、普通図柄表示器１０の変動表示が開始される毎に、点灯するＬＥＤを１減らす。
【００６６】
パチンコ遊技機１には、遊技者が把持して複数方向（前後左右）に傾倒する操作が可能なスティックコントローラ１２２が取付けられている。スティックコントローラ１２２には、遊技者がスティックコントローラ１２２の操作桿を操作手（たとえば左手等）で把持した状態において、所定の操作指（たとえば人差し指等）で押引操作すること等により所定の指示操作が可能なトリガボタン１２５（図３参照）が設けられ、スティックコントローラ１２２の操作桿の内部には、トリガボタン１２５に対する押引操作等による所定の指示操作を検知するトリガセンサ１２１（図３参照）が内蔵されている。また、スティックコントローラ１２２の下部における下皿の本体内部等には、操作桿に対する傾倒操作を検知する傾倒方向センサユニット１２３（図３参照）が設けられている。また、スティックコントローラ１２２には、スティックコントローラ１２２を振動動作させるためのバイブレータ用モータ１２６（図３参照）が内蔵されている。
【００６７】
打球供給皿（上皿）３を形成する部材には、たとえば上皿本体の上面における手前側の所定位置（たとえばスティックコントローラ１２２の上方）等に、遊技者が押下操作等により所定の指示操作を可能なプッシュボタン１２０が設けられている。プッシュボタン１２０は、遊技者からの押下操作等による所定の指示操作を、機械的、電気的、あるいは、電磁的に、検出できるように構成されていればよい。プッシュボタン１２０の設置位置における上皿の本体内部等には、プッシュボタン１２０に対してなされた遊技者の操作行為を検知するプッシュセンサ１２４（図３参照）が設けられている。
【００６８】
パチンコ遊技機１においては、遊技状況に応じて、遊技者が左遊技領域を狙う「左打ち」と右遊技領域を狙う「右打ち」とを使い分けるように遊技球を発射することにより、変化に富んだ遊技を楽しむことができるように遊技状態および演出状態が制御される。以下に、遊技者がパチンコ遊技機１において遊技を開始してからの遊技の流れについて説明する。
【００６９】
遊技者は、パチンコ遊技機１に着席して最初に遊技を開始するときに、まず左打ちによって第１始動入賞口１３に遊技球が入賞するように遊技を行なう。そして、第１特別図柄の変動表示が実行され、表示結果が大当り（特別図柄による大当り）となれば、左打ちから右打ちに切替えて、開放される大当り可変入賞球装置２０を狙い遊技を行なう。大当り遊技状態が終了した後は、演出表示装置９の画面上で遊技者に右打ちによって遊技を行なうことを促す右打ち促進報知が行なわれる。具体的には、演出表示装置９の画面上で「右を狙え」等の表示が行なわれる。
【００７０】
大当り遊技状態中は、開口した大当り可変入賞球装置２０を右打ちにより狙う遊技を行なう。大当り遊技状態中は、右打ち促進報知が行なわれる。大当り遊技状態の終了後は、後述する時短状態となれば、引き続き右打ちにより遊技を行なう。大当り遊技終了後、時短状態となっていれば時短状態が開始されることを報知する時短報知が演出表示装置９の画面上で行なわれる。また、時短状態中には、右打ち促進報知も行なわれる。大当り遊技状態の終了後に時短状態とならなければ、大当り遊技状態中に実行される右打ち促進報知が終了することにより、右打ちから左打ちに切替えて第１始動入賞口１３に遊技球が入賞するように遊技を行なう。なお、時短状態とならなかった場合には、演出表示装置９の画
面上で遊技者に左打ちに戻して遊技を行なうことを促す左打ち促進報知（左打ち報知とも呼ばれる）が行なわれるようにしてもよい。
【００７１】
大当り遊技終了後の時短状態中は、右打ちにより第２始動入賞口１４を有する可変入賞球装置１５を狙い遊技を行なう。第２始動入賞口１４に遊技球が入賞し、表示結果が大当り（特別図柄による大当り）となれば、右打ちのまま大当り可変入賞球装置２０を狙い遊技を行なう。また、第２始動入賞口１４に遊技球が入賞し、表示結果が小当り表示結果となれば、小当り遊技状態においてＶ判定入賞装置８７の作動口が開放されるので、右打ちのままＶ判定入賞装置８７を狙い遊技を行なう。小当り遊技状態の開始時には、演出表示装置９の画面上で小当り遊技状態が開始されることを報知する小当り開始報知が行なわれる。また、小当り遊技状態に制御されるときには、特定のタイミング（遊技状況に応じて、後述するような、小当りに応じてＶ判定入賞装置８７の作動口が開放される前に実行される小当り表示の開始タイミング、または、小当り表示が実行されるよりも前の所定のタイミング。）で、右打ち促進報知も行なわれる。
【００７２】
小当り遊技状態によりＶ判定入賞装置８７の作動口が開状態のときに、遊技球が、作動口からＶ判定入賞装置８７の内部に落下し、Ｖ入賞領域８７０に進入して検出されて、Ｖ入賞が発生した場合に、小当り経由の大当りが発生する。Ｖ入賞が発生したときには、演出表示装置９の画面上でＶ入賞が発生したことを報知するＶ入賞報知が行なわれる。また、小当り遊技状態の終了時は、演出表示装置９の画面上で小当り遊技状態が終了したことを報知する小当り終了報知が行なわれる。そして、小当り終了後に、大当り遊技状態となって大当り可変入賞球装置２０が開放されるので、遊技者は、右打ちのまま大当り可変入賞球装置２０を狙い遊技を行なう。
【００７３】
また、小当り遊技状態においてＶ判定入賞装置８７を狙い遊技を行なったときに、遊技球がＶ入賞領域８７０に進入せず、Ｖ入賞領域８７０以外の非特定領域８７１に進入した場合には、大当りが発生しない。このように小当り遊技状態中にＶ入賞が発生しなかったときには、演出表示装置９の画面上でＶ入賞に失敗したことを報知するＶ入賞失敗報知が行なわれる。また、小当り遊技状態の終了時には、演出表示装置９の画面上で小当り遊技状態が終了したことを報知する小当り終了報知が行なわれる。そして、小当り遊技状態の終了後、時短状態が継続しているときに、遊技者は、引続き右打ちのまま可変入賞球装置１５を狙い遊技を行なう。時短状態が終了した場合は、右打ちから左打ちに切替えて第１始動入賞口１３に遊技球が入賞するように遊技を行なう。時短状態の終了時には、演出表示装置９の画面上で時短が終了したことを報知する時短終了報知と、遊技者に左打ちに戻して遊技を行なうことを促す左打ち促進報知とが行なわれる。
【００７４】
図２は、当り種別表を示す図である。当り種別表には、当りの種別ごとに、大当り発生条件、大当り後の制御状態（遊技状態）、大当りにおける開放回数（ラウンド数）、および、大当りにおける各ラウンドの開放時間が示されている。この実施の形態では、大当り当り種別として、図柄１５Ｒ時短大当り、図柄４Ｒ時短大当り、小当り経由１６（１５）Ｒ時短大当り、小当り経由９（８）Ｒ時短大当り、および、小当り経由５（４）Ｒ時短大当りが設けられている。小当り経由の大当りの括弧内は、大当り可変入賞球装置２０が開放する回数を示している。
【００７５】
小当りは、可変入賞球装置１５に設けられた第２始動入賞口１４に遊技球が入賞し、第２特別図柄の表示結果が小当り図柄になった場合に発生する。特別図柄の表示結果を小当り図柄にするか否かの判定は、乱数抽選によって事前に行なわれる（特別図柄の小当り判定）。小当りが発生すると、小当り遊技状態となり、開放回数が１０回で開放時間が０．１秒という開放パターンでＶ判定入賞装置８７の作動口が開放する。小当り遊技状態の終了後の遊技制御状態（後述する大当り確率、小当り確率、ベース）は、小当り前と同じで
ある。小当りにおいては、小当り遊技状態中にＶ判定入賞装置８７内のＶ入賞領域８７０に入賞した遊技球に対して賞球が払出される。小当り遊技状態中には、約１０個の入賞球が生じる得ることが設定されており、その入賞球に応じて、約３０個の賞球が払出され得ることが設定されている。
【００７６】
Ｖ判定入賞装置８７の作動口が開放中に、作動口へ遊技球を入賞させ、遊技球がＶ判定入賞装置８７の内部のＶ入賞領域８７０に進入（Ｖ入賞）した場合は、大当りが発生する。このような小当りを経由した大当りは、小当り経由大当りと呼ばれる。小当り経由大当りには、大当りでのラウンド数が異なる小当り経由１６（１５）Ｒ時短大当り、小当り経由９（８）Ｒ時短大当り、および、小当り経由５（４）Ｒ時短大当りが含まれる。１６（１５）Ｒ時短大当りとなり得るように紐付けられた小当りは、第１小当りと呼ばれる。９（８）Ｒ時短大当りとなり得るように紐付けられた小当りは、第２小当りと呼ばれる。５（４）Ｒ時短大当りとなり得るように紐付けられた小当りは、第３小当りと呼ばれる。
【００７７】
一方、小当りを経由せずに、特別図柄の変動表示により直接的に発生する大当りは、図柄大当りと呼ばれる。図柄大当りとしては、第１特別図柄または第２特別図柄の変動表示に基づいて直接発生する図柄１５Ｒ時短大当り、および、図柄４Ｒ時短大当りがある。
【００７８】
このように、大当りとしては、第１特別図柄または第２特別図柄の変動表示に基づいて直接発生する図柄大当りと、第２特別図柄の変動表示に基づく小当りを経由してＶ入賞により発生する小当り経由大当りとが含まれる。図柄大当りおよび小当り経由大当りの各大当りは、大当り遊技状態の終了後に時短状態に制御される大当りであり、時短大当りという名称が付けられている。本実施形態における遊技者にとって有利な有利状態には、大当り可変入賞球装置２０が開放することも含まれる。
【００７９】
ここで、時短状態を説明する。時短状態は、遊技者にとって有利な特別遊技状態（有利状態）の一例である。時短状態は、特別図柄（演出図柄）の変動時間（変動表示期間）が非時短状態（通常状態）よりも短縮される制御状態である。このように、時短状態に移行することによって、特別図柄や演出図柄の変動時間が短縮されるので、時短状態となったときには、有効な始動入賞が発生しやすくなり大当り遊技が行なわれる可能性が高まる。
【００８０】
なお、時短状態では、可変入賞球装置１５が開状態になる頻度を高くすることにより可変入賞球装置１５に遊技球が進入する頻度を高くして可変入賞球装置１５への入賞を容易化（高進入化、高頻度化）する高ベース状態に制御される。
【００８１】
ここで、「ベース」とは、発射球数に対して入賞に応じて賞球として払出される遊技球数の割合である。この割合を高める積極的な制御が行なわれる状態が「高ベース状態」である。一方、このような制御が行なわれない状態が「低ベース状態」である。このような制御は、たとえば、特別図柄の変動開始の契機となる始動入賞の発生を高める制御として実現される。このため、本実施の形態でいえば、可変入賞球装置１５（いわゆる電動チューリップ）の開放頻度や開放回数を増加させ、あるいは１回の開放時間を長くすることによって、その可変入賞球装置への入賞を容易化する制御として実現できる。このような制御は、「電チューサポート制御」とも呼ばれる。つまり、高ベース状態とは、特別図柄の変動契機となる可変入賞球装置１５が開状態になる頻度を高くすることにより、その可変入賞球装置１５に遊技球が進入する頻度を高くして可変入賞球装置１５への入賞が容易化（高進入化、高頻度化）される制御状態である。「電チューサポート制御」は、「電サポ」という略語で一般的に呼ばれており、本実施形態でも「電サポ」という略語を用いる場合がある。
【００８２】
さらに、高ベース制御（電チューサポート制御）について詳述する。高ベース制御（電
チューサポート制御）としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５（普通電動役物）の開放時間を長くする制御（開放時間延長制御）、および、特別図柄の変動契機となる可変入賞球装置の開放回数を増加させる制御（開放回数増加制御）が行なわれる。このような制御が行なわれると、当該制御が行なわれていないときと比べて、特別図柄の変動契機となる可変入賞球装置が開状態となっている時間比率が高くなるので、遊技球が始動入賞しやすくなる（特別図柄表示器８ａ，８ｂや演出表示装置９における変動表示の実行条件が成立しやすくなる）。
【００８３】
また、図柄１５Ｒ時短大当りは、大入賞口が１５回（１５Ｒ）開放される大当りである。図柄４Ｒ時短大当りは、大入賞口が４回（４Ｒ）開放される大当りである。小当り経由１６（１５）Ｒ時短大当りは、Ｖ判定入賞装置８７が１回（０．１秒×１０回）開放された後、Ｖ入賞を条件として大入賞口が１５回（１５Ｒ）開放される大当りであり、１６ラウンド分入賞装置が開放するが、実質的に大入賞口の開放回数は、１５回であり、遊技者は、大入賞口の開放に関して、図柄１５Ｒ時短大当りと同様の大当り種別と感じる。小当り経由９（８）Ｒ時短大当りは、Ｖ判定入賞装置８７が（０．１秒×１０回）開放された後、Ｖ入賞を条件として大入賞口が８回（８Ｒ）開放される大当りである。小当り経由５（４）Ｒ時短大当りは、Ｖ判定入賞装置８７が１回（０．１秒×１０回）開放された後、Ｖ入賞を条件として大入賞口が４回（４Ｒ）開放される大当りであり、５ラウンド分入賞装置が開放するが、実質的に大入賞口の開放回数は、４回であり、遊技者は、大入賞口の開放に関して、図柄４Ｒ時短大当りと同様の大当り種別と感じる。
【００８４】
図柄４Ｒ時短大当り後の時短状態は、第２特別図柄の変動表示回数が１回という終了条件と、第１特別図柄と第２特別図柄との変動表示回数の合計回数が５回という終了条件との２つの終了状態が設定されている。このような、第２特別図柄の変動表示回数が１回という時短の終了条件の回数は、Ｖ判定入賞装置８７に進入した遊技球が１００％の割合でＶ入賞領域８７０に進入することを考慮して設定されている。第２特別図柄の変動表示では、約１／７という割合で小当りが発生する。よって、第２特別図柄の変動表示回数が１回という終了条件は、第２特別図柄の変動表示が実行されるときに、約１／７という割合で、小当り経由の大当りを発生させる可能性がある回数としている。
【００８５】
第２特別図柄の変動表示回数が１回という時短の終了条件の回数は、次のような理由で設定されている。図柄４Ｒ時短大当りの場合には、基本的に第２特別図柄の変動表示が１回実行完了するまで時短状態（電サポ状態含む）を継続させるが、第２特別図柄を変動表示させるには、右打ちをして遊技球をゲート３２に進入させて可変入賞球装置１５を開状態にし、その状態で遊技球を可変入賞球装置１５に入賞させる必要があり、そのような可変入賞球装置１５へ遊技球を入賞させるまでに時間がかかってしまい、保留記憶されていた第１特別図柄が先に変動表示される場合がある。
【００８６】
したがって、第１特別図柄と第２特別図柄との変動表示回数の合計回数が５回という終了条件は、時短状態の開始直後において、第２特別図柄の変動表示開始条件が成立する前に、大当り遊技状態前に最大４個記憶可能な第１始動入賞に基づく保留記憶による第１特別図柄の変動表示が開始されてしまっても、遊技者にとって有利な大当りに決定されやすい第２特別図柄の１回分の変動表示を確実に実行可能にするための条件である。このようにすることで、時短状態開始直後において第１始動入賞に基づく保留記憶による第１特別図柄の変動表示が開始されてしまうことで、時短状態において、遊技者にとって有利な大当りに決定されやすい第２特別図柄の変動表示が行なわれなくなってしまうのを防ぐことができる。
【００８７】
図柄４Ｒ時短大当り以外の大当り後は、第２特別図柄の変動表示回数が７回という終了条件と、第１特別図柄と第２特別図柄との変動表示回数の合計回数が１１回という終了条件との２つの終了状態が設定されている。このような、時短状態の終了条件の７回という回数は、Ｖ判定入賞装置８７に進入した遊技球が１００％の割合でＶ入賞領域８７０に進入することを考慮して設定されている。第２特別図柄の変動表示では、約１／７という割合で小当りが発生する。よって、第２特別図柄の変動表示回数が７回という終了条件は、第２特別図柄の変動表示が実行されるときに、図柄４Ｒ時短大当りと比べて、小当り経由の大当りを発生させる可能性が大幅に高くなる回数としている。これにより、小当り経由の大当りの発生に遊技者を注目させることができるとともに、小当り経由の大当りの発生についての遊技者の期待感を高めることができる。
【００８８】
また、第１特別図柄と第２特別図柄との変動表示回数の合計回数が１１回という終了条件は、時短状態の開始直後において、第２特別図柄の変動表示開始条件が成立する前に、大当り遊技状態前に最大４個記憶可能な第１始動入賞に基づく保留記憶による第１特別図柄の変動表示が開始されてしまっても、遊技者にとって有利な大当りに決定されやすい第２特別図柄の７回分の変動回数の変動表示を確実に実行可能にするためである。このようにすることにより、時短状態開始直後において第１始動入賞に基づく保留記憶による第１特別図柄の変動表示が開始されてしまうことで、時短状態において、遊技者にとって有利な大当りに決定されやすい第２特別図柄の変動回数が減少してしまうことを防ぐことができる。
【００８９】
この実施の形態においては、通常状態である低ベース状態においては、第１始動入賞口１３が第１経路から入賞可能に設けられているので、第１経路を遊技球が流下した方が、第２経路を遊技球が流下するよりも、始動入賞の点で遊技者にとって有利である。一方、大当り遊技状態のような有利状態では、開放される大当り可変入賞球装置２０が第２経路から入賞可能に設けられているので、第２経路を遊技球が流下した方が、第１経路を遊技球が流下するよりも、大当り時入賞の点で遊技者にとって有利である。また、小当り遊技状態のような特定状態では、開放されるＶ判定入賞装置８７が第２経路から入賞可能に設けられているので、第２経路を遊技球が流下した方が、第１経路を遊技球が流下するよりも、大当り発生の点で遊技者にとって有利である。
【００９０】
なお、このような有利さの比較に限らず、たとえば、その他の入賞口（たとえば、別の可変入賞口（始動入賞用であっても、非始動入賞用であってもよい）が第１経路と第２経路とに設けられており、通常状態としての低ベース状態では第１経路の方が第２経路よりも当該可変入賞口に入賞しやすく、高ベース状態、大当り遊技状態、および、小当り遊技状態のようなその他の状態では、第２経路の方が第１経路よりも当該可変入賞口に入賞しやすいというような、その他の観点から、通常状態においては第１経路を遊技媒体が流下した方が遊技者にとって有利であり、その他の遊技状態では第２経路を遊技媒体が流下した方が遊技者にとって有利である構成を採用してもよい。
【００９１】
図３は、主基板（遊技制御基板）３１における回路構成の一例を示すブロック図である。なお、図３は、払出制御基板３７および演出制御基板８０等も示されている。主基板３１には、プログラムにしたがってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。遊技制御用マイクロコンピュータ５６０は、ＲＯＭ５４およびＲＡＭ５５が内蔵された１チップマイクロコンピュータである。遊技制御用マイクロコンピュータ５６０には、さらに、ハードウェア乱数（ハードウェア回路が発生する乱数）を発生する乱数回路５０３が内蔵されている。
【００９２】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグ等）と未払出賞球数を示すデータは、バックアップＲＡＭに保存される。
【００９３】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【００９４】
乱数回路５０３は、特別図柄の変動表示の表示結果により小当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。また、遊技制御用マイクロコンピュータ５６０は、乱数回路５０３が更新する数値データの初期値を設定する機能を有している。
【００９５】
また、ゲートスイッチ３２ａ、第１始動入賞口スイッチ１３ａ、第２始動入賞口スイッチ１４ａ、Ｖ入賞スイッチ８７ａ、Ｖ判定入賞スイッチ１５ａ、および、Ｖ判定排出スイッチ１５ｂのそれぞれからの検出信号を遊技制御用マイクロコンピュータ５６０に与える入力ドライバ回路５８も主基板３１に搭載されている。また、可変入賞球装置１５を開閉するソレノイド１６、大当り可変入賞球装置２０を開閉するソレノイド２１、Ｖ判定入賞装置８７（可動部８７２）を開閉するソレノイド２２、および、Ｖ入賞判定入賞装置８７（領域８７０可動部８７）を開閉するソレノイド２２、Ｖ入賞領域８７０（開閉部材）を開閉するソレノイド２４、および、遊技制御用マイクロコンピュータ５６０からの指令にしたがって駆動する出力回路５９も主基板３１に搭載されている。
【００９６】
また、遊技制御用マイクロコンピュータ５６０は、特別図柄を変動表示する第１特別図柄表示器８ａ、第２特別図柄表示器８ｂ、普通図柄を変動表示する普通図柄表示器１０、第１特別図柄保留記憶表示器１８ａ、第２特別図柄保留記憶表示器１８ｂおよび普通図柄保留記憶表示器４１の表示制御を行なう。
【００９７】
演出制御基板８０は、演出制御用マイクロコンピュータ１００、ＲＯＭ１０２、ＲＡＭ１０３、ＶＤＰ１０９、および、Ｉ／Ｏポート部１０５等を搭載している。ＲＯＭ１０２は、表示制御等の演出制御用のプログラムおよびデータ等を記憶する。ＲＡＭ１０３は、ワークメモリとして使用される。ＲＯＭ１０２およびＲＡＭ１０３は、演出制御用マイクロコンピュータ１００に内蔵されてもよい。ＶＤＰ１０９は、演出制御用マイクロコンピュータ１００と共動して演出表示装置９の表示制御を行なう。
【００９８】
演出制御用マイクロコンピュータ１００は、主基板３１から演出制御基板８０の方向への一方向にのみ信号を通過させる中継基板７７を介して、遊技制御用マイクロコンピュータ５６０から演出内容を指示する演出制御コマンドを受信し、演出表示装置９の変動表示
制御を行なう他、ランプドライバ基板３５を介して、枠側に設けられている枠ＬＥＤ２８の表示制御、Ｖランプ８７５の表示制御を行なうとともに、音声出力基板７０を介してスピーカ２７からの音出力の制御を行なう等、各種の演出制御を行なう。
【００９９】
また、演出制御用ＣＰＵ１０１は、スティックコントローラ１２２のトリガボタン１２５に対する遊技者の操作行為を検出したことを示す情報信号としての操作検出信号を、トリガセンサ１２１から、Ｉ／Ｏポート部１０５を介して入力する。また、演出制御用ＣＰＵ１０１は、プッシュボタン１２０に対する遊技者の操作行為を検出したことを示す情報信号としての操作検出信号を、プッシュセンサ１２４から、Ｉ／Ｏポート部１０５を介して入力する。また、演出制御用ＣＰＵ１０１は、スティックコントローラ１２２の操作桿に対する技者の操作行為を検出したことを示す情報信号としての操作検出信号を、傾倒方向センサユニット１２３から、Ｉ／Ｏポート部１０５を介して入力する。また、演出制御用ＣＰＵ１０１は、Ｉ／Ｏポート部１０５を介してバイブレータ用モータ１２６に駆動信号を出力することにより、スティックコントローラ１２２を振動動作させる。
【０１００】
図４は、各乱数を示す説明図である。図４においては、乱数の種別、更新範囲、用途、および、加算条件が示されている。各乱数は、以下のように使用される。
【０１０１】
（１）ランダム１：大当りにするか否か、および、小当りにするか否かを判定する当り判定用のランダムカウンタである。ランダム１は、１０ＭＨｚで１ずつ更新され、０から加算更新されてその上限である６５５３５まで加算更新された後再度０から加算更新される。（２）ランダム２：大当りの種類（種別、図柄１５Ｒ時短大当り、図柄４Ｒ時短大当り、小当り経由１６（１５）Ｒ時短大当り、小当り経由９（８）Ｒ時短大当り、および、小当り経由５（４）Ｒ時短大当りのいずれかの種別）および大当り図柄を決定する（大当り種別判定用、大当り図柄決定用）。（３）ランダム３：変動パターンの種類（種別）を決定する（変動パターン種別判定用）。（４）ランダム４：変動パターン（変動時間）を決定する（変動パターン判定用）。（５）ランダム５：普通図柄に基づく当りを発生させるか否か決定する（普通図柄当り判定用）。（６）ランダム６：ランダム５の初期値を決定する（ランダム５初期値決定用）。
【０１０２】
この実施の形態では、特定遊技状態である大当りとして、図柄１５Ｒ時短大当り、図柄４Ｒ時短大当り、小当り経由１６（１５）Ｒ時短大当り、小当り経由９（８）Ｒ時短大当り、および、小当り経由５（４）Ｒ時短大当りという複数の種別が含まれている。したがって、当り判定用乱数（ランダム１）の値に基づいて、大当りとする決定がされたとき、または、小当りとする決定がされたときには、大当り種別判定用乱数（ランダム２）の値に基づいて、大当りの種別が、これらいずれかの大当り種別に決定される。ただし、小当り経由の大当りの場合は、Ｖ入賞が発生しなければ、決定された大当りは無効となる。さらに、大当りの種別が決定されるときに、同時に大当り種別判定用乱数（ランダム２）の値に基づいて、大当り図柄も決定される。したがって、ランダム２は、大当り図柄決定用乱数でもある。
【０１０３】
また、小当りの種別とすることが決定されるときに、同時に小当り図柄が決定される。したがって、ランダム２は、小当り図柄決定用乱数でもある。
【０１０４】
また、変動パターンは、まず、変動パターン種別判定用乱数（ランダム３）を用いて変動パターン種別を決定し、変動パターン判定用乱数（ランダム４）を用いて、決定した変動パターン種別に含まれるいずれかの変動パターンに決定する。そのように、この実施の形態では、２段階の抽選処理によって変動パターンが決定される。変動パターン種別とは、複数の変動パターンをその変動態様の特徴にしたがってグループ化したものである。変動パターン種別には、１または複数の変動パターンが属している。
【０１０５】
この実施の形態では、変動パターンが、リーチを伴なわない変動パターン種別である通常変動パターン種別と、リーチを伴なう変動パターン種別であるリーチ変動パターン種別とに種別分けされている。
【０１０６】
このような変動パターン種別は、表示結果がはずれとなる場合に、時短状態であるときと、時短状態でないときとで、変動パターン種別の選択割合が異なるように設定されていることにより、時短状態であるときには、時短状態でないときと比べて、変動時間が短縮される。たとえば、時短状態では、時短状態でないときと比べて、変動時間の平均時間を短くするために、所定の変動パターンの変動時間が時短でないときよりも短く設定されたり、変動パターン種別のうち最も変動時間が短い変動パターン種別が選択される割合が高くなり、リーチ種別が選択されるときでも変動パターン種別のうち最も変動時間が短いノーマルリーチの変動パターンが選択される割合が高くなるように設定されたりすることで、時短状態でないときと比べて、変動時間の平均時間が短くなる。
【０１０７】
また、このような変動パターン種別には、小当りとなるときに選択可能な変動パターン種別（たとえば、小当りと関連性がある演出が実行される変動パターン種別等）と、小当りとなるときに選択不可能な変動パターン種別（たとえば、小当りと関連性がない演出が実行される変動パターン種別等）とが含まれている。このような、小当りとなるときに選択可能な変動パターン種別は、特定の演出が実行される変動パターンであり、小当りに関する所定の示唆演出が実行される変動パターンが含まれている。しがって、このような小当りに関する所定の示唆演出が実行される変動パターンが実行されたときには、遊技者の期待感を盛上げることが可能となる。小当りとなるときに選択可能な変動パターン種別は、小当りとなるときと、小当りとならないときとの両方で選択可能であり、小当りとなるときの方が、小当りとならないときよりも選択される割合が高くなるように設定される。これにより、小当りとなるときに選択可能な変動パターン種別であっても、小当りとならないときも生じるので、実行される変動パターンの種別から小当りとなることが遊技者に予め認知されてしまうことがないようにすることができる。一方、小当りとなるときに選択不可能な変動パターン種別は、たとえば、小当りを経由せずに直接大当りとなることを示唆するような小当りと関連性がない演出がされる変動パターン等であり、小当りとなるときに選択不可能とすることにより、変動パターンの演出と、表示結果との関連性が複雑化しないようにすることができる。なお、小当りとなるときに選択可能な変動パターンは、Ｖ判定入賞装置８７の開放制御との対応関係に基づいて、特定の変動時間に設定されたものが選択されるように設定されている。このような小当りに関する所定の示唆演出が実行される変動パターンが、小当りとなるときに実行可能となるようにすれば、変動表示時における遊技者の小当りへの期待感を高めることができる。さらに、大当りを得るために所定期間内にＶ判定入賞装置８７へ遊技球を進入させる必要があるという、小当り遊技状態特有の遊技に遊技者が容易に対応可能な状態となることにより、遊技者がＶ判定入賞装置８７へ遊技球を進入させる有利状態を逃がしにくいようにすることが可能となる。
【０１０８】
また、小当りとなるときに選択可能な変動パターンは、特定の変動時間に限定されないものとしてもよい。また、小当りとなるときに選択可能な変動パターンは、小当りに関する所定の示唆演出が実行されるものでなくてもよい。また、小当りとなるときと、はずれとなるときと、大当りとなるときとで、変動パターンを分けて設けてもよい。また、変動パターンは、小当りとなるときと、はずれとなるときと、大当りとなるときとで、変動パターンを分けず、いずれの変動表示結果となるときにも、選択対象の変動パターンの種類の範囲が同じとなるようにしてもよい。
【０１０９】
また、変動パターン種別と変動パターンとを別々に設定し、２段階の抽選処理によって変動パターンを決定するのではなく、変動パターン種別を設けずに変動パターン判定用乱
数のみを用いて、１段段階で変動パターンを決定するようにしてもよい。
【０１１０】
図５は、第１特図当り判定テーブル、第２特図当り判定テーブル、および、各種大当り種別判定テーブルを示す説明図である。これらテーブルは、ＲＯＭ５４に記憶されている。
【０１１１】
図５（Ａ）は、第１特図当り判定テーブルを示す説明図である。第１特図当り判定テーブルは、第１特別図柄について大当り判定をするためのデータテーブルであって、ランダム１と比較される大当り判定値が設定されているテーブルである。図５（Ａ）に示す「確率」は、大当りになる確率（割合）を示す。
【０１１２】
図５（Ｂ）は、第２特図当り判定テーブルを示す説明図である。第２特図当り判定テーブルは、第２特別図柄について大当り判定および小当り判定をするためのデータテーブルであって、ランダム１と比較される大当り判定値、および、小当り判定値が設定されているテーブルである。図５（Ｂ）における上段が大当り判定テーブル部であり、図５（Ｂ）における下段が、小当り判定テーブル部である。図５（Ｂ）上段に示す「確率」は、大当りになる確率（割合）を示す、図５（Ｂ）下段に示す「確率」は、小当りになる確率（割合）を示す。
【０１１３】
ＣＰＵ５６は、第１始動入賞口１３への始動入賞（第１始動入賞）、または、第２始動入賞口１４への始動入賞（第２始動入賞）が検出されると、所定のタイミングで、乱数回路５０３のカウント値（ランダム１）を抽出する。第１始動入賞については、抽出値を第１特図当り判定テーブルに設定された大当り判定値と比較し、抽出値がいずれかの大当り判定値と一致すると、第１特別図柄に関して大当りにすることに決定する。第２始動入賞については、抽出値を第２特図当り判定テーブルに設定された大当り判定値と比較し、抽出値がいずれかの大当り判定値と一致すると、第２特別図柄に関して大当りにすることに決定する。そして、抽出値がいずれかの大当り判定値と一致しないときは、抽出値を第２特図当り判定テーブルに設定された小当り判定値と比較し、抽出値がいずれかの小当り判定値と一致すると、第２特別図柄に関して小当りにすることに決定する。小当りにすることに決定することは、小当り経由の大当りにすることに仮決定（小当り中にＶ入賞が生じなければ大当りに制御されないため、仮決定と記載する）することも意味する。
【０１１４】
なお、大当りにするか否か決定するということは、大当り遊技状態に移行させるか否か決定するということであるが、第１特別図柄または第２特別図柄の変動表示による停止図柄を大当り図柄にするか否か決定するということでもある。また、小当りにするか否か決定するということは、小当り遊技状態に移行させるか否か決定するということであるが、第２特別図柄の変動表示による停止図柄を小当り図柄にするか否か決定するということでもある。
【０１１５】
なお、第１特別図柄については、小当りとする判定がされないように設定されているが、第１特別図柄について、所定の確率で小当りとする判定がされるように設定してもよい。
【０１１６】
図５（Ｃ），（Ｄ），（Ｅ）は、ＲＯＭ５４に記憶されている大当り種別判定テーブルを示す説明図である。図５（Ｃ）は、第１特別図柄により大当りと判定されたときの図柄大当りの大当り種別を決定するために用いる第１特図大当り種別判定テーブルである。図５（Ｄ）は、第２特別図柄により大当りと判定されたときの図柄大当りの大当り種別を決定するために用いる第２特図大当り種別判定テーブルである。
【０１１７】
図５（Ｃ）の第１特図大当り種別判定テーブルには、大当り種別判定用のランダム２の
値と比較される数値であって、「図柄１５Ｒ時短大当り」と「図柄４Ｒ時短大当り」とのそれぞれに対応した大当り判定値が設定されている。図５（Ｄ）の第２特別図柄大当り種別判定テーブルには、ランダム１の値と比較される数値であって、「図柄１５Ｒ時短大当り」に対応した大当り判定値が設定されている。
【０１１８】
また、図５（Ｃ），（Ｄ）に示すように、大当り種別判定値は、第１特別図柄および第２特別図柄の大当り図柄を決定する判定値（大当り図柄判定値）としても用いられる。たとえば、「８Ｒ時短大当り」に対応した判定値は、大当り図柄の「３」に対応した判定値としても設定されている。「１５Ｒ時短大当り」に対応した判定値は、大当り図柄の「７」に対応した判定値としても設定されている。
【０１１９】
このような各種の大当り種別判定テーブルを用いて、ＣＰＵ５６は、大当り種別として、ランダム１の値が一致した大当り種別判定値に対応する種別を決定するともに、大当り図柄として、ランダム１の値が一致した大当り図柄を決定する。これにより、大当り種別と、大当り種別に対応する大当り図柄とが同時に決定される。
【０１２０】
図５（Ｅ）の小当り経由大当り種別判定テーブルには、大当り種別判定用のランダム２の値と比較される数値であって、「小当り経由１６（１５）Ｒ時短大当り」と「小当り経由９（８）Ｒ時短大当り」と「小当り経由５（４）Ｒ時短大当り」とのそれぞれに対応した大当り判定値が設定されている。ただし、小当り経由大当り種別判定テーブルで決定される大当り種別は、第１小当り（１６（１５）Ｒ時短大当りとなるもの）、第２小当り（９（８）Ｒ時短大当りとなるもの）、第３小当り（５（４）Ｒ時短大当りとなるもの）のそれぞれに紐付けられた仮の大当り種別であり、小当り遊技状態においてＶ入賞が発生しなければ無効となる。
【０１２１】
図２および図５に示すように、時短状態（高ベース状態）に制御される変動表示の回数が異なる、第１時短状態（変動表示１回〜５回）、および、第２時短状態（変動表示７回〜１１回）のような複数種類の時短状態が存在することにより、時短状態での遊技がバラエティに富み、遊技の興趣が向上する。
【０１２２】
次に、各種大当りの大当り遊技状態の終了後に制御される時短状態における第１特別図柄および第２特別図柄の変動表示の実行態様を説明する。ここでは、図柄４Ｒ時短大当りの大当り遊技状態の終了後に制御される時短状態を代表例として説明する。図６は、図柄４Ｒ時短大当りの大当り遊技状態の終了後に制御される時短状態における第１特別図柄および第２特別図柄の変動表示の実行態様の一例を表形式で示す図である。
【０１２３】
４Ｒ時短大当りの大当り遊技状態の終了後に、比較的少ない変動表示回数（１回〜５回）に亘り時短状態に制御される第１時短状態のときの第１特別図柄および第２特別図柄の変動表示については、大当り遊技状態の発生前に第１特別図柄の保留記憶が存在していた場合と、大当り遊技状態の発生前に第１特別図柄の保留記憶が存在していない場合とを比較すると、図６（Ａ），（Ｂ）に示すように、大当り遊技状態の終了後の時短状態における第１特別図柄および第２特別図柄の変動表示の実行バランス態様が異なる。
【０１２４】
図６（Ａ）には、時短状態制御開始時に第１特別図柄の保留記憶が１個ある場合の第１特別図柄および第２特別図柄の変動表示例が示されている。図６（Ｂ）には、時短状態制御開始時に第１特別図柄の保留記憶がない場合の第１特別図柄および第２特別図柄の変動表示例が示されている。
【０１２５】
パチンコ遊技機１においては、第１保留記憶または第２保留記憶が存在している状態で大当り遊技状態に制御されると、大当り遊技状態への制御前において存在していた保留記
憶は、大当り遊技状態中において記憶状態が継続されて大当り遊技状態の終了後まで持ち越され、大当り遊技状態の終了後において、変動表示に用いられる。
【０１２６】
図６（Ａ）に示すように、８Ｒ時短大当りの大当り遊技状態終了後における第１時短状態の開始時において、大当り遊技状態への制御前において存在していた保留記憶に基づく第１特別図柄の保留記憶があるときには、優先的に実行させるべき第２特別図柄を変動表示のための第２始動入賞口１４への遊技球の始動入賞がまだされていないので、時短状態においては、まず、１回目の変動表示として、大当り遊技状態の発生前から持ち越された第１特別図柄の保留記憶に基づく第１特別図柄の変動表示が実行される。８Ｒ時短大当りの大当り遊技状態終了後における時短状態は、右打ちがなされてゲート３２および第２始動入賞口１４に遊技球を進入させる遊技が行なわれるので、その後、図６（Ａ）に示すように、第２始動入賞口１４への始動入賞に基づく第２特別図柄の変動表示が実行され得る。
【０１２７】
時短状態の開始後、第２始動入賞口１４への始動入賞が発生するまでの間においては、第１特別図柄の保留記憶が存在するときに、その保留記憶に基づき第１特別図柄の変動表示が実行される。図６（Ａ）では、時短状態の開始後、第２始動入賞口１４への始動入賞が発生するまでの間において、大当り遊技状態への制御前において存在していた第１特別図柄の１個の保留記憶に基づき第１特別図柄の変動表示が１回実行された例が示されている。図６（Ａ）では、時短状態の開始後、２回目に第２始動入賞口１４への始動入賞に基づく変動表示が１回実行されたことに基づいて、時短状態の開始後、２回目の変動表示において時短制御が終了した例が示されている。
【０１２８】
第２始動入賞口１４への始動入賞については、前述のように４個の保留記憶情報が可能である。したがって、第１時短状態の開始後、たとえば第２始動入賞口１４への始動入賞に基づく変動表示の１回の実行が終了するまでの間に実行される電サポ状態での可変入賞球装置１５の開放制御状態中において、図６（Ａ）に示すように、最大限４個の第２保留記憶情報が生じ得る。この実施の形態では、第１時短状態の場合は、第２保留記憶情報が溜まりやすいように、変動表示時間がある程度長い変動表示が、１回目の第２始動入賞口１４への始動入賞に基づいて実行される。なお、そのように変動表示時間がある程度長い変動表示は実行しないようにしてもよい。
【０１２９】
その後、第２始動入賞口１４への始動入賞に基づく変動表示の１回の実行が終了するまでの間に、第２保留記憶情報が記憶されているときには、たとえば図６（Ａ）の３回目〜６回目の第２特別図柄の変動表示欄に示すように、最大限４個の第２保留記憶情報に基づく変動表示が実行され、約１／７の当選確率の小当り抽選が第２保留記憶情報個数分だけ実行可能となる。これにより、第１時短状態が終了しても、第１時短状態中に生じた第２保留記憶情報に基づく小当り経由の大当り発生について、遊技者の期待感を高めることができる。
【０１３０】
一方、図６（Ｂ）に示すように、時短状態の開始時において、大当り遊技状態への制御前において存在していた保留記憶に基づく第１特別図柄の保留記憶がないときには、４Ｒ時短大当りの大当り遊技状態終了後における時短状態で、右打ちがなされてゲート３２および第２始動入賞口１４に遊技球を進入させる遊技が行なわれ、第１始動入賞口１３には遊技球が進入し得ない遊技状態となるので、図６（Ｂ）に示すように、１回目の変動表示から第２始動入賞口１４への始動入賞に基づく第２特別図柄の変動表示が実行され得る。この場合においても、図６（Ａ）の保留記憶ありの場合と同様に、図６（Ｂ）に示すような最大限４個の第２保留記憶情報が生じ得る。これにより、第１時短状態が終了しても、第１時短状態中に生じた第２保留記憶情報に基づく小当り経由の大当り発生について、遊技者の期待感を高めることができる。
【０１３１】
４Ｒ時短大当りの大当り遊技状態終了後における第１時短状態の終了条件は、前述のように、第２特別図柄の変動表示が１回実行されたか、または、第１特別図柄および第２特別図柄の変動表示が合計５回実行されたときに成立する。
【０１３２】
図６（Ａ）のように、時短状態の開始時において、当該開始時に存在していた第１特別図柄の３個の保留記憶に基づく第１特別図柄の変動表示が３回実行された後、４回目に第２特別図柄の変動表示が実行された場合には、４回目の変動表示が実行されることにより、第２特別図柄の変動表示回数が１回実行されたことにより、終了条件が成立し、第１時短状態の制御が終了される。
【０１３３】
図６（Ｂ）のように、時短状態の開始時において、当該開始時に第１特別図柄の保留記憶が存在せず、１回目から第２特別図柄の変動表示が実行された場合には、１回目の変動表示において第２特別図柄の変動表示回数が１回実行されたことにより、時短状態の終了条件が成立し、時短状態の制御が終了される。
【０１３４】
４Ｒ時短大当りの大当り遊技状態終了後における第１時短状態の終了条件が、第２特別図柄の変動表示回数が１回実行されたか、または、第１特別図柄および第２特別図柄の変動表示の合計回数が５回実行されたときに成立するように設定されている。これにより、たとえば、図６（Ａ）に示すように、第１時短状態の開始時において第１特別図柄の保留記憶が存在しても、第１時短状態において、第１特別図柄の変動表示よりも遊技者にとって有利な第２特別図柄の変動表示が、第１時短状態の開始時において第１特別図柄の保留記憶が存在しない場合と同じ回数（１回）実行されたことにより、第１時短状態が終了する。
【０１３５】
また、たとえば、第１時短状態の開始時において最大４個の第１特別図柄の保留記憶が存在しても、第１時短状態において、その４個の保留記憶に基づく第１特別図柄の変動表示が実行された後、第１時短状態の開始時において第１特別図柄の保留記憶が存在しない場合と同じ回数（１回）実行されたことにより、第１時短状態が終了する。
【０１３６】
このように、４Ｒ時短大当りの大当り遊技状態終了後における第１時短状態の終了条件が、第２特別図柄の変動表示回数が１回実行されたか、または、第１特別図柄および第２特別図柄の変動表示の合計回数が５回実行されたときに成立するように設定されていることにより、第１時短状態の開始時における第１特別図柄の保留記憶があるときと、ないときとで、第１時短状態の制御期間中において、遊技者にとって有利な第２特別図柄の変動表示の実行可能回数が同じ回数となり得るので、時短状態（高ベース状態）における遊技者にとっての有利不利に差が出ることを防止し、遊技の公平性を担保することができる。
【０１３７】
図５、図６等に示すように、第１特別図柄および第２特別図柄の合計変動表示回数により規定される第１時短状態の終了条件が、第１保留記憶による変動表示が行なわれる最大回数（４回）と、第２特別図柄について予め定められた変動表示が実行される特定回数（１回）との合計回数に設定されているので、第１時短状態において、第１保留記憶による変動表示がある程度の回数行なわれても、第１保留記憶情報によって遊技者にとって有利不利に差が出ることを防止し、遊技の公平性を担保できる。
【０１３８】
また、図柄４Ｒ時短大当り以外の大当り種別については、前述した図柄４Ｒ時短大当りにおける時短状態での最小変動表示回数「１」を「７」に置換え、前述した図柄４Ｒ時短大当りにおける時短状態での最大変動表示回数「５」を「１１」に置換えたものである。したがって、図柄４Ｒ時短大当り以外の大当り種別でも、８Ｒ時短大当りの場合と同様に、図柄４Ｒ時短大当りの大当り遊技状態終了後の第１時短状態の開始時における第１特別
図柄の保留記憶数の有無および多少にかかわらず、同じ７回という第２特別図柄の変動表示が実行されるまで、第２時短状態が継続する。これにより、図柄４Ｒ時短大当り以外の大当り種別については、前述した図柄４Ｒ時短大当りについて得られる効果と同様の効果を得ることができる。
【０１３９】
図６に示すように、大当り後の時短（電サポ）回数が比較的少ない回数に設定される場合には、前述したように、大当り遊技状態終了直後の第１保留記憶情報の数によって遊技者に不利となるような時短（電サポ）回数とならないようにすることが好ましい。
【０１４０】
図７および図８は、遊技制御用マイクロコンピュータ５６０が送信する演出制御コマンドの内容の一例を示す説明図である。図７および図８においては、演出制御コマンドについて具体的なコマンドデータと、コマンドの名称およびコマンドの指定内容との関係が示されている。遊技制御用マイクロコンピュータ５６０においては、図７および図８に示すように、遊技制御状態に応じて、各種の演出制御コマンドを演出制御用マイクロコンピュータ１００へ送信する。
【０１４１】
図７および図８のうち、主なコマンドを説明する。コマンド８０ＸＸ（Ｈ）は、特別図柄の変動表示に対応して演出表示装置９において変動表示される変動パターンを指定する演出制御コマンド（変動パターンコマンド）である（それぞれ変動パターンＸＸに対応）。複数の変動パターンのそれぞれに対して一意な番号を付した場合に、その番号で特定される変動パターンのそれぞれに対応する変動パターンコマンドがある。「（Ｈ）」は１６進数であることを示す。また、変動パターンを指定する演出制御コマンドは、変動開始を指定するためのコマンドでもある。したがって、演出制御用ＣＰＵ１０１は、コマンド８０ＸＸ（Ｈ）を受信すると、演出表示装置において特別図柄の変動表示に対応した演出を開始するように制御する。
【０１４２】
コマンド８Ｃ０１（Ｈ）〜８Ｃ０６（Ｈ）は、はずれ表示結果、大当り種別、小当り種別ごとの大当り表示結果、および小当り表示結果を含む表示結果を示す表示結果指定コマンドである。
【０１４３】
コマンド８Ｄ０１（Ｈ）は、第１特別図柄の変動表示を開始することを示す第１図柄変動指定コマンドである。コマンド８Ｄ０２（Ｈ）は、第２特別図柄の変動表示を開始することを示す第２図柄変動指定コマンドである。コマンド８Ｆ００（Ｈ）は、第１，第２特別図柄の変動を終了することを指定する図柄確定指定コマンドである。
【０１４４】
コマンドＡ００１〜Ａ００５（Ｈ）は、大当りの種別ごとに大当り遊技状態の開始を指定する当り開始指定コマンドである。
【０１４５】
コマンドＡ１ＸＸ（Ｈ）は、ＸＸで示す回数目（ラウンド）の大入賞口開放中の表示を示す大入賞口開放中指定コマンドである。Ａ２ＸＸ（Ｈ）は、ＸＸで示す回数目（ラウンド）の大入賞口開放後（閉鎖）を示す大入賞口開放後指定コマンドである。
【０１４６】
コマンドＡ３０１〜Ａ３０５（Ｈ）は、大当りの種別ごとに大当り遊技状態の終了を指定する当り終了指定コマンドである。
【０１４７】
コマンドＡ４０１（Ｈ）は、第１始動入賞があったことを指定する第１始動入賞指定コマンドである。コマンドＡ４０２（Ｈ）は、第２始動入賞があったことを指定する第２始動入賞指定コマンドである。
【０１４８】
コマンドＢ０００（Ｈ）は、遊技状態が通常状態（低ベース状態）であることを指定す
る通常状態指定コマンドである。コマンドＢ００１（Ｈ）は、遊技状態が第１時短状態（高ベース状態）であることを指定する第１時短状態指定コマンドである。コマンドＢ００２（Ｈ）は、遊技状態が第２時短状態（高ベース状態）であることを指定する第２時短状態指定コマンドである。
【０１４９】
コマンドＣ０ＸＸ（Ｈ）は、第１保留記憶数を指定する第１保留記憶数指定コマンドである。コマンドＣ０ＸＸ（Ｈ）における「ＸＸ」が第１保留記憶数を示す。コマンドＣ１ＸＸ（Ｈ）は、第２保留記憶数を指定する第２保留記憶数指定コマンドである。コマンドＣ０ＸＸ（Ｈ）における「ＸＸ」が第２保留記憶数を示す。
【０１５０】
なお、この実施の形態では、遊技制御用マイクロコンピュータ５６０は、保留記憶数を減算する場合には、減算後の保留記憶数を指定する保留記憶数指定コマンドを送信するが、これに限らず、第１保留記憶数および第２保留記憶数のそれぞれについて、保留記憶数を１減算することを指定する保留記憶数減算指定コマンドを用いてもよい。
【０１５１】
コマンドＣ２ＸＸ（Ｈ）およびコマンドＣ３ＸＸ（Ｈ）は、第１始動入賞口１３または第２始動入賞口１４への始動入賞時における大当り判定、大当り種別判定、変動パターン種別判定等の入賞時判定結果の内容を示す演出制御コマンドである。このうち、コマンドＣ２ＸＸ（Ｈ）は、入賞時判定結果のうち、大当りとなるか否か、小当りとなるか否か、および、大当りの種別の判定結果を示す図柄指定コマンドである。また、コマンドＣ３ＸＸ（Ｈ）は、入賞時判定結果のうち、変動パターン種別判定用乱数の値がいずれの判定値の範囲となるかの判定結果（変動パターン種別の判定結果）を示す変動種別コマンドである。
【０１５２】
コマンドＣ４０１（Ｈ）は、第１小当りを開始することを指定するコマンドである。コマンドＣ４０２（Ｈ）は、第２小当りを開始することを指定するコマンドである。コマンドＣ４０３（Ｈ）は、第３小当りを開始することを指定するコマンドである。コマンドＣ５０１（Ｈ）は、第１小当りを開始することを指定するコマンドである。コマンドＣ５０２（Ｈ）は、第２小当りを開始することを指定するコマンドである。コマンドＣ５０３（Ｈ）は、第３小当りを開始することを指定するコマンドである。コマンドＣ６０１（Ｈ）は、Ｖ入賞があったことを指定するＶ入賞指定コマンドである。コマンドＣ６０２（Ｈ）は、Ｖ判定入賞装置８７への入賞球（Ｖ入賞球とＶ入賞球以外の入賞球との両方を含む）を検出したことを指定するＶ入賞球検出指定コマンドである。
【０１５３】
遊技制御用マイクロコンピュータ５６０においては、ＲＡＭ５５に、第１特別図柄の保留記憶情報を記憶するための第１保留記憶バッファが設けられている。第１保留記憶バッファには、第１保留記憶数の上限値（この例では４）に対応した保存領域が確保されている。第１保留記憶バッファには、ハードウェア乱数である大当り判定用乱数（ランダム１）、および、ソフトウェア乱数である大当り種別決定用乱数（ランダム２）、変動パターン種別判定用乱数（ランダム３）、および、変動パターン判定用乱数（ランダム４）が記憶される。
【０１５４】
第２特別図柄については、ＲＡＭ５５に、第２特別図柄の保留記憶情報を記憶するための第２保留記憶バッファが設けられている。第２保留記憶バッファには、第２保留記憶数の上限値（この例では４）に対応した保存領域が確保されている。第２保留記憶バッファには、ハードウェア乱数である大当り判定用乱数（ランダム１）、および、ソフトウェア乱数である大当り種別決定用乱数（ランダム２）、変動パターン種別判定用乱数（ランダム３）、および、変動パターン判定用乱数（ランダム４）が記憶される。
【０１５５】
第１始動入賞口１３への入賞に基づいて、ＣＰＵ５６は、乱数回路５０３およびソフト
ウェア乱数を生成するためのランダムカウンタのそれぞれから乱数値を抽出し、それらを、第１保留記憶バッファにおける保存領域に保存（格納）する処理を実行する。具体的に、第１始動入賞口１３への入賞に基づいて、これら乱数値が抽出されて第１保留記憶バッファに保存(記憶)される。また、第２始動入賞口１４への入賞に基づいて、ＣＰＵ５６は、乱数回路５０３およびソフトウェア乱数を生成するためのランダムカウンタのそれぞれから乱数値を抽出し、それらを、第２保留記憶バッファにおける保存領域に保存（格納）する処理を実行する。具体的に、第２始動入賞口１４への入賞に基づいて、これら乱数値が抽出されて第２保留記憶バッファに保存(記憶)される。
【０１５６】
このように保留記憶バッファに前述のような始動入賞に関する情報が記憶されることを「保留記憶される」と示す場合がある。なお、変動パターン種別判定用乱数（ランダム２）および変動パターン判定用乱数（ランダム４）は、始動入賞時において抽出して保留記憶バッファに予め格納しておくのではなく、後述する変動パターン設定処理（特別図柄の変動開始時）に抽出するようにしてもよい。
【０１５７】
次に、パチンコ遊技機１の動作について説明する。パチンコ遊技機１においては、主基板３１における遊技制御用マイクロコンピュータ５６０が予め定められたメイン処理を実行すると、所定時間（たとえば２ｍｓ）毎に定期的にタイマ割込がかかりタイマ割込処理が実行されることにより、各種の遊技制御が実行可能となる。
【０１５８】
メイン処理においては、たとえば、必要な初期設定処理、通常時の初期化処理、通常時以外の遊技状態復旧処理、乱数回路設定処理（乱数回路５０３を初期設定）、表示用乱数更新処理（変動パターンの種別決定、変動パターン決定等の各種乱数の更新処理）、および、初期値用乱数更新処理（普通図柄当り判定用乱数発生カウンタのカウント値の初期値の更新処理）等が実行される。
【０１５９】
図９は、タイマ割込処理を示すフローチャートである。タイマ割込が発生すると、ＣＰＵ５６は、図９に示すステップＳ（以下、単に「Ｓ」と示す）２０〜Ｓ３４のタイマ割込処理を実行する。タイマ割込処理において、まず、電源断信号が出力されたか否か（オン状態になったか否か）を検出する電源断検出処理を実行する（Ｓ２０）。次いで、入力ドライバ回路５８を介して、ゲートスイッチ３２ａ、第１始動入賞口スイッチ１３ａ、第２始動入賞口スイッチ１４ａ、カウントスイッチ２３、Ｖ入賞スイッチ８７ａ、Ｖ判定入賞スイッチ１５ａ、および、Ｖ判定排出スイッチ１５ｂの検出信号を入力し、それらの状態判定を行なう（スイッチ処理：Ｓ２１）。
【０１６０】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１６１】
また、遊技制御に用いられる普通図柄当り判定用乱数および小当り種別判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１６２】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順
序で制御するための特別図柄プロセスフラグにしたがって該当する処理を実行し、特別図柄プロセスフラグの値を、遊技状態に応じて更新する。
【０１６３】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行し、普通図柄プロセスフラグの値を、遊技状態に応じて更新する。
【０１６４】
また、ＣＰＵ５６は、演出制御用マイクロコンピュータ１００に演出制御コマンドを送出する処理を行なう（演出制御コマンド制御処理：Ｓ２８）。さらに、ＣＰＵ５６は、たとえばホール管理用コンピュータに供給される大当り情報、始動情報、確率変動情報等のデータを出力する情報出力処理を行なう（Ｓ２９）。
【０１６５】
また、ＣＰＵ５６は、第１始動入賞口スイッチ１３ａ、第２始動入賞口スイッチ１４ａおよび役物入賞スイッチ２５ａの検出信号に基づく賞球個数の設定等を行なう賞球処理を実行する（Ｓ３０）。
【０１６６】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１６７】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。
【０１６８】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。また、ＣＰＵ５６は、出力バッファに設定された表示制御データに応じて、Ｓ２２において駆動信号を出力することによって、普通図柄表示器１０における普通図柄の演出表示を実行する。
【０１６９】
その後、割込許可状態に設定し（Ｓ３４）、処理を終了する。以上の制御によって、この実施の形態では、遊技制御処理は所定時間毎に起動されることになる。
【０１７０】
図１０は、特別図柄プロセス処理（Ｓ２６）を示すフローチャートである。特別図柄プロセス処理では第１特別図柄表示器８ａまたは第２特別図柄表示器８ｂおよび大入賞口を制御するための処理が実行される。特別図柄プロセス処理においては、始動口スイッチ通過処理を実行する（Ｓ３１１）。そして、内部状態に応じて、Ｓ３００〜Ｓ３１０のうちのいずれかの処理を行なう。
【０１７１】
遊技制御用マイクロコンピュータ５６０において、ＲＡＭ５５には、前述したように、第１始動入賞口１３への始動入賞に基づいて得られる大当り判定用乱数等の保留記憶データ（第１保留記憶データ）が記憶される第１保留記憶バッファと、第２始動入賞口１４への始動入賞に基づいて得られる大当り判定用乱数等の保留記憶データ（第２保留記憶データ）が記憶される第２保留記憶バッファとが設けられている。これら各保留記憶バッファには、各保留記憶の記憶数の上限値（第１保留記憶データでは４、第２保留記憶データでは４）に対応した保存領域が確保されている。
【０１７２】
始動口スイッチ通過処理では、第１始動口スイッチ１３ａがオンしていれば、第１保留
記憶数が上限値（たとえば、４）に達していないことを条件として、第１保留記憶データの記憶数を計数する第１保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第１保留記憶バッファにおける保存領域に保存（格納）する処理を実行する。一方、第２始動口スイッチ１４ａがオンしていれば、第２保留記憶数が上限値（たとえば、４）に達していないことを条件として、第２保留記憶データの記憶数を計数する第２保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第２保留記憶バッファにおける保存領域に保存（格納）する処理を実行する。
【０１７３】
以下の保留記憶に関する説明に関しては、第１保留記憶バッファまたは第２保留記憶バッファに前述のような始動入賞に関する情報が記憶されることを「保留記憶される」と示す場合がある。また、第１保留記憶バッファに記憶される数値データを第１保留記憶情報と呼び、第２保留記憶バッファに記憶される数値データを第２保留記憶情報と呼ぶ場合がある。
【０１７４】
Ｓ３００〜Ｓ３０７の処理は、以下のような処理である。
特別図柄通常処理（Ｓ３００）は、変動表示の表示結果を小当りとするか否かの決定、および、小当りとする場合の小当り種別の決定等を行なう処理である。変動パターン設定処理（Ｓ３０１）は、変動パターンの決定および変動時間タイマの計時開始等の制御を行なう処理である。
【０１７５】
表示結果指定コマンド送信処理（Ｓ３０２）は、演出制御用マイクロコンピュータ１００に、表示結果指定コマンドを送信する制御を行なう処理である。特別図柄変動中処理（Ｓ３０３）は、変動パターン設定処理で選択された変動パターンの変動時間が経過すると、特別図柄停止処理にプロセスを進める処理である。特別図柄停止処理（Ｓ３０４）は、決定された変動パターンに対応する変動時間の経過が変動時間タイマにより計時されたときに第１特別図柄表示器８ａまたは第２特別図柄表示器８ｂにおける変動表示を停止して停止図柄を導出表示させる処理である。
【０１７６】
大入賞口開放前処理（Ｓ３０５）は、大当り遊技状態となったときに、大当り可変入賞球装置２０において大入賞口を開放する制御等を行なう処理である。大入賞口開放中処理（Ｓ３０６）は、大当り遊技状態中のラウンド表示の演出制御コマンドを演出制御用マイクロコンピュータ１００に送信する制御や大入賞口の閉成条件の成立を確認する処理等を行なう処理である。大入賞口の閉成条件が成立し、かつ、まだ残りラウンドがある場合には、大当り終了処理に移行する。大当り終了処理（Ｓ３０７）は、大当り遊技状態の終了時の表示制御を演出制御用マイクロコンピュータ１００に行なわせるための制御等を行なう処理である。
【０１７７】
小当り開放前処理（Ｓ３０８）は、小当り遊技状態となったときに、Ｖ判定入賞装置８７において作動口を開放する制御等を行なう処理である。小当り開放中処理（Ｓ３０９）は、Ｖ判定入賞装置８７内のＶ入賞領域８７０に遊技球がＶ入賞したか否かを確認し、Ｖ入賞したときにＶ入賞指定コマンドを送信する処理、および、小当りの終了タイミングとなったときに小当り終了指定コマンドを送信する処理等の処理を行なう処理である。
【０１７８】
小当り終了処理（Ｓ３１０）は、大当り可変入賞球装置２０内のＶ入賞領域８７０に遊技球がＶ入賞したときに、大当り遊技状態に移行させるための処理（大当り開始指定コマンドの送信、大当り表示時間の設定、大当り開放態様の設定、大入賞口開放前処理のプロ
セスフラグの移行設定等）を実行し、一方、当該Ｖ入賞がされていないときに、大当り遊技状態に移行させずに、特別図柄通常処理（Ｓ３００）に移行させるための処理を実行する処理である。
【０１７９】
図１１は、Ｓ３１２の始動口スイッチ通過処理を示すフローチャートである。始動口スイッチ通過処理において、ＣＰＵ５６は、まず、第１始動口スイッチ１３ａがオン状態であるか否かを確認する（Ｓ１２１１）。第１始動口スイッチ１３ａがオン状態でなければ、Ｓ１２２１に移行する。第１始動口スイッチ１３ａがオン状態であれば、ＣＰＵ５６は、第１保留記憶数が上限値に達しているか否か（具体的には、第１保留記憶数をカウントするための第１保留記憶数カウンタの値が４であるか否か）を確認する（Ｓ１２１２）。第１保留記憶数が上限値に達していれば、Ｓ１２２１に移行する。
【０１８０】
第１保留記憶数が上限値に達していなければ、ＣＰＵ５６は、第１保留記憶数カウンタの値を１増やす（Ｓ１２１３）。次いで、ＣＰＵ５６は、乱数回路５０３やソフトウェア乱数を生成するためのカウンタから値を抽出し、それらを、第１保留記憶バッファにおける保存領域に格納する処理を実行する（Ｓ１２１４）。Ｓ１２１４の処理では、大当り判定用乱数（ランダムＲ）、大当り種別決定用乱数（ランダム１）、変動パターン種別判定用乱数（ランダム２）、および、変動パターン判定用乱数（ランダム３）が抽出され、保存領域に格納される。
【０１８１】
次いで、ＣＰＵ５６は、検出した第１特別図柄の始動入賞に基づく変動がその後実行されたときの変動表示結果や変動パターン種別を始動入賞時に予め判定する入賞時演出処理を実行する（Ｓ１２１５）。
【０１８２】
この実施の形態では、第１始動入賞口１３または第２始動入賞口１４への始動入賞が発生し、当該始動入賞時に得られた各種データが保留記憶情報として記憶された後、変動表示の開始条件が成立すると、変動表示を開始するタイミングにおいて、特別図柄通常処理（Ｓ３００）で、当該保留記憶情報に基づき、変動表示を開始する特別図柄（第１特別図柄または第２特別図柄）について、変動表示結果を大当り表示結果とするか否かの決定、および、大当り種別の決定を、前述した各種乱数値に対応して設定された大当り判定値、および、大当り種別判定値に基づいて行なう。そして、変動パターン設定処理（Ｓ３０１）において変動パターン（変動パターン種別の決定も含む）の決定を、前述した各種乱数値に対応して設定された変動パターン種別判定値、および、変動パターン判定値に基づいて行なう。
【０１８３】
一方、このような決定とは別に、第１始動入賞口１３または第２始動入賞口１４への始動入賞に基づく変動表示が開始される前のタイミング、具体的には、遊技球が第１始動入賞口１３または第２始動入賞口１４に始動入賞したタイミング（保留記憶情報が記憶されたタイミング）で、その始動入賞時に得られた各種データを記憶した保留記憶情報を先読みし、その先読みした保留記憶情報に基づいて、予め大当りとなるか否かの決定、小当りとなるか否かの決定、大当りの種別の決定、および、変動パターン種別の決定を、前述した各種乱数値に対応して設定された大当り判定値、大当り種別判定値、および、変動パターン種別判定値に基づいて先読み判定する入賞時演出処理を実行する。そのようにすることによって、演出制御用マイクロコンピュータ１００では、演出図柄の変動表示が実行されるよりも前に予め変動表示結果を予測し、始動入賞時の各種判定結果に基づいて、演出図柄の変動表示中に大当りとなること（大当りとなる可能性）を予告する先読み予告等の先読み演出を実行することが可能である。
【０１８４】
そして、ＣＰＵ５６は、入賞時演出処理の判定結果に基づいて、図柄指定コマンドを演出制御用マイクロコンピュータ１００に送信する制御を行なう（Ｓ１２１６）とともに、
変動種別コマンドを演出制御用マイクロコンピュータ１００に送信する制御を行なう（Ｓ１２１７）。また、ＣＰＵ５６は、第１始動入賞指定コマンドを演出制御用マイクロコンピュータ１００に送信する制御を行なう（Ｓ１２１８）とともに、第１保留記憶数カウンタの値をＥＸＴデータに設定して第１保留記憶数指定コマンドを演出制御用マイクロコンピュータ１００に送信する制御を行なう（Ｓ１２１９）。
【０１８５】
Ｓ１２１６，Ｓ１２１７の処理を実行することによって、この実施の形態では、遊技状態（高確率状態、低確率状態、高ベース状態、低ベース状態、大当り遊技状態等の遊技状態）にかかわらず、第１始動入賞口１３に始動入賞するごとに、必ず図柄指定コマンドおよび変動種別コマンドの両方が、演出制御用マイクロコンピュータ１００に送信される。
【０１８６】
また、この実施の形態では、Ｓ１２１６〜Ｓ１２１９の処理が実行されることによって、第１始動入賞口１３への始動入賞が発生したときに、図柄指定コマンド、変動種別コマンド、第１始動入賞指定コマンドおよび第１保留記憶数指定コマンドの４つのコマンドのセットが１タイマ割込内に一括して送信される。
【０１８７】
次いで、ＣＰＵ５６は、第２始動口スイッチ１４ａがオン状態であるか否かを確認する（Ｓ１２２１）。第２始動口スイッチ１４ａがオン状態でなければ、そのまま処理を終了する。第２始動口スイッチ１４ａがオン状態であれば、ＣＰＵ５６は、第２保留記憶数が上限値に達しているか否か（具体的には、第２保留記憶数をカウントするための第２保留記憶数カウンタの値が４であるか否か）を確認する（Ｓ１２２２）。第２保留記憶数が上限値に達していれば、そのまま処理を終了する。
【０１８８】
第２保留記憶数が上限値に達していなければ、ＣＰＵ５６は、第２保留記憶数カウンタの値を１増やす（Ｓ１２２３）。次いで、ＣＰＵ５６は、乱数回路５０３やソフトウェア乱数を生成するためのカウンタから値を抽出し、それらを、第２保留記憶バッファにおける保存領域に格納する処理を実行する（Ｓ１２２４）。Ｓ１２２４の処理では、大当り判定用乱数（ランダム１）、大当り種別決定用乱数（ランダム２）、変動パターン種別判定用乱数（ランダム３）、および、変動パターン判定用乱数（ランダム４）が抽出され、保存領域に格納される。
【０１８９】
次いで、ＣＰＵ５６は、検出された第２特別図柄の始動入賞について、Ｓ１２１５で説明したような入賞時演出処理と同様の入賞時演出処理を実行する（Ｓ１２２５）。そして、ＣＰＵ５６は、入賞時演出処理の判定結果に基づいて図柄指定コマンドを演出制御用マイクロコンピュータ１００に送信する制御を行なう（Ｓ１２２６）とともに、変動種別コマンドを演出制御用マイクロコンピュータ１００に送信する制御を行なう（Ｓ１２２７）。また、ＣＰＵ５６は、第２始動入賞指定コマンドを演出制御用マイクロコンピュータ１００に送信する制御を行なう（Ｓ１２２８）とともに、第２保留記憶数カウンタの値をＥＸＴデータに設定して第２保留記憶数指定コマンドを演出制御用マイクロコンピュータ１００に送信する制御を行なう（Ｓ１２２９）。
【０１９０】
Ｓ１２２６，Ｓ１２２７の処理を実行することによって、この実施の形態では、遊技状態（高確率状態、低確率状態、高ベース状態、低ベース状態、大当り遊技状態等の遊技状態）にかかわらず、第２始動入賞口１４に始動入賞するごとに、必ず図柄指定コマンドおよび変動種別コマンドの両方を演出制御用マイクロコンピュータ１００に対して送信する。
【０１９１】
また、この実施の形態では、Ｓ１２２６〜Ｓ１２２９の処理が実行されることによって、第２始動入賞口１４への始動入賞が発生したときに、図柄指定コマンド、変動種別コマンド、第２始動入賞指定コマンドおよび第２保留記憶数指定コマンドの４つのコマンドの
セットが１タイマ割込内に一括して送信される。
【０１９２】
図１２は、特別図柄プロセス処理における特別図柄通常処理（Ｓ３００）を示すフローチャートである。特別図柄通常処理において、ＣＰＵ５６は、第１保留記憶バッファまたは第２保留記憶バッファに保留記憶データがあるかどうかを確認する（Ｓ５１）。第１保留記憶バッファおよび第２保留記憶バッファのどちらにも保留記憶データがない場合には、処理を終了する。
【０１９３】
Ｓ５１で保留記憶バッファに保留記憶データがない場合には、客待ちデモ指定コマンドを送信するための処理（Ｓ８０）を行なった後、処理を終了する。一方、Ｓ５１で第１保留記憶バッファまたは第２保留記憶バッファに保留記憶データがあるときには、ＣＰＵ５６は、第２保留記憶バッファの方に保留記憶データがあるか否か確認する（Ｓ５２）。第２保留記憶バッファに保留記憶データがあれば、特別図柄ポインタ（第１特別図柄について特別図柄プロセス処理を行なっているのか第２特別図柄について特別図柄プロセス処理を行なっているのかを示すフラグ）に「第２」を示すデータを設定する（Ｓ５４）。一方、第２保留記憶バッファに保留記憶データがなければ、特別図柄ポインタに「第１」を示すデータを設定する（Ｓ５３）。
【０１９４】
この実施の形態では、以下、特別図柄ポインタに「第１」を示すデータが設定されたか「第２」を示すデータが設定されたかに応じて、第１特別図柄表示器８ａにおける第１特別図柄の変動表示と、第２特別図柄表示器８ｂにおける第２特別図柄の変動表示とを、共通の処理ルーチンを用いて実行する。特別図柄ポインタに「第１」を示すデータが設定されたときには、第１保留記憶バッファに記憶された保留記憶データに基づいて、第１特別図柄表示器８ａにおける第１特別図柄の変動表示が行なわれる。一方、特別図柄ポインタに「第２」を示すデータが設定されたときには、第２保留記憶バッファに記憶された保留記憶データに基づいて、第２特別図柄表示器８ｂにおける第２特別図柄の変動表示が行なわれる。
【０１９５】
Ｓ５２〜Ｓ５４の制御により、第２保留記憶バッファ内に第２保留記憶のデータが１つでも存在すれば、その第２保留記憶のデータに基づいた第２特別図柄表示器８ｂの変動表示が、第１保留記憶のデータに基づいた第１特別図柄表示器８ａの変動表示に優先して実行される。
【０１９６】
次いで、ＣＰＵ５６は、ＲＡＭ５５において、特別図柄ポインタが示す方の保留記憶数＝１に対応する保存領域に格納されている各乱数値を読出してＲＡＭ５５の保留記憶バッファに格納する（Ｓ５５）。具体的には、ＣＰＵ５６は、特別図柄ポインタが「第１」を示している場合には、第１保留記憶バッファにおける第１保留記憶数＝１に対応する保存領域に格納されている各乱数値を読出してＲＡＭ５５の乱数バッファに格納する。また、ＣＰＵ５６は、特別図柄ポインタが「第２」を示している場合には、第２保留記憶バッファにおける第２保留記憶数＝１に対応する保存領域に格納されている各乱数値を読出してＲＡＭ５５の乱数バッファに格納する。
【０１９７】
そして、ＣＰＵ５６は、特別図柄ポインタが示す方の保留記憶数カウンタのカウント値を１減算し、かつ、各保存領域の内容をシフトする（Ｓ５６）。具体的には、ＣＰＵ５６は、特別図柄ポインタが「第１」を示している場合には、第１保留記憶数カウンタのカウント値を１減算し、かつ、第１保留記憶バッファにおける各保存領域の内容をシフトする。また、特別図柄ポインタが「第２」を示している場合に、第２保留記憶数カウンタのカウント値を１減算し、かつ、第２保留記憶バッファにおける保存領域の内容を消去する。
【０１９８】
すなわち、ＣＰＵ５６は、特別図柄ポインタが「第１」を示している場合に、ＲＡＭ５
５の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示している場合に、ＲＡＭ５５の第２保留記憶バッファにおいて第１保留記憶数＝ｎ（ｎ＝２，３，４）に対応する保存領域に格納されている各乱数値を、第１保留記憶数＝ｎ−１に対応する保存領域に格納する。
【０１９９】
よって、各第１保留記憶数に対応するそれぞれの保存領域に格納されている各乱数値が抽出された順番は、常に、第１保留記憶数＝１，２，３，４の順番と一致するようになっている。また、各第２保留記憶数に対応するそれぞれの保存領域に格納されている各乱数値が抽出された順番は、常に、第２保留記憶数＝１，２，３，４の順番と一致するようになっている。
【０２００】
また、ＣＰＵ５６は、減算後の特別図柄ポインタが示す方の保留記憶数カウンタの値に基づいて、特別図柄ポインタが示す方の保留記憶数指定コマンドを演出制御用マイクロコンピュータ１００に送信する制御を行なう（Ｓ５９）。この場合、特別図柄ポインタに「第１」を示す値が設定されている場合には、ＣＰＵ５６は、第１保留記憶数指定コマンドを送信する制御を行なう。また、特別図柄ポインタに「第２」を示す値が設定されている場合には、ＣＰＵ５６は、第２保留記憶数指定コマンドを送信する制御を行なう。
【０２０１】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、Ｓ３００〜Ｓ３０７の処理を、第１特別図柄を対象とする場合と第２特別図柄を対象とする場合とで共通化することができる。
【０２０２】
次いで、ＣＰＵ５６は、乱数バッファからランダム１（大当り判定用乱数）を読出し、大当り判定モジュールを実行する（Ｓ６１）。この場合、ＣＰＵ５６は、始動口スイッチ通過処理のＳ１２１４や始動口スイッチ通過処理のＳ１２２４で抽出し保留記憶バッファや乱数バッファに格納した大当り判定用乱数を読出し、大当り判定を行なう。大当り判定モジュールは、予め決められている大当り判定値（図５参照）や小当り判定値（図５参照）と大当り判定用乱数とを比較し、それらが一致したら大当りや小当りとすることに決定する処理を実行するプログラムである。すなわち、大当り判定の処理や小当り判定の処理を実行するプログラムである。
【０２０３】
大当り判定の処理では、第１特別図柄については図５（Ａ）に示すいずれかの大当り判定値に一致すると、第２特別図柄については図５（Ｂ）に示すいずれかの大当り判定値に一致すると、特別図柄に関して大当りとすることに決定する。大当りとすることに決定した場合には（Ｓ６０のＹ）、Ｓ７１に移行する。大当りとするか否か決定するということは、大当り遊技状態に移行させるか否か決定するということであるが、特別図柄表示器における停止図柄を大当り図柄とするか否か決定するということでもある。
【０２０４】
Ｓ６１で大当りとすることに決定した場合には（Ｓ６１のＹ）、大当りであることを示す大当りフラグをセットする（Ｓ７１）。
【０２０５】
次に、特別図柄ポインタが「第１」を示しているか否かを判定する（Ｓ７２）。特別図柄ポインタが「第１」のときは、図５（Ｃ）の第１特図大当り種別判定テーブルを選択し（Ｓ７３）、Ｓ７５に進む。一方、特別図柄ポインタが「第１」を示していない場合（「
第２」を示している場合）は、図５（Ｄ）の第２特図大当り種別判定テーブルを選択し（Ｓ７４）、Ｓ７５に進む。
【０２０６】
Ｓ７５では、Ｓ７３またはＳ７４で選択した大当り種別判定テーブルを用いて、乱数バッファ領域に格納された大当り種別判定用の乱数（ランダム１）の値と一致する値に対応した大当り種別を大当りの種別に決定し（Ｓ７５）、Ｓ８１に進む。
【０２０７】
また、Ｓ６１で大当り判定用乱数（ランダム１）の値がいずれの大当り判定値にも一致しなければ（Ｓ６１のＮ）、特別図柄ポインタに設定されているデータが「第２」を示すデータであるか否かを確認することにより、大当り判定対象が第２特別図柄の変動表示であるか否か確認する（Ｓ７６）。Ｓ７６で特別図柄ポインタに設定されているデータが「第２」を示すデータでない（第１特別図柄の変動表示である）ときは、後述するＳ８２に進む。一方、Ｓ７６で特別図柄ポインタに設定されているデータが「第２」を示すデータである（第２特別図柄の変動表示である）ときは、図５（Ｂ）の第２特図当り判定テーブルを使用して、大当り判定用乱数（ランダム１）の値がいずれの小当り判定値に一致するか否かを判定することにより、小当り判定の処理を行なう（Ｓ７６）。すなわち、大当り判定用乱数（ランダム１）の値が図５（Ｂ）に示すいずれかの小当り判定値に一致すると（Ｓ７６のＹ）、第２特別図柄に関して小当りとすることに決定する。そして、小当りとすることに決定した場合には（Ｓ７７Ｙ）、小当りであることを示す小当りフラグをセットする（Ｓ７８）。
【０２０８】
小当りフラグをセットした後は、図５（Ｅ）の小当り経由大当り種別判定テーブルを選択し（Ｓ７９）、乱数バッファ領域に格納された大当り種別判定用の乱数（ランダム１）の値と一致する値に対応した大当り種別を小当り経由大当りの種別として決定する（Ｓ８０）。そして、Ｓ８１に移行する。一方、Ｓ７７で小当り判定用乱数（ランダム１）の値がいずれの小当り判定値にも一致しなければ（Ｓ７７のＮ）、後述するＳ８２に移行する。
【０２０９】
Ｓ８１では、Ｓ７５またはＳ８０で決定した大当りの種別を示すデータをＲＡＭ５５における大当り種別バッファに記憶し（Ｓ８１）、Ｓ８２に進む。たとえば、大当り種別が「図柄１５Ｒ時短大当り」の場合には大当り種別を示すデータとして大当り種別バッファに「０１」が設定され、大当り種別が「図柄４Ｒ時短大当り」の場合には大当り種別を示すデータとして大当り種別バッファに「０２」が設定される。一方、大当り種別が「小当り経由１６（１５）Ｒ時短大当り」の場合には大当り種別を示すデータとして大当り種別バッファとは別の仮大当り種別バッファに「０３」が設定される。大当り種別が小当り経由９（８）Ｒ時短大当りの場合には大当り種別を示すデータとして仮大当り種別バッファに「０４」が設定される。大当り種別が小当り経由５（４）Ｒ時短大当りの場合には大当り種別を示すデータとして仮大当り種別バッファに「０５」が設定される。これらのうち、小当り経由１６（１５）Ｒ時短大当り、小当り経由９（８）Ｒ時短大当り、および、小当り経由５（４）Ｒ時短大当りを示すデータは、小当り遊技状態においてＶ入賞が生じなければ大当りが発生せずに無効となるデータあり、仮設定される。
【０２１０】
Ｓ８２では、特別図柄の停止図柄を設定する（Ｓ７８）。具体的には、大当りフラグおよび小当りフラグのいずれもセットされていない場合には、はずれ図柄となる「−」を特別図柄の停止図柄に設定する。小当りフラグがセットされている場合には、Ｓ８０で選択決定した小当り種別に応じた小当り図柄となる「１」、「５」、「９」のいずれかを特別図柄の停止図柄に決定する。大当りフラグがセットされている場合には、Ｓ７５で選択決定した大当り種別に応じた大当り図柄となる「３」、「７」のいずれかを特別図柄の停止図柄に決定する。そして、特別図柄プロセスフラグの値を変動パターン設定処理（Ｓ３０１）に対応した値に更新する（Ｓ７９）。
【０２１１】
図１３は、特別図柄プロセス処理における特別図柄停止処理（Ｓ３０４）を示すフローチャートである。
【０２１２】
特別図柄停止処理において、ＣＰＵ５６は、Ｓ３２の特別図柄表示制御処理で参照される終了フラグをセットして特別図柄の変動表示を終了させ、第１特別図柄表示器８ａまたは第２特別図柄表示器８ｂに停止図柄を導出表示する制御を行なう（Ｓ１３１）。特別図柄ポインタに「第１」を示すデータが設定されている場合には第１特別図柄表示器８ａでの第１特別図柄の変動を終了させ、特別図柄ポインタに「第２」を示すデータが設定されている場合には第２特別図柄表示器８ｂでの第２特別図柄の変動を終了させる。また、演出制御用マイクロコンピュータ１００に送信する図柄確定指定コマンドをセットする（Ｓ１３２）。これにより、図柄確定指定コマンドが図６のＳ２８において、演出制御用マイクロコンピュータ１００に送信される。そして、大当りフラグがセットされていない場合には、Ｓ１３９に移行する（Ｓ１３３）。
【０２１３】
図柄１５Ｒ時短大当りまたは図柄４Ｒ時短大当りとすることが決定されたときのように、大当りフラグがセットされている場合、ＣＰＵ５６は、時短状態に制御されるときにセットされるフラグである時短フラグがセットされているときには、その時短フラグをリセットし（Ｓ１３４）、演出制御用マイクロコンピュータ１００に、決定された大当りの種別に応じて、大当り開始１指定コマンド、または、大当り開始２指定コマンドのいずれかのコマンド（大当り開始指定コマンド）を送信するための処理をする（Ｓ１３５）。
【０２１４】
これにより、セットされた大当り開始指定コマンドが図９のＳ２８において、演出制御用マイクロコンピュータ１００に送信される。具体的には、大当りの種別が図柄４Ｒ時短大当りである場合には、大当り開始１指定コマンドを送信する。大当りの種別が図柄１５Ｒ時短大当りである場合には大当り開始２指定コマンドを送信する。大当りの種別がいずれの種別に該当するかは、ＲＡＭ５５に記憶されている大当り種別を示すデータ（大当り種別バッファに記憶されているデータ）に基づいて判定される。
【０２１５】
また、大入賞口制御タイマに、大当り表示時間（大当りが発生したことをたとえば、演出表示装置９において報知する時間）に相当する値を設定する（Ｓ１３６）。以降、大入賞口開放前処理において、大入賞口制御タイマが１減算されて、０になると大入賞口が開放されてラウンドが開始される。
【０２１６】
また、ＲＡＭ５５に記憶されている大当り種別を示すデータにより特定される大当りの種別に応じて、前述したＲＯＭ５４に記憶されている大当り種類別の開放パターンデータを参照し、開放回数（たとえば、１５回、または、４回）、開放時間（たとえば、２９秒）、ラウンド間のインターバル時間（たとえば、５秒）等の開放態様を示すデータを所定の記憶領域にセット（設定）する（Ｓ１３７）。このようなデータのうち、開放回数のデータは、開放回数を計数するための開放回数カウンタにセットされる。そして、特別図柄プロセスフラグの値を大入賞口開放前処理（Ｓ３０５）に対応した値に更新し（Ｓ１３８）、処理を終了する。これにより、特別図柄プロセスは、大入賞口開放前処理に移行する。
【０２１７】
また、前述のＳ１３３で大当りフラグがセットされていない場合に、ＣＰＵ５６は、小当りフラグがセットされているか否かを確認する（Ｓ１３９）。Ｓ１３９で小当りフラグがセットされているときは、ＲＯＭ５４に記憶されている小当りの開放パターンデータを参照し、小当りの開放制御に用いる小当り開放制御タイマの設定を含む開放回数（たとえば、１０回）、開放時間（たとえば、０．１秒）、および、開放間のインターバル時間等の開放態様を示すデータを特定の記憶領域にセット（設定）する（Ｓ１４０）。そして、
特別図柄プロセスフラグの値を小当り開放前処理（Ｓ３０８）に対応した値に更新し（Ｓ１４１）、処理を終了する。これにより、特別図柄プロセスは、小当り開放前処理に移行する。
【０２１８】
一方、Ｓ１３９で小当りフラグがセットされていないときは、第１時短状態または第２時短状態による時短状態であることを示す時短フラグがセットされているか否かを確認する（Ｓ１４２）。Ｓ１４２で、時短フラグがセットされていないときは、時短状態ではないので、後述するＳ１５２に進む。一方、Ｓ１４２で、時短フラグがセットされているときは、時短状態であるので、時短状態における第１特別図柄の変動表示回数と第２特別図柄の変動表示回数との合計値を計数するための計数手段としての合計時短回数カウンタを−１減算更新する（Ｓ１４３）。
【０２１９】
Ｓ１４３で減算更新する合計時短回数カウンタは、図１４の大当り終了処理において、４Ｒ図柄時短大当り後の第１時短状態に制御されるときにはＳ１６５により５回にセットされ、４Ｒ図柄時短大当り以外の種別の大当り後の第２時短状態に制御されるときにはＳ１６８により１１回にセットされ、Ｓ１４３により、はずれ表示結果となる変動表示が１回実行されるごとに減算更新される。合計時短回数カウンタは、第１時短状態の終了条件の成立の有無の判断と、第２時短状態の終了条件の成立の有無の判断との両方の判断をするために用いられる。
【０２２０】
次に、特別図柄ポインタが「第２」を示すデータであるか否かを確認することに基づいて、第２特別図柄の変動表示の終了時であるか否かを確認する（Ｓ１４５）。Ｓ１４５で、第２特別図柄ではなく、第１特別図柄の変動表示の終了時であるときは、後述するＳ１４８に進む。一方、Ｓ１４５で、第２特別図柄の変動表示の終了時であるときは、特図２時短回数カウンタを−１減算更新する（Ｓ１４６）。Ｓ１４６で減算更新する特図２時短回数カウンタは、大当り遊技終了後に第１時短状態または第２時短状態に制御されたときの第２特別図柄の変動表示回数を計数する計数手段である。特図２時短回数カウンタは、図１４の大当り終了処理において、第１時短状態に制御されるときにＳ１６５により５回にセットされ、第２時短状態に制御されるときにＳ１６８により１１回にセットされる。特図２時短回数カウンタは、Ｓ１４６により、第２特別図柄がはずれ表示結果となる変動表示が１回実行されるごとに減算更新される。
【０２２１】
次に、Ｓ１４６で更新された特図２時短回数カウンタの計数値が「０」になったか否かを確認する（Ｓ１４７）。Ｓ１４７で、特図２時短回数カウンタの計数値が「０」になったときは、第１時短状態の終了条件の１つが成立したとき、または、第２時短状態の終了条件の１つが成立したときであるので、実行中の第１時短状態または第２時短状態を終了させるために、後述するＳ１４９に進む。一方、Ｓ１４７で、特図２時短回数カウンタの計数値が「０」になっていないときは、第１時短状態の終了条件の他の１つの終了条件が成立しているか否かを確認するために、Ｓ１４８に進む。
【０２２２】
Ｓ１４８では、時短状態における第１特別図柄および第２特別図柄の合計の変動表示回数に基づいて、実行中の第１時短状態または第２時短状態の終了条件が成立したか否かを確認するために、Ｓ１４３で減算更新された合計時短回数カウンタの計数値が「０」になったか否かを確認する（Ｓ１４８）。Ｓ１４８で、合計時短回数カウンタの計数値が「０」になっていないときは、後述するＳ１５２に進む。一方、Ｓ１４８で、合計時短回数カウンタの計数値が「０」になっているときは、Ｓ１４９に進む。
【０２２３】
Ｓ１４９，Ｓ１５０は、第１時短状態と第２時短状態とのそれぞれにおいて、Ｓ１４７により第２特別図柄の変動表示回数が終了条件の回数となったと判定されたときと、Ｓ１４８により第１特別図柄および第２特別図柄の合計の変動表示回数が終了条件の回数とな
ったと判定されたときとのいずれかのときに、実行中の第１時短状態または第２時短状態を終了させるために実行される。
【０２２４】
Ｓ１４９では、セットされている時短フラグをリセットする（Ｓ１４９）。次に、Ｓ１５０では、セットされている時短回数カウンタをリセットする（Ｓ１５０）。そして、時短状態での変動表示回数に基づいて時短条件が終了したことに応じて、通常状態指定コマンドを演出制御用マイクロコンピュータ１００に送信するための処理をし（Ｓ１５１）、Ｓ１５２に進む。
【０２２５】
Ｓ１５２では、特別図柄プロセスフラグの値を特別図柄通常処理（Ｓ３００）に対応した値に更新し（Ｓ１５２）、処理を終了する。これにより、特別図柄プロセスは、特別図柄通常処理に移行する。
【０２２６】
このような特別図柄停止処理においては、Ｓ１４２〜Ｓ１５１により、第１時短状態のときは、第２特別図柄の１回のはずれ変動表示の実行と、第１特別図柄および第２特別図柄の合計５回のはずれ変動表示の実行とのいずれかが成立したときに、第１時短状態を終了させる処理が行なわれる。また、Ｓ１４２〜Ｓ１５１により、第２時短状態のときは、第２特別図柄の７回のはずれ変動表示の実行と、第１特別図柄および第２特別図柄の合計１１回のはずれ変動表示の実行とのいずれかが成立したときに、第２時短状態を終了させる処理が行なわれる。
【０２２７】
図１４は、特別図柄プロセス処理における大当り終了処理を示すフローチャートである。大当り終了処理において、ＣＰＵ５６は、大当り終了処理が実行される前にセットされた大入賞口制御タイマの値を１減算する（Ｓ１６１）。そして、ＣＰＵ５６は、大入賞口制御タイマの値が０になっているか否か、すなわち大当り終了時間が経過したか否か確認する（Ｓ１６２）。経過していなければ処理を終了する。一方、経過していれば、今回の大当り遊技状態において、ＲＡＭ５５における大当り種別バッファに設定した大当り種別を示すデータに基づいて、終了する大当りの種別が８Ｒ時短大当りであるか否かを確認する（Ｓ１６３）。
【０２２８】
Ｓ１６３により終了する大当りの種別が図柄４Ｒ時短大当りであるときは、第１時短状態に制御するために、第１時短状態の終了条件として、特図２時短回数カウンタに「１」（第２特別図柄の変動表示１回対応）のデータをセットし（Ｓ１６４）、合計時短回数カウンタに「５」（第１特別図柄および第２特別図柄の合計変動表示５回対応）のデータをセットする（Ｓ１６５）。そして、第１時短状態指定コマンドを演出制御用マイクロコンピュータ１００に送信するための処理を行ない（Ｓ１６７）、Ｓ１７０に進む。
【０２２９】
Ｓ１６３により終了する大当りの種別が図柄４Ｒ時短大当りでないときは、終了する大当りの種別が図柄４Ｒ時短大当り以外の大当り種別であるときであり、第２時短状態に制御するために、第２時短状態の終了条件として、特図２時短回数カウンタに「７」（第２特別図柄の変動表示１回対応）のデータをセットし（Ｓ１６７）、合計時短回数カウンタに「１１」（第１特別図柄および第２特別図柄の合計変動表示１１回対応）のデータをセットする（Ｓ１６８）。そして、第２時短状態指定コマンドを演出制御用マイクロコンピュータ１００に送信するための処理を行ない（Ｓ１６９）、Ｓ１７０に進む。
【０２３０】
Ｓ１７０では、第１時短状態または第２時短状態に制御するために、時短フラグをセットする（Ｓ１７０）。第１時短状態に制御するときには、第１時短フラグをセットする。一方、第２時短状態に制御するときには、第２時短フラグをセットする。そして、大当り遊技状態の終了に応じて、特別図柄プロセスフラグの値を特別図柄通常処理（Ｓ３００）に対応した値に更新し（Ｓ１７１）、処理を終了する。これにより、特別図柄プロセスは
、特別図柄通常処理に移行する。
【０２３１】
これにより、図柄４Ｒ時短大当りの大当り遊技状態の終了後に第１時短状態に制御され、図柄４Ｒ時短大当り以外の大当り種別の大当り遊技状態の終了後に第２時短状態に制御される。そして、第１時短状態および第２時短状態のそれぞれの終了条件は、第２特別図柄のみの変動表示回数と、第１特別図柄および第２特別図柄の合計変動表示開放回数とにより個別に規定される。
【０２３２】
このような大当り終了処理においては、Ｓ１６４，Ｓ１６５により、図柄４Ｒ時短大当りの大当り遊技状態の終了後に、第２特別図柄の１回のはずれ変動表示の実行と、第１特別図柄および第２特別図柄の合計５回のはずれ変動表示の実行とのいずれかが成立するまで、第１時短状態に制御する設定がされる。また、Ｓ１６７，Ｓ１６８により、図柄４Ｒ時短大当り以外の大当り種別の大当り遊技状態の終了後に、第２特別図柄の７回のはずれ変動表示の実行と、第１特別図柄および第２特別図柄の合計１１回のはずれ変動表示の実行とのいずれかが成立するまで、第２時短状態に制御する設定がされる。
【０２３３】
図１５は、小当り開放前処理（Ｓ３０８）を示すフローチャートである。小当り開放前処理において、ＣＰＵ５６は、図１３のＳ１４０で設定された小当りの開放態様に基づき、ソレノイド２２を制御することで可動部８７２を開放状態に動作させ、Ｖ判定入賞装置８７の作動口の開放動作を開始させる（Ｓ４１１）。次に、ＣＰＵ５６は、小当り遊技状態が開始されることを示す小当り開始指定コマンドを演出制御用マイクロコンピュータ１００へ送信する（Ｓ４１２）。次に、ＣＰＵ５６は、小当りの開放状態におけるＶ入賞領域８７０への入賞個数を当該開放状態の終了条件として用いるために、計数手段としてのＶ判定入賞個数カウンタをセットする（Ｓ４１３）。具体的に、Ｓ４１３では、Ｖ判定入賞個数カウンタのカウンタ値を「１０」にセットし、Ｖ入賞個数をダウンカウントするための設定をする。そして、ＣＰＵ５６は、特別図柄プロセスフラグの値を、小当り開放中処理（Ｓ３０９）に対応した値に更新する（Ｓ４１３）。
【０２３４】
図１６は、特別図柄プロセス処理における小当り開放中処理（Ｓ３０９）を示すフローチャートである。小当り開放中処理において、ＣＰＵ５６は、小当り開放制御タイマを−１減算更新する（Ｓ４３０）。次に、後述するＳ４３５でＶ入賞個数を計数するＶ判定入賞個数カウンタの計数値が「０」になっているか否かを確認する（Ｓ４３１）。Ｖ判定入賞個数カウンタは、図１５のＳ４１３により「１０」にセットされ、１０個のＶ入賞球を計数すると、計数値が「０」となる。Ｓ４３０でＶ判定入賞個数カウンタの計数値が「０」になっているときは、Ｓ４４１に進む。一方、Ｓ４３０でＶ判定入賞個数カウンタの計数値が「０」になっていないときは、図１３のＳ１４０でセットされた小当り開放制御タイマがタイムアウト（タイマ値＝０）したか否かを確認する（Ｓ４３２）。
【０２３５】
Ｓ４３２で小当り開放制御タイマがタイムアウトしているときは、Ｓ４４１に進む。一方Ｓ４３２で小当り開放制御タイマがタイムアウトしていないときは、図１３のＳ１４０で設定された小当りの開放態様に基づき、小当り開放制御タイマの計時値に対応してソレノイド２２を制御することで可動部８７２を開放状態に動作させ、Ｖ判定入賞装置８７の作動口を開閉させるための処理を行なう（Ｓ４３３）。
【０２３６】
次に、Ｖ判定入賞装置８７内部で開放状態となっているＶ入賞領域８７０にＶ入賞口から遊技球が進入したことにより発生するＶ入賞が検出されたか否かを判定するために、Ｖ入賞スイッチ８７ａがオン状態となっているか否かを判定する（Ｓ４３４）。Ｓ４３４でオン状態となっているときは、Ｖ入賞が検出されたときであり、Ｖ入賞が検出されたときにセットされるＶ入賞フラグをセットする（Ｓ４３５）。そして、Ｖ入賞球検出指定コマンドを送信するための処理をする（Ｓ４３６）。これにより、演出制御用マイクロコンピ
ュータ１００は、Ｖ入賞球が検出されたことを認識することができ、Ｖ入賞個数を認識することが可能となる。次に、ソレノイドを駆動することにより開閉部材を動作させ、Ｖ入賞領域８７０のＶ入賞口を開放状態から閉鎖状態に変化させ（Ｓ４３７）、Ｓ４３９に進む。これにより、Ｖ判定入賞装置８７内に進入した遊技球の１個目がＶ入賞すると、Ｖ入賞領域８７０のＶ入賞口が閉鎖状態にされ、その後に、Ｖ判定入賞装置８７内に進入した遊技球は、すべて入賞球領域に誘導され、Ｖ判定入賞スイッチ１５ｂにより検出される。
【０２３７】
一方、Ｓ４３４でオン状態となっていないときは、Ｖ入賞が検出されていないときであり、Ｖ判定入賞スイッチ１５ｂがオン状態となっているか否かを判定する（Ｓ４３８）。Ｓ４３８でオン状態となっているときはＳ４３９に進み、Ｓ４３８でオン状態となっていないときは処理を終了する。
【０２３８】
Ｓ４３９では、図１５のＳ４１３により「１０」にセットされたＶ判定入賞個数カウンタの計数値を「−１」するダウンカウントを行ない（Ｓ４３９）、Ｖ判定入賞球検出指定コマンドを送信するための処理をする（Ｓ４４０）。これにより、演出制御用マイクロコンピュータ１００は、Ｖ入賞球が検出された後、判定入賞装置８７内に進入したＶ入賞球が検出されたことを認識することができ、判定入賞装置８７内に進入した遊技球の個数を認識することが可能となる。
【０２３９】
次に、Ｖ入賞が検出されたときにセットされるＶ入賞フラグがセットされているか否かを判定する（Ｓ４３７）。Ｖ入賞フラグがセットされていれば処理を終了する。一方、Ｖ入賞フラグがセットされていなければ、Ｓ４３４で判定されたＶ入賞の検出に応じて、Ｖ入賞フラグをセットし（Ｓ４３８）、Ｖ入賞指定コマンドを送信するための処理をし（Ｓ４３６）、処理を終了する。これにより、演出制御用マイクロコンピュータ１００は、Ｖ入賞が検出されたことを認識することができる。小当り遊技状態においては、複数個の遊技球がＶ判定入賞装置８７内部のＶ入賞領域８７０に進入可能となるため、小当り遊技状態における１個目のＶ入賞球が検出されるとＳ４３８によりＶ入賞フラグがセットされるので、２個目以降のＶ入賞球が検出されても、重ねてＳ４３８，Ｓ４３９が実行されないように制御される。
【０２４０】
Ｓ４３１でＶ判定入賞個数カウンタの計数値が「０」になっているときは、小当りのＶ入賞個数が上限値に到達したことにより小当りの開放終了条件が成立したときであり、また、Ｓ４３２で小当り開放制御タイマがタイムアウトしたときは、小当りの開放制御が終了したことにより小当りの開放終了条件が成立したときである。これらのときに、ＣＰＵ５６は、ソレノイド２２を制御することで可動部８７２を閉鎖状態に動作させ、Ｖ判定入賞装置８７の作動口を閉鎖する（Ｓ４４１）。Ｖ判定入賞個数カウンタの計数値が「０」になったときは、小当りの開放態様に応じたＶ判定入賞装置８７の開放途中であっても、Ｖ判定入賞個数カウンタの計数値に応じてＶ判定入賞装置８７が強制的に閉鎖される。小当り開放制御タイマがタイムアウトしたときは、Ｖ判定入賞装置８７が小当りの開放態様における小当りの開放制御の終了に応じて閉鎖される。
【０２４１】
次に、Ｖ判定入賞装置８７の閉鎖後のＶ入賞有効期間である特定期間に相当するデータをＶ入賞有効期間タイマにセットし（Ｓ４４２）、特別図柄プロセスフラグの値を、小当り終了処理（Ｓ３１０）に対応した値に更新し（Ｓ４４３）、処理を終了する。これにより、Ｖ判定入賞装置８７の閉鎖後のＶ入賞有効期間である特定期間の計時が開始される。なお、このようにＶ入賞有効期間である特定期間が設定されていることにより、Ｖ入賞領域を遊技球が何かの拍子に通常通過する時間より遅れて通過した場合であっても、遊技球を検出することができる。また、特定期間が設定されているので、不正にＶ入賞領域へ入賞させようとした者がいたとしてもその期間しか検出されないので、不正を防ぐこともできる。
【０２４２】
図１７は、特別図柄プロセス処理における小当り終了処理（Ｓ３１０）を示すフローチャートである。小当り終了後処理において、ＣＰＵ５６は、Ｖ入賞有効期間タイマを−１減算更新し（Ｓ４４１）、Ｖ入賞有効期間タイマがタイムアウト（タイマ値＝０）したか否かを確認する（Ｓ４４２）。
【０２４３】
Ｓ４４２でＶ入賞有効期間タイマがタイムアウトしていないときは、すでにＶ入賞が検出されたときにＳ４３４またはＳ４４５でセットされるＶ入賞フラグがセットされているか否かを判定する（Ｓ４４３）。Ｖ入賞フラグがセットされていれば処理を終了する。一方、Ｖ入賞フラグがセットされていなければ、Ｖ入賞有効期間中にＶ入賞領域８７０に遊技球が進入したことにより発生するＶ入賞が検出されたか否かを判定するために、Ｖ入賞スイッチ８７ａがオン状態となっているか否かを判定する（Ｓ４４４）。Ｓ４４４でオン状態となっていないときは、処理を終了する。一方、Ｓ４４４でオン状態となっているときは、Ｖ入賞有効期間中にＶ入賞が検出されたときであり、Ｖ入賞が検出されたことを示すＶ入賞フラグをセットする（Ｓ４４５）。そして、Ｖ入賞指定コマンドを送信するための処理をし（Ｓ４４６）、処理を終了する。これにより、演出制御用マイクロコンピュータ１００は、Ｖ入賞が発生したことを認識することができる。
【０２４４】
Ｓ４４２でＶ入賞有効期間タイマがタイムアウトしているときは、小当り終了指定コマンドを送信するための処理をする（Ｓ４４７）。これにより、演出制御用マイクロコンピュータ１００は、小当りが終了したことを認識することができる。次いで、ソレノイド２３の状態を変化させることにより、開閉部材を開動作させてＶ入賞領域８７０（Ｖ入賞口）を開放状態に復帰させる制御が行なわれる（Ｓ４４７Ａ）。次に、ＣＰＵ５６は、Ｖ入賞フラグがセットされているか否かを判定する（Ｓ４４８）。Ｓ４４８でＶ入賞フラグがセットされていれば、大当りとすることが決定され、大当りフラグをセットする（Ｓ４４９）。
【０２４５】
パチンコ遊技機１では、前述したように、小当り遊技状態において、後述する右打ち促進報知にしたがって右打ちをすれば、略１００％の確率でＶ判定入賞装置８７内に遊技球を進入させることができ、Ｖ判定入賞装置８７内に進入した遊技球は必ずＶ入賞領域８７０にＶ入賞することにより、略１００％の確率で、Ｖ入賞フラグがセットされる（図１６のＳ４３５）ことに基づいて、Ｓ４４９で大当りフラグがセットされて、大当り遊技状態に制御される。
【０２４６】
次いで、ＣＰＵ５６は、Ｓ８１で大当り仮種別バッファに記憶した小当り経由の大当り種別を示すデータを、Ｖ入賞の発生により正規に大当りとなることが決まったことに応じて、当該データを大当り種別バッファに正式に記憶させる（Ｓ４５０）。そして、その時点でセットされていた時短フラグ（図１４の大当り終了処理でセットされる第１時短フラグ、第２時短フラグ）を一旦リセットする（Ｓ４５１）。
【０２４７】
次いで、ＣＰＵ５６は、Ｓ４５０で記憶されたデータに対応する大当り種別に応じて、大当り開始３指定コマンド、大当り開始４指定コマンド、または大当り開始５指定コマンドを送信する（Ｓ４５２）。これにより、演出制御用マイクロコンピュータ１００は、大当り遊技状態が開始することを認識することができる。次に、大入賞口制御タイマに、大当り表示時間（大当りが発生したことをたとえば、演出表示装置９において報知する時間）に相当する値を設定する（Ｓ４５３）。
【０２４８】
また、ＲＯＭ５４に記憶されている大当りの開放パターンデータを参照し、大当り種別に応じて、開放回数（たとえば、１５回、８回、または、４回）、開放時間（たとえば、２９秒）、インターバル時間（ラウンド間の大入賞口閉鎖時間）等の開放態様を示す開放
パターンデータをＲＡＭ５５に形成される所定の記憶領域にセットする（Ｓ４５４）。このようなデータのうち、開放回数のデータは、Ｓ４５６において、開放回数を計数するための開放回数カウンタにセットされる。そして、特別図柄プロセスフラグの値を大入賞口開放前処理（Ｓ３０５）に対応した値に更新し（Ｓ４５５）、処理を終了する。これにより、小当り遊技状態においてＶ入賞が生じたときには、大当り遊技状態に移行する。
【０２４９】
Ｓ４４８でＶ入賞フラグがセットされていなければ、大当り遊技状態が発生しないので、Ｓ８１で大当り仮種別バッファに記憶した小当り経由の大当り種別を示すデータを消去し（Ｓ４５６）、特別図柄プロセスフラグの値を、特別図柄通常処理（Ｓ３００）に対応した値に更新し（Ｓ４６０）、処理を終了する。これにより、小当り遊技状態においてＶ入賞が生じなかったときには、大当り遊技状態に移行しない。
【０２５０】
図１８は、演出制御用マイクロコンピュータ１００の演出制御用ＣＰＵ１０１が実行する演出制御メイン処理を示すフローチャートである。
【０２５１】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、４ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０２５２】
演出制御処理において、演出制御用ＣＰＵ１０１は、まず、受信した演出制御コマンドを解析し、受信した演出制御コマンドに応じたフラグをセットする処理等を行なう（コマンド解析処理：Ｓ７０４）。たとえば、コマンド解析処理においては、変動パターンコマンドが受信されたときに、ＲＡＭ１０３に形成された変動パターンコマンド格納領域に当該コマンドデータが格納される。また、コマンド解析処理においては、表示結果指定コマンドが受信されたときに、ＲＡＭ１０３に形成された表示結果指定コマンド格納領域に当該コマンドデータが格納される。また、その他、各種の演出制御コマンドが受信されたときに、当該コマンドを受信したことを示すフラグがセットされる。次いで、演出制御用ＣＰＵ１０１は、演出制御プロセス処理を行なう（Ｓ７０５）。演出制御プロセス処理では、Ｓ７０４で解析した演出制御コマンドの内容に従って演出表示装置９での特別図柄の変動表示に対応した演出等の各種演出を行なうために、制御状態に応じた各プロセスのうち、現在の制御状態（演出制御プロセスフラグ）に対応した処理を選択して演出制御を実行する。
【０２５３】
次いで、各種演出内容の選択決定用乱数等の各種乱数を生成するためのカウンタのカウント値を更新する乱数更新処理を実行する（Ｓ７０６）。その後、Ｓ７０２に移行する。
【０２５４】
演出制御用マイクロコンピュータ１００においては、変動パターンコマンドを受信したときに、演出図柄の変動表示を開始させ、変動パターンコマンドにより特定される変動表示時間が経過したとき、または、図柄確定指定コマンドを受信したときに、演出図柄の変動表示を停止させる。このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７等の演出装置を制御することにより、遊技状態に応じた各種の演出制御が行なわれる。
【０２５５】
なお、演出制御用マイクロコンピュータ１００においては、変動パターンコマンドを受信したときに、演出図柄の変動表示を開始させ、図柄確定指定コマンドを受信したときに、演出図柄の変動表示を停止させるようにしてもよい。変動パターンコマンドは、変動時間の長さ、および、変動表示結果等の変動表示態様を指定するために必要な情報が特定可能なデータよりなるコマンドである。変動表示は、各変動パターンコマンドに対応する変動時間で実行されるように制御される。また、演出図柄を変動表示させる演出制御を実行するときの停止図柄は、表示結果指定コマンドに基づいて、はずれとなるか、大当りとなるかの判別を行なうことに基づいて決定する。
【０２５６】
図１９は、図１８に示された演出制御メイン処理における演出制御プロセス処理（Ｓ７０５）を示すフローチャートである。演出制御プロセス処理では、演出制御用ＣＰＵ１０１は、Ｓ５００，Ｓ５０１の処理を行なった後、演出制御プロセスフラグの値に応じてＳ８００〜Ｓ８１０のうちいずれかの処理を行なう。各処理においては以下のような処理を実行する。
【０２５７】
演出制御プロセス処理では、演出表示装置９の表示状態が制御され、第１特別図柄の変動表示および第２特別図柄の変動パターンに対応する演出が実行されるが、第１特別図柄の変動に同期した演出に関する制御も、第２特別図柄の変動に同期した演出に関する制御も、１つの演出制御プロセス処理において実行される。また、演出制御プロセス処理では、特別図柄の変動表示と並列的に表示可能な態様で、普通図柄の変動表示に対応する（同期した）演出も実行される。
【０２５８】
打球促進演出処理（Ｓ５００）：遊技制御用マイクロコンピュータ５６０から受信した各種演出制御コマンドに基づいて、遊技状態を確認し、遊技状態に応じた打球促進演出を実行する。打球促進演出とは、遊技領域７における第１経路（左打ち経路）および第２経路（右打ち経路）のうち、少なくともいずれか一方への遊技球の打込みを促進させる報知をする演出である。具体的に、打球促進演出には、第２経路（右打ち経路）への遊技球の打込みを促進させる報知をする右打ち促進報知演出が含まれるが、打球促進演出には、当該右打ち促進報知演出と、第１経路（左打ち経路）への遊技球の打込みを促進させる報知をする左打ち促進報知の演出とを含むようにしてもよい。
【０２５９】
右打ち促進報知の演出は、たとえば、演出表示装置の特定の表示領域において、「右打ち」というような右打ちを示唆して促進するような文字画像を右向きの矢印画像ととともに継続的に表示することにより行なわれる。
【０２６０】
この実施形態では、遊技球の打込みとして左打ちを基本としており、打球促進演出として、左打ち促進報知を実行せず、右打ち促進報知を実行している状態に基づいて、第２経路（右打ち経路）への遊技球の打込み（右打ち）を促進させ、逆に、右打ち促進報知を実行していない状態に基づいて、第１経路（左打ち経路）への遊技球の打込み（左打ち）を促進させる演出制御例を説明する。
【０２６１】
なお、打球促進演出としては、遊技状態に応じて、左打ち促進報知と右打ち促進報知との両方を使い分ける演出制御をしてもよい。また、打球促進演出としては、遊技状態に応じて、左打ち促進報知と、右打ち促進報知との両方を使い分ける演出制御をしてもよい。
【０２６２】
先読み処理（Ｓ５０１）：遊技制御用マイクロコンピュータ５６０が有する保留記憶情報に対応する保留記憶情報（保留情報）を記憶し、当該保留記憶情報を先読み演出のために使用可能とする処理である。先読み演出とは、ある保留記憶情報に基づいた特別図柄の変動表示（図柄変動）の順番が到来する前に、その保留記憶情報を先読みしてその保留情報に基づいた特別図柄の変動表示の内容を判定して、将来の特別図柄の変動表示がどのよ
うになるかを、それよりも前の段階で予告をする等の演出技術である。たとえば、保留記憶情報が小当りまたは図柄大当りとなることを示すときに、保留連報知演出と呼ばれる予告演出が先読み演出として実行可能である。以下では、先読み演出の対象とした保留記憶情報を「ターゲットの保留記憶情報」と称する。また先読み演出の対象とした保留情報に基づいた保留表示を「ターゲットの保留表示」と称する。
【０２６３】
変動パターンコマンド受信待ち処理（Ｓ８００）：遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を変動時演出開始処理（Ｓ８０１）に対応した値に変更する。
【０２６４】
演出図柄変動開始処理（Ｓ８０１）：特別図柄の変動表示に対応する演出である変動時演出が開始されるように制御する。受信した変動パターンコマンドに対応して、変動時演出の演出パターンを選択し、実行する演出時間を計時する演出時間タイマの計時をスタートさせる。そして、演出制御プロセスフラグの値を変動時演出中処理（Ｓ８０２）に対応した値に更新する。
【０２６５】
演出図柄変動中処理（Ｓ８０２）：演出パターンを構成する各状態の切替えタイミング等を制御するとともに、演出時間タイマにより計時される演出時間が終了したか否かを監視する。そして、演出時間が終了したか、または、図柄確定指定コマンドを受信したことに基づいて、変動時演出を終了させるために、演出制御プロセスフラグの値を変動時演出停止処理（Ｓ８０３）に対応した値に更新する。
【０２６６】
演出図柄変動停止処理（Ｓ８０３）：変動時演出を停止し、特別図柄の変動表示結果（停止図柄）に対応した演出結果を表示する制御を行なう。そして、演出制御プロセスフラグの値を大当り表示処理（Ｓ８０４）または変動パターンコマンド受信待ち処理（Ｓ８００）に対応した値に更新する。
【０２６７】
大当り表示処理（Ｓ８０４）：大当り（第１大当りまたは第２大当り）が発生したときに、演出表示装置９に大当りの発生を報知するための大当り表示等の演出としてのファンファーレ演出を行なう制御等の表示制御を行なう。そして、演出制御プロセスフラグの値をラウンド中処理（Ｓ８０５）に対応した値に更新する。
【０２６８】
ラウンド中処理（Ｓ８０５）：大当りのラウンド中の表示制御を行なう。そして、ラウンド終了条件が成立したら、最終ラウンドが終了していなければ、演出制御プロセスフラグの値をラウンド後処理（Ｓ８０６）に対応した値に更新する。最終ラウンドが終了していれば、演出制御プロセスフラグの値を大当り終了処理（Ｓ８０７）に対応した値に更新する。
【０２６９】
ラウンド後処理（Ｓ８０６）：大当りのラウンド間の表示制御を行なう。そして、ラウンド開始条件が成立したら、演出制御プロセスフラグの値をラウンド中処理（Ｓ８０５）に対応した値に更新する。
【０２７０】
大当り終了演出処理（Ｓ８０７）：演出表示装置９において、大当り遊技状態が終了したことを遊技者に報知する表示制御を行なう。そして、演出制御プロセスフラグの値を変動パターンコマンド受信待ち処理（Ｓ８００）に対応した値に更新する。
【０２７１】
小当り表示処理（Ｓ８０８）：小当りが発生したときに、演出表示装置９に小当りの発生を報知するための小当り表示等の演出としてのファンファーレ演出を所定時間（たとえ
ば、１秒間）行なう制御等の表示制御を行なう。そして、演出制御プロセスフラグの値を小当り開放中処理（Ｓ８０９）に対応した値に更新する。
【０２７２】
小当り開放中処理（Ｓ８０９）：小当りにおいて、Ｖ判定入賞装置８７の開放中における各種の演出制御を行なう。そして、Ｖ判定入賞装置８７が閉鎖したら、演出制御プロセスフラグの値を小当り終了演出処理（Ｓ８１０）に対応した値に更新する。
【０２７３】
小当り終了演出処理（Ｓ８１０）：演出表示装置９において、小当り遊技状態が終了したことを遊技者に報知する演出制御を行なう。また、小当り遊技状態において、Ｖ入賞スイッチ８７ａにより遊技球のＶ入賞が検出され、Ｖ入賞が発生したことが判定されたときには、Ｖ入賞が発生したことを報知するＶ入賞演出制御をする。小当り遊技状態においてＶ入賞が発生したときには、大当り遊技状態に移行させるために、演出制御プロセスフラグの値を大当り表示処理（Ｓ８０４）に対応した値に更新する。一方、小当り遊技状態においてＶ入賞が発生しなかったときには、大当り遊技状態に移行させないので、演出制御プロセスフラグの値を変動パターンコマンド受信待ち処理（Ｓ８００）に対応した値に更新する。
【０２７４】
［特徴部２８３Ｆに関する説明］
次に、特徴部２８３Ｆについて説明する。上述したパチンコ遊技機１は、大当り遊技状態が終了した後に時短状態に制御される。この時短状態においては、第２始動口への始動入賞に応じた第２特別図柄の変動表示の場合、第１始動口への始動入賞に応じた第１特別図柄の変動表示よりも、遊技者にとって有利に当りが発生する。具体的には、第２始動口への始動入賞に対しては第１始動口への始動入賞と比較して高確率で小当りが決定され、小当りにおいては高い確率でＶ入賞するように構成されているため、小当り経由の大当りが発生し易い。しかし、この時短状態は、所定回数の変動表示が実行されると終了してしまうため、第２始動口への入賞に応じた第２特別図柄の保留記憶を、時短状態中に少しでも多く記憶させておかないと遊技者に不利益となってしまう。このような上述したパチンコ遊技機１に適用可能である特徴部２８３Ｆは、以下の第１の特徴から第３の特徴を含む。
【０２７５】
第１の特徴は、時短状態に制御されている間に第２特別図柄の保留記憶情報を所定上限数まで記憶させることを促す促進報知として、第１態様と、第１態様よりも遊技者の認識度合の低い第２態様とのいずれかで促進報知を実行可能であり、第１態様の後に第２態様で促進報知を実行しているときに、記憶されている保留記憶情報の数が所定上限数に達していない場合に、再度、第１態様で促進報知を実行するものである。
【０２７６】
第２の特徴は、遊技者が所定の動作を実行することができる有効期間を示す有効期間表示を実行可能であり、有効期間の残り期間に応じて態様が変化してゆく第１表示と、第１表示とは態様が異なるとともに有効期間の残り期間に応じて態様が変化してゆく第２表示とを有効期間表示として実行可能であり、有効期間表示の実行を開始してから残り期間が所定期間となるまでは、第１表示を有効期間表示として実行する一方、有効期間表示の実行を開始してから残り期間が所定期間となった後は、第１表示に加えて前記第２表示を前記有効期間表示として実行するものである。
【０２７７】
第３の特徴は、時短状態に制御されている間に第２特別図柄の保留記憶情報に対応する可変表示がすべて実行されるまでの間の遊技に関する情報を報知する遊技情報報知演出を実行し、所定回数の可変表示が実行されるまでに記憶された最後の保留記憶情報に対応する可変表示の表示結果が第１特定表示結果および第２特定表示結果のいずれでもない場合に、記憶されている保留記憶情報の数が所定上限数に達しているときは、当該所定上限数個目の保留記憶情報に対応する可変表示の表示結果を表示するよりも前に、遊技情報報知
演出を実行する一方、記憶されている保留記憶情報の数が所定上限数に達していないときは、所定上限数に達していない時の最後の保留記憶情報に対応する可変表示の表示結果が表示された後に、遊技情報報知演出を実行するものである。
【０２７８】
図２０−１は、時短中演出関連処理の流れを示すフローチャートである。図２０−１を参照して、この時短中演出関連処理は、図１９で示した演出制御プロセス処理のステップＳ８０２の演出図柄変動中処理において実行される。まず、演出制御基板８０の演出制御用マイクロコンピュータ１００の演出制御用ＣＰＵ１０１は、時短フラグがセットされているか否かを判断することによって、時短状態中であるか否かを判断する（ステップ２８３ＦＳ１１１）。時短状態中でない（ステップ２８３ＦＳ１１１でＮＯ）と判断した場合、演出制御用ＣＰＵ１０１は、実行する処理をこの時短中演出関連処理の呼出元に戻す。
【０２７９】
一方、時短状態中である（ステップ２８３ＦＳ１１１でＹＥＳ）と判断した場合、演出制御用ＣＰＵ１０１は、時短状態の開始直後の所定の第１期間であるか否かを判断する（ステップ２８３ＦＳ１１２）。第１期間は、時短状態の最初の変動表示が開始した直後であればよく、たとえば、変動表示が開始した１秒後から５秒後までの期間である。
【０２８０】
時短状態の開始直後の第１期間である（ステップ２８３ＦＳ１１２でＹＥＳ）と判断した場合、演出制御用ＣＰＵ１０１は、第２特別図柄の保留記憶を上限まで記憶させることを促す促進画像（後述の図２０−２（Ｂ）等で示す、「狙え」画像＋タイムバー画像）を演出表示装置９の全体（全体とは、画面中央に他の画像と比較して大きくとの意味である。）に表示させる（ステップ２８３ＦＳ１１３）。
【０２８１】
時短状態の開始直後の第１期間でない（ステップ２８３ＦＳ１１２でＮＯ）と判断した場合、および、ステップ２８３ＦＳ１１３の後、演出制御用ＣＰＵ１０１は、時短状態の最終変動中の所定の第２期間であるか否かを破断する（ステップ２８３ＦＳ１１４）。第２期間は、時短状態の最後の変動中であればよく、たとえば、変動表示が終了する１０秒前から７秒前までの期間である。
【０２８２】
時短状態の最終変動中の第２期間である（ステップ２８３ＦＳ１１４でＹＥＳ）と判断した場合、演出制御用ＣＰＵ１０１は、第２特別図柄の保留記憶を上限まで記憶させることを促す促進画像（後述の図２０−２（Ｄ）等で示す、「狙え」画像＋タイムバー画像＋カウントダウン画像）を演出表示装置９の全体（画面中央に他の画像と比較して大きく）に表示させる（ステップ２８３ＦＳ１１３）。
【０２８３】
時短状態の最終変動中の第２期間でない（ステップ２８３ＦＳ１１４でＮＯ）と判断した場合、および、ステップ２８３ＦＳ１１５の後、演出制御用ＣＰＵ１０１は、時短状態中のその他の期間であるか否かを判断する（ステップ２８３ＦＳ１１６）。
【０２８４】
その他の期間である（ステップ２８３ＦＳ１１６でＹＥＳ）と判断した場合、後述する図２０−２（Ｃ）等で示すように、促進画像を演出表示装置９の画面の右下に小さく表示させる（ステップ２８３ＦＳ１１７）。なお、演出図柄の可変表示の表示結果が表示されているときは、その表示結果の背後に促進画像を表示させる。
【０２８５】
その他の期間でない（ステップ２８３ＦＳ１１６でＮＯ）と判断した場合、および、ステップ２８３ＦＳ１１７の後、演出制御用ＣＰＵ１０１は、第２特別図柄の保留記憶の数が上限値に到達した時であるか否かを判断する（ステップ２８３ＦＳ１２１）。
【０２８６】
第２特別図柄の保留記憶の数が上限値に到達した時である（ステップ２８３ＦＳ１２１でＹＥＳ）と判断した場合、演出制御用ＣＰＵ１０１は、前述の第２期間以降の期間であ
るか否かを判断する（ステップ２８３ＦＳ１２２）。
【０２８７】
第２期間以降の期間でない（ステップ２８３ＦＳ１２２でＮＯ）と判断した場合、演出制御用ＣＰＵ１０１は、後述する図２０−４（Ｂ）で示すような、促進画像の表示に替えて、保留記憶の数が上限数に達したことを報知する保留上限達成報知（後述する図２０−６（Ｂ）で示す保留上限達成画像２８３Ｆ１００の表示、および、保留記憶の数が上限に達した旨の音声の出力）を実行する（ステップ２８３ＦＳ１２３）。
【０２８８】
第２特別図柄の保留記憶の数が上限値に到達した時でない（ステップ２８３ＦＳ１２１でＮＯ）と判断した場合、第２期間以降の期間である（ステップ２８３ＦＳ１２２でＹＥＳ）と判断した場合、および、ステップ２８３ＦＳ１２３の後、演出制御用ＣＰＵ１０１は、前述の第２期間以降の時短状態の保留上限達成後の最終変動中の所定の第３期間であるか否かを判断する（ステップ２８３ＦＳ１３１）。第３期間は、時短状態の最後の変動中の第２期間の後の期間であればよく、たとえば、変動表示が終了する５秒前から２秒前までの期間である。
【０２８９】
時短状態の保留上限達成後の最終変動中の第３期間である（ステップ２８３ＦＳ１３１でＹＥＳ）と判断した場合、演出制御用ＣＰＵ１０１は、当該変動表示の表示結果がはずれ表示結果であると事前に決定されているか否かを判断する（ステップ２８３ＦＳ１３２）。
【０２９０】
当該変動表示がはずれと事前決定されている（ステップ２８３ＦＳ１３２でＹＥＳ）と判断した場合、演出制御用ＣＰＵ１０１は、後述する図２０−４（Ｅ）で示すように、遊技に関する情報として、通常状態となることなく大当り遊技状態が連続して実行されていた間（いわゆる、連チャン中）の連続して実行された大当り遊技状態のリザルト（たとえば、大当り有利状態が連続して実行された回数（いわゆる、連チャン回数）、および、その間に遊技者が獲得した遊技球の数）を演出表示装置９に表示させる（ステップ２８３ＦＳ１３３）。
【０２９１】
その後、演出制御用ＣＰＵ１０１は、リザルトを報知済であるか否かを示すリザルト報知済フラグを、報知済であることを示すオン状態とする（ステップ２８３ＦＳ１３４）。
【０２９２】
時短状態の保留上限達成後の最終変動中の第３期間でない（ステップ２８３ＦＳ１３１でＮＯ）と判断した場合、当該変動表示がはずれと事前決定されていない（ステップ２８３ＦＳ１３２でＮＯ）と判断した場合、および、ステップ２８３ＦＳ１３４の後、演出制御用ＣＰＵ１０１は、時短状態の最終変動の演出図柄の表示結果の表示後で表示結果の確定前の所定の第４期間であるか否かを判断する（ステップ２８３ＦＳ１３５）。
【０２９３】
時短状態の最終変動の演出図柄の表示結果の表示後で確定前の第４期間である（ステップ２８３ＦＳ１３５でＹＥＳ）と判断した場合、演出制御用ＣＰＵ１０１は、リザルト報知済フラグがオン状態であるか否かを判断する（ステップ２８３ＦＳ１３６）。リザルト報知済フラグがオン状態である（ステップ２８３ＦＳ１３６でＹＥＳ）、つまり、リザルトを報知済であると判断した場合、演出制御用ＣＰＵ１０１は、リザルト報知済フラグをオフ状態とする（ステップ２８３ＦＳ１３７）。
【０２９４】
リザルト報知済フラグがオン状態でない（ステップ２８３ＦＳ１３６でＮＯ）と判断した場合、後述する図２０−２（Ｆ）で示すように、遊技に関する情報として、通常状態となることなく大当り遊技状態が連続して実行されていた間（いわゆる、連チャン中）の連続して実行された大当り遊技状態のリザルト画像（たとえば、大当り遊技状態が連続して実行された回数（いわゆる、連チャン回数）、および、その間に遊技者が獲得した遊技球
の数を示す画像）を演出表示装置９に表示させる（ステップ２８３ＦＳ１３８）。
【０２９５】
時短状態の最終変動の演出図柄の表示結果の表示後で確定前の第４期間でない（ステップ２８３ＦＳ１３５でＮＯ）と判断した場合、ステップ２８３ＦＳ１３７の後、および、ステップ２８３ＦＳ１３８の後、演出制御用ＣＰＵ１０１は、実行する処理をこの時短中演出関連処理の呼出元に戻す。
【０２９６】
図２０−２は、時短状態中の画面の遷移の一例を示す第１の表示画面図である。図２０−３は、時短状態中の制御の遷移の一例を示す第１のタイミングチャートである。図２０−２および図２０−３を参照して、大当り終了後、時短状態が開始され、第２特別図柄の始動入賞または保留記憶があると、第２特別図柄の変動表示が開始されるとともに、図２０−２（Ａ）および図２０−３で示すように、演出表示装置９において、第２特別図柄に対応する演出図柄（演出図柄９１，９２，９３、小図柄８１，８２，８３）の変動表示が開始される。演出表示装置９の画面の左下には、変動表示に対応するアクティブ表示２８３Ｆ９４が表示される。
【０２９７】
そして、前述の図２０−１のステップ２８３ＦＳ１１２およびステップ２８３ＦＳ１１３で示したように、時短状態の開始直後の第１期間（たとえば、時短状態の開始直後の変動表示が開始した１秒後から５秒後までの期間）であると判断された場合、図２０−２（Ｂ）および図２０−３（丸付き数字の「１」）で示すように、促進画像２８３Ｆ９６Ａ（「狙え」画像＋タイムバー画像）が演出表示装置９の全体に表示される。促進画像は、第２特別図柄の保留記憶を上限まで記憶させることを促す画像であるので、促進画像に含まれる矢印画像は、第２始動入賞口１４の方向を指している。
【０２９８】
次に、前述の図２０−１のステップ２８３ＦＳ１１６およびステップ２８３ＦＳ１１７で示したように、時短状態中のその他の期間であると判断された場合、図２０−２（Ｃ）および図２０−３（丸付き数字の「２」）で示すように、その直前に表示されていた促進画像２８３Ｆ９６Ａを縮小した、促進画像２８３Ｆ９７Ａ（「狙え」画像＋タイムバー画像）が、演出表示装置９の右下に表示される。
【０２９９】
その後、前述の図２０−１のステップ２８３ＦＳ１１４およびステップ２８３ＦＳ１１５で示したように、時短状態の最終変動中の第２期間（たとえば、変動表示が終了する１０秒前から７秒前までの期間）であると判断された場合、図２０−２（Ｄ）および図２０−３（丸付き数字「３」）で示すように、促進画像２８３Ｆ９６Ｂ（「狙え」画像＋タイムバー画像＋カウントダウン画像）が演出表示装置９の全体に表示される。このときに、演出表示装置９に、比較的目立つ演出（たとえば、赤い背景を表示するエフェクト表示）を実行して、遊技者により強く危機感を持たせるようにしてもよい。
【０３００】
次に、前述の図２０−１のステップ２８３ＦＳ１１６およびステップ２８３ＦＳ１１７で示したように、時短状態中のその他の期間であると判断された場合、図２０−２（Ｅ）および図２０−３（丸付き数字の「４」）で示すように、その直前に表示されていた促進画像２８３Ｆ９６Ｂを縮小した、促進画像２８３Ｆ９７Ｂ（「狙え」画像＋タイムバー画像＋カウントダウン画像）が、演出表示装置９の右下に表示される。このとき、演出図柄９１，９２，９３の変動表示の表示結果が表示されているので、促進画像２８３Ｆ９７Ｂは、その表示結果の背後に表示される。
【０３０１】
最後に、前述の図２０−１のステップ２８３ＦＳ１３５〜ステップ２８３ＦＳ１３８で示したように、時短状態の最終変動の演出図柄９１，９２，９３の表示結果の表示後で確定前の第４期間であると判断され、リザルト報知済フラグがオン状態でないと判断された場合、図２０−２（Ｆ）および図２０−３のリザルト画像のタイミングチャートで示すよ
うに、演出図柄９１，９２，９３の表示結果の表示後に、リザルト画像２８３Ｆ９８が演出表示装置９に表示される。
【０３０２】
図２０−４は、時短状態中の画面の遷移の一例を示す第２の表示画面図である。図２０−５は、時短状態中の制御の遷移の一例を示す第２のタイミングチャートである。図２０−４および図２０−５を参照して、前述の図２０−２（Ｃ）の後、第２特別図柄の保留記憶が３つ貯まった場合、図２０−４（Ａ）で示すように、保留表示２８３Ｆ９５が、３つ、表示される。
【０３０３】
そして、変動表示が終了すると、第２特別図柄の保留記憶があるので、図２０−４（Ｂ）で示すように、次の変動表示が開始されることを示すＮＥＸＴ画像２８３Ｆ９９が表示される。このとき、演出図柄９１，９２，９３の変動表示の表示結果が表示されているので、促進画像２８３Ｆ９７Ａは、その表示結果の背後に表示される。同様の画面表示の流れが、図２０−４（Ｃ）で示すように、保留表示２８３Ｆ９５が１つになるまで繰返される。
【０３０４】
その保留表示２８３Ｆ９５に対応する保留記憶が消化されると、図２０−２（Ｃ）と同様の画面が表示され、その後、前述の図２０−１のステップ２８３ＦＳ１１４およびステップ２８３ＦＳ１１５で示したように、時短状態の最終変動中の第２期間（たとえば、変動表示が終了する１０秒前から７秒前までの期間）であると判断された場合、図２０−２（Ｄ）および図２０−３（丸付き数字「３」）と同様、図２０−４（Ｄ）および図２０−５（丸付き数字「３」）で示すように、促進画像２８３Ｆ９６Ｂ（「狙え」画像＋タイムバー画像＋カウントダウン画像）が演出表示装置９の全体に表示される。
【０３０５】
次に、前述の図２０−１のステップ２８３ＦＳ１１６およびステップ２８３ＦＳ１１７で示したように、時短状態中のその他の期間であると判断された場合、図２０−２（Ｅ）および図２０−３（丸付き数字の「４」）と同様、図２０−４（Ｅ）および図２０−５（丸付き数字の「４」）で示すように、その直前に表示されていた促進画像２８３Ｆ９６Ｂを縮小した、促進画像２８３Ｆ９７Ｂ（「狙え」画像＋タイムバー画像＋カウントダウン画像）が、演出表示装置９の右下に表示される。このとき、演出図柄９１，９２，９３の変動表示の表示結果が表示されているので、促進画像２８３Ｆ９７Ｂは、その表示結果の背後に表示される。
【０３０６】
最後に、前述の図２０−１のステップ２８３ＦＳ１３５〜ステップ２８３ＦＳ１３８で示したように、時短状態の最終変動の演出図柄９１，９２，９３の表示結果の表示後で確定前の第４期間であると判断され、リザルト報知済フラグがオン状態でないと判断された場合、図２０−２（Ｆ）および図２０−３のリザルト画像のタイミングチャートと同様、図２０−４（Ｆ）および図２０−５のリザルト画像のタイミングチャートで示すように、演出図柄９１，９２，９３の表示結果の表示後に、リザルト画像２８３Ｆ９８が演出表示装置９に表示される。
【０３０７】
図２０−６は、時短状態中の画面の遷移を示す第３の表示画面図である。図２０−７は、時短状態中の制御の遷移の一例を示す第３のタイミングチャートである。図２０−６および図２０−７を参照して、前述の図２０−２（Ｃ）の後、第２特別図柄の保留記憶が４つ貯まった場合、図２０−４（Ａ）で示すように、保留表示２８３Ｆ９５が、４つ、表示される。
【０３０８】
そして、図２０−１のステップ２８３ＦＳ１２１〜ステップ２８３ＦＳ１２３で示したように、第２特別図柄の保留記憶数が上限値に到達したと判断され、時短状態の最終変動中の第２期間以降でないと判断された場合、図２０−６（Ｂ）で示すように、促進画像に
替えて、保留上限達成画像２８３Ｆ１００（「保留上限達成！」との文字を表示する画像）が演出表示装置９の全体に表示される。その後は、時短状態中の第２特別図柄の保留記憶の上限に達しているので、促進画像は表示されない。
【０３０９】
そして、変動表示が終了すると、第２特別図柄の保留記憶があるので、前述の図２０−４（Ｂ）と同様、図２０−６（Ｃ）で示すように、次の変動表示が開始されることを示すＮＥＸＴ画像２８３Ｆ９９が表示される。同様の画面表示の流れが、保留表示２８３Ｆ９５が１つになるまで繰返される。
【０３１０】
その後、図２０−６（Ｄ）および図２０−７で示すように、時短状態中の保留上限達成後の最後の変動表示が開始される。図２０−１のステップ２８３ＦＳ１３１〜ステップ２８３ＦＳ１３３で示したように、その変動表示中の第３期間（たとえば、最後の変動表示が終了する５秒前から２秒前までの期間）であると判断された場合、図２０−２（Ｆ）と同様、図２０−６（Ｅ）および図２０−７のリザルト画像のタイミングチャートで示すように、演出図柄９１，９２，９３の表示結果の表示前に、リザルト画像２８３Ｆ９８が演出表示装置９に表示される。
【０３１１】
リザルト画像２８３Ｆ９８の表示後に、図２０−６（Ｆ）および図２０−７で示すように、演出図柄９１，９２，９３および小図柄８１，８２，８３の表示結果が演出表示装置９に表示される。
【０３１２】
［特徴部２８３Ｆの変形例］
（１）  前述した実施の形態においては、図２０−２（Ｂ）および図２０−２（Ｄ）などで示したように、画面全体に促進画像２８３Ｆ９６Ａ，２８３Ｆ９６Ｂを表示するときには、演出図柄９１，９２，９３よりも優先させて表示するようにした。このような場合に、変動表示中に遊技者にとって有利な有利状態となる期待度の高い演出（たとえば、全回転リーチやプレミアリーチなどの予告演出）は、促進画像２８３Ｆ９６Ａ，２８３Ｆ９６Ｂよりも優先させて表示するようにしてもよい。
【０３１３】
（２）  前述した実施の形態においては、図２０−１のステップ２８３ＦＳ１２２で示したように、時短の最終変動中の第２期間以降となった場合は、保留上限達成報知の実行を禁止するようにした。しかし、保留上限達成報知の実行を制限するのであれば、これに限定されず、たとえば、保留上限達成表示を画面の端で実行するようにしてもよいし、保留上限達成報知を表示では実行せず音声のみで実行するようにしてもよい。
【０３１４】
（３）  前述した実施の形態においては、有効期間の残り期間に応じて態様が変化してゆく第１表示（たとえば、図２０−２（Ｂ）の促進画像２８３Ｆ９６Ａおよび図２０−２（Ｃ）の促進画像２８３Ｆ９７Ａで示すタイムバー表示）と、第１表示とは態様が異なるとともに有効期間の残り期間に応じて態様が変化してゆく第２表示（たとえば、図２０−２（Ｄ）の促進画像２８３Ｆ９６Ｂおよび図２０−２（Ｅ）の促進画像２８３Ｆ９７Ｂで示す秒数でのカウントダウン表示）とを促進画像の表示として実行可能であり、有効期間表示の実行を開始してから残り期間が所定期間となるまでは、第１表示を促進画像の表示として実行する（たとえば、図２０−１のステップ２８３ＦＳ１１３，ステップ２８３ＦＳ１１７）一方、有効期間表示の実行を開始してから残り期間が所定期間となった後は、第１表示に加えて第２表示を促進画像の表示として実行する（たとえば、図２０−１のステップ２８３ＦＳ１１５，ステップ２８３ＦＳ１１７）ようにした。
【０３１５】
この場合に、図２０−２（Ｄ）で示すように、タイムバー表示に重畳させてカウントダウン表示を実行するようにした。しかし、第１表示が実行されている領域に対応した領域に対応した領域で第２表示を実行するのであれば、これに限定されず、たとえば、タイム
バー表示の上下左右の近傍の領域でカウントダウン表示を実行するようにしてもよい。
【０３１６】
（４）  前述した実施の形態においては、図２０−２（Ｂ），図２０−２（Ｄ）で示したように、演出図柄９１，９２，９３の可変表示を表示せず、促進画像２８３Ｆ９６Ａ，２８３Ｆ９６Ｂを表示するようにした。しかし、これに限定されず、促進画像２８３Ｆ９６Ａ，２８３Ｆ９６Ｂの表示を優先させて実行するのであれば、これに限定されず、たとえば、演出図柄９１，９２，９３の可変表示よりも促進画像２８３Ｆ９６Ａ，２８３Ｆ９６Ｂを手前に表示するようにしてもよい。
【０３１７】
（５）  前述した実施の形態においては、図２０−４で示したように、時短状態において、リザルト画像２８３Ｆ９８を表示する変動表示よりも前の変動表示においては、各変動表示の最後にＮＥＸＴ画像２８３Ｆ９９を表示するようにした。しかし、これに限定されず、時短状態における最初の変動表示においてのみ、時短状態において次の変動表示がある場合にＮＥＸＴ画像２８３Ｆ９９を表示するようにしてもよい。また、時短状態において第２特別図柄の保留記憶が上限まで達した場合のみ、ＮＥＸＴ画像２８３Ｆ９９を表示するようにしてもよい。
【０３１８】
（６）  前述した実施の形態においては、時短状態中に第２特別図柄の保留記憶の数が上限に達していない場合に、演出図柄の表示結果の表示後、表示結果が確定するまでの間の第４期間に、リザルト画像を表示するようにした。しかし、これに限定されず、時短状態中に第２特別図柄の保留記憶の数が上限に達していない状態で、時短状態の最後の変動表示が開始されるときに、遊技制御用マイクロコンピュータ５６０が、リザルト画像を表示するための時間の分、長い変動時間の変動パターンを決定するようにし、演出制御用マイクロコンピュータ１００が、その変動パターンに基づく変動表示における演出図柄の表示結果の表示後、表示結果が確定するまでの間の期間に、リザルト画像を表示するようにしてもよい。
【０３１９】
（７）  前述した実施の形態においては、図２０−１のステップ２８３ＦＳ１１３，ステップ２８３ＦＳ１１５、図２０−２の促進画像２８３Ｆ９６Ａ，２８３Ｆ９６Ｂで示したような、画面全体に「狙え」画像を表示する第１態様、および、図２０−１のステップ２８３ＦＳ１１７、図２０−２の促進画像２８３Ｆ９７Ａ，２８３Ｆ９７Ｂで示したような、画面端に「狙え」画像を表示する第２態様で、促進演出が実行可能であることとした。しかし、これに限定されず、第２態様が、第１態様よりも遊技者の認識度合が低いものであればよい。たとえば、第２態様が、第１態様よりも、小さい態様であることとしてもよいし、彩度や明度が低い態様であることとしてもよいし、点滅速度が低い態様であることとしてもよい。また、第１態様が、表示に加えて音声またはランプを用いる態様である一方、第２態様が、表示に加えて音声またはランプを用いない態様であることとしてもよい。
【０３２０】
（８）  前述した実施の形態においては、図２０−２（Ｂ）で示すように、タイムバー表示を実行していた場合は、図２０−２（Ｄ）で示すように、タイムバー表示に加えて、カウントダウン表示を追加して実行するようにした。しかし、これに限定されず、遊技者の認識度合（つまり、遊技者への促進度合）を高めることが可能な少なくとも１つの演出要素を追加するのであれば、他の演出要素を追加するようにしてもよい。たとえば、表示による演出に加えて、音声およびランプの少なくとも一方による演出を追加するようにしてもよい。
【０３２１】
（９）  前述した実施の形態においては、遊技者が所定の動作（第２特別図柄の保留記憶を増やすために第２始動入賞口１４に入賞させるための打球操作ハンドル５の操作による遊技球の発射動作）を実行することができる有効期間（第２始動入賞口１４の可変入賞
球装置１５の開放が頻繁に行なわれる時短状態の期間）を示す有効期間表示（図２０−２，図２０−４，図２０−６で示す促進画像２８３Ｆ９６Ａ，２８３Ｆ９６Ｂ，２８３Ｆ９７Ａ，２８３Ｆ９７Ｂの表示）を実行可能であることとした。
【０３２２】
しかし、これに限定されず、遊技者が所定の動作（たとえば、プッシュボタン１２０の押下動作）を実行することができる有効期間（たとえば、操作有効期間）を示す有効期間表示（たとえば、図２０−２，図２０−４，図２０−６で示す促進画像２８３Ｆ９６Ａ，２８３Ｆ９６Ｂ，２８３Ｆ９７Ａ，２８３Ｆ９７Ｂの表示のタイムバー画像やカウントダウン画像のような画像の表示）を実行可能であることとしてもよい。
【０３２３】
（１０）  このような有効期間表示として、有効期間の残り期間に応じて態様が変化してゆく第１表示（たとえば、図２０−２（Ｂ）の促進画像２８３Ｆ９６Ａおよび図２０−２（Ｃ）の促進画像２８３Ｆ９７Ａで示すタイムバー表示）と、第１表示とは態様が異なるとともに有効期間の残り期間に応じて態様が変化してゆく第２表示（たとえば、図２０−２（Ｄ）の促進画像２８３Ｆ９６Ｂおよび図２０−２（Ｅ）の促進画像２８３Ｆ９７Ｂで示す秒数でのカウントダウン表示）とを実行可能であることとした。
【０３２４】
しかし、第１表示および第２表示は、タイムバー表示およびカウントダウン表示に限定されず、他の組合せであってもよく、たとえば、第１表示および第２表示が逆になった組合せであってもよい。また、第１表示および第２表示は、いずれかが、有効期間の残り期間に応じて態様が変化してゆく態様であれば、他の表示であってもよく、アナログ時計のような表示であってもよいし、砂時計のような表示であってもよい。
【０３２５】
（１１）  前述した実施の形態においては、図２０−２（Ｆ）等で示したようなリザルト情報を表示するようにした。しかし、これに限定されず、時短状態に制御されている間に第２特別図柄の保留記憶情報に対応する可変表示がすべて実行されるまでの間（いわゆる、大当り遊技状態の連チャン中）の遊技に関する情報であれば、他の情報であってもよく、たとえば、連チャン数のみであってもよいし、出玉数のみであってもよいし、賞球数であってもよいし、これらを適宜組合せた情報であってもよい。
【０３２６】
［特徴部２８３Ｆに関する発明の説明］
（１）  以上に説明したように、この特徴部２８３Ｆには、上述した特徴部２８３Ｆの第１の特徴に関する、以下に示す第１発明が含まれている。従来、大当り遊技状態が終了した後に、特定期間を通常の遊技状態よりも有利な遊技状態に制御するとともに、所定の可変表示の実行回数以内に再度大当りとなった場合には、さらに有利な遊技状態に移行するように制御可能な遊技機があった（たとえば、特開２０１３−９４２４２号公報参照）。
【０３２７】
この通常の遊技状態よりも有利な遊技状態、たとえば、通常の遊技状態よりも可変表示時間が短縮された時短状態において、始動入賞口に設けられる可変入賞球装置が開放しているときに、第２特別図柄の保留記憶情報を貯めるように促す報知を実行する遊技機があった（たとえば、特開２０１１−４１７６０号公報参照）。
【０３２８】
しかし、特開２０１３−９４２４２号公報および特開２０１１−４１７６０号公報の遊技機によれば、保留記憶情報を貯めなかったとしても特に何も実行しないので、保留記憶情報を貯めることによって本来得ることができるはずの恩恵を遊技者が受けることができず、不利益を被る虞があった。このような課題を解決するために、２８３Ｆの第１発明は以下のように構成される。
【０３２９】
（１−１）  第１可変表示（たとえば、第１特別図柄の可変表示）を行う第１可変表示
手段（たとえば、第１特別図柄表示器８ａ）と、第２可変表示（たとえば、第２特別図柄の可変表示）を行う第２可変表示手段（たとえば、第２特別図柄表示器８ｂ）と、遊技媒体（たとえば、遊技球）が進入可能な特定領域（たとえば、Ｖ入賞領域８７０）が内部に設けられ所定状態（たとえば、小当り遊技状態）において遊技媒体が進入可能な状態に制御可能な可変入賞手段（たとえば、Ｖ判定入賞装置８７）とを備え、少なくとも前記第１可変表示手段の表示結果が第１特定表示結果（たとえば、大当り表示結果）となったときに、遊技者にとって有利な第１有利状態（たとえば、特別図柄による大当り遊技状態）に制御可能であるとともに、前記第２可変表示手段における表示結果が第２特定表示結果（たとえば、小当り表示結果）となったときに前記所定状態に制御され、前記特定領域に遊技媒体が進入したことに基づいて遊技者にとって有利な第２有利状態（たとえば、小当り経由の大当り遊技状態）に制御可能な遊技機（たとえば、パチンコ遊技機１）であって、
前記第２可変表示手段による第２可変表示に関する情報を保留記憶情報（たとえば、保留記憶）として所定上限数（たとえば、４つ）まで記憶可能な保留記憶手段（たとえば、遊技制御用マイクロコンピュータ５６０、ＲＡＭ５５、第２保留記憶バッファ）と、
前記第１有利状態および前記第２有利状態が終了したことに基づいて、所定回数（たとえば、時短状態の可変表示の回数）、前記第２可変表示が通常状態よりも実行されやすい時短状態に制御可能な時短制御手段（たとえば、遊技制御用マイクロコンピュータ５６０、図１４のステップＳ１６３〜Ｓ１７０）と、
前記時短制御手段によって前記時短状態に制御されている間に前記保留記憶手段に保留記憶情報を前記所定上限数まで記憶させることを促す促進報知（たとえば、図２０−２，図２０−４，図２０−６で示す第２始動入賞口１５への入賞を促す促進画像２８３Ｆ９６Ａ，２８３Ｆ９６Ｂ，２８３Ｆ９７Ａ，２８３Ｆ９７Ｂ）を実行する促進報知手段（たとえば、演出制御用マイクロコンピュータ１００）とを備え、
前記促進報知手段は、
第１態様（たとえば、図２０−１のステップ２８３ＦＳ１１３，ステップ２８３ＦＳ１１５、図２０−２の促進画像２８３Ｆ９６Ａ，２８３Ｆ９６Ｂで示すような、画面全体に「狙え」画像を表示する態様）と、前記第１態様よりも遊技者の認識度合の低い第２態様（たとえば、図２０−１のステップ２８３ＦＳ１１７、図２０−２の促進画像２８３Ｆ９７Ａ，２８３Ｆ９７Ｂで示すような、画面端に「狙え」画像を表示する態様）とのいずれかで前記促進報知を実行可能であり、
前記第１態様の後に前記第２態様で前記促進報知を実行しているときに、前記保留記憶手段に記憶されている保留記憶情報の数が前記所定上限数に達していない場合に、再度、前記第１態様で前記促進報知を実行する（たとえば、図２０−１のステップ２８３ＦＳ１１４，ステップ２８３ＦＳ１１５、図２０−２（Ｄ）で示すように、画面全体に表示する促進画像２８３Ｆ９７Ｂを、再度、表示する）。
【０３３０】
このような構成によれば、遊技者が保留記憶情報を所定上限数まで記憶させないことによる不利益を抑制することができる。
【０３３１】
（１−２）  上記（１−１）の遊技機において、
前記促進報知手段は、再度、前記第１態様で前記促進報知を実行する場合には、遊技者の認識度合を高めることが可能な少なくとも１つの演出要素を追加して実行する（たとえば、図２０−２（Ｂ）で示すように、タイムバー表示を実行していた場合は、図２０−２（Ｄ）で示すように、タイムバー表示に加えて、カウントダウン表示を追加して実行する）。
【０３３２】
このような構成によれば、遊技者に対して保留記憶情報を所定上限数まで記憶させることを、より強く促すことができる。
【０３３３】
（１−３）  上記（１−１）または（１−２）の遊技機において、
可変表示中演出（たとえば、演出図柄の可変表示）を実行可能な可変表示演出実行手段（たとえば、演出制御用マイクロコンピュータ１００）をさらに備え、
前記促進報知手段は、再度、前記第１態様で前記促進報知を実行するときには、前記可変表示演出実行手段による前記可変表示中演出よりも優先して、前記第１態様の前記促進報知を実行する（たとえば、図２０−２（Ｄ）で示すように、演出図柄９１，９２，９３の可変表示を表示せず、促進画像２８３Ｆ９６Ｂを表示するようにしてもよいし、演出図柄９１，９２，９３の可変表示よりも促進画像２８３Ｆ９６Ｂを手前に表示するようにしてもよい）。
【０３３４】
このような構成によれば、遊技者に対して保留記憶情報を所定上限数まで記憶させることを、より強く促すことができる。
【０３３５】
（１−４）  上記（１−３）の遊技機において、
前記促進報知手段は、前記可変表示演出実行手段によって可変表示の表示結果が表示されるときには、表示結果の表示を優先するように、前記促進報知を実行する（たとえば、図２０−２（Ｅ）等で示したように、第２態様で促進画像２８３Ｆ９７Ｂを表示する。図２０−２（Ｅ）等で示したように、促進画像２８３Ｆ９７Ｂよりも手前に演出図柄９１，９２，９３を表示する。）。
【０３３６】
このような構成によれば、遊技者に対して可変表示の表示結果を分かり易く認識させることができる。
【０３３７】
（１−５）  上記（１−１）から（１−４）のいずれかの遊技機において、
前記促進報知手段によって促進報知が実行された後、前記保留記憶手段に保留記憶情報が前記所定上限数まで記憶されたときに、達成報知演出（たとえば、「保留記憶上限達成」と表示する演出）を実行する達成報知演出実行手段（たとえば、演出制御用マイクロコンピュータ１００、図２０−１のステップ２８３ＦＳ２８３ＦＳ１２３）をさらに備え、
前記達成報知演出実行手段は、前記促進報知手段によって、再度、前記第１態様で前記促進報知が実行されているときに、前記保留記憶手段に保留記憶情報が前記所定上限数まで記憶された場合は、前記達成報知演出の実行を制限する（たとえば、図２０−１のステップ２８３ＦＳ１２２で示すように、第２期間以降であれば、保留上限達成報知をまったく実行しないようにしてもよいし、画面端で実行するようにしてもよいし、音声のみで実行するようにしてもよい）。
【０３３８】
このような構成によれば、他の演出の状況に対応して達成報知演出を実行することができる。
【０３３９】
（２）  また、以上に説明したように、この特徴部２８３Ｆには、上述した特徴部２８３Ｆの第２の特徴に関する、以下に示す第２発明が含まれている。従来、通常の遊技状態よりも可変表示時間が短縮された時短状態において、始動入賞口に設けられる可変入賞球装置が開放しているときに、第２特別図柄の保留記憶情報を貯めるように促す報知を実行する遊技機があった（たとえば、特開２０１１−４１７６０号公報参照）。
【０３４０】
遊技演出における報知として、プッシュボタンなどの操作手段の有効期間をゲージで表示するものがあった（たとえば、特開２０１５−１１２１０９号公報参照）。また、操作手段の有効期間を秒数で表示するものがあった（たとえば、特開２００８−１８３３６１号公報参照）。
【０３４１】
しかし、特開２０１１−４１７６０号公報、特開２０１５−１１２１０９号公報、および、特開２００８−１８３３６１号公報に基づいた遊技機において、遊技者が保留記憶情
報を貯めていない場合に、１つの表示で保留記憶情報を貯めることを促進したとしても、遊技者に認識させ難い虞があった。このような課題を解決するために、２８３Ｆの第２発明は以下のように構成される。
【０３４２】
（２−１）  遊技を行うことが可能な遊技機（たとえば、パチンコ遊技機１）であって、
遊技者が所定の動作（たとえば、プッシュボタン１２０の押下動作、第２特別図柄の保留記憶を増やすために第２始動入賞口１４に入賞させるための打球操作ハンドル５の操作による遊技球の発射動作）を実行することができる有効期間（たとえば、操作有効期間、第２始動入賞口１４の可変入賞球装置１５の開放が頻繁に行なわれる時短状態の期間）を示す有効期間表示（たとえば、図２０−２，図２０−４，図２０−６で示す促進画像２８３Ｆ９６Ａ，２８３Ｆ９６Ｂ，２８３Ｆ９７Ａ，２８３Ｆ９７Ｂの表示）を実行可能な有効期間表示手段（たとえば、演出制御用マイクロコンピュータ１００、演出表示装置９、図２０−１のステップ２８３ＦＳ１１３，ステップ２８３ＦＳ１１５，ステップ２８３ＦＳ１１７）を備え、
前記有効期間表示手段は、
前記有効期間の残り期間に応じて態様が変化してゆく第１表示（たとえば、図２０−２（Ｂ）の促進画像２８３Ｆ９６Ａおよび図２０−２（Ｃ）の促進画像２８３Ｆ９７Ａで示すタイムバー表示）と、前記第１表示とは態様が異なるとともに前記有効期間の残り期間に応じて態様が変化してゆく第２表示（たとえば、図２０−２（Ｄ）の促進画像２８３Ｆ９６Ｂおよび図２０−２（Ｅ）の促進画像２８３Ｆ９７Ｂで示す秒数でのカウントダウン表示）とを前記有効期間表示として実行可能であり、
前記有効期間表示の実行を開始してから残り期間が所定期間となるまでは、前記第１表示を前記有効期間表示として実行する（たとえば、図２０−１のステップ２８３ＦＳ１１３，ステップ２８３ＦＳ１１７）一方、
前記有効期間表示の実行を開始してから残り期間が前記所定期間となった後は、前記第１表示に加えて前記第２表示を前記有効期間表示として実行する（たとえば、図２０−１のステップ２８３ＦＳ１１５，ステップ２８３ＦＳ１１７）。
【０３４３】
このような構成によれば、第２表示によって遊技者が残り期間が少なくなったことを遊技者に、より強く認識させることができる。
【０３４４】
（２−２）  上記（２−１）の遊技機において、
前記有効期間表示手段は、前記第１表示が実行されている領域に対応した領域で前記第２表示を実行する（たとえば、図２０−２（Ｄ）で示すようにタイムバー表示に重畳させてカウントダウン表示を実行してもよいし、タイムバー表示の上下左右の近傍の領域でカウントダウン表示を実行してもよい）。
【０３４５】
このような構成によれば、遊技者の視線を移動させずに、第２表示を遊技者に認識させることができ、第２表示の内容を理解させることができる。
【０３４６】
（２−３）  上記（２−１）または（２−２）の遊技機において、
可変表示中演出（たとえば、演出図柄の可変表示）を実行可能な可変表示演出実行手段（たとえば、演出制御用マイクロコンピュータ１００）をさらに備え、
前記有効期間表示手段は、前記第１表示に加えて前記第２表示を実行するときには、前記可変表示演出実行手段による前記可変表示中演出よりも優先して、前記有効期間表示を実行する（たとえば、図２０−２（Ｄ）で示すように、演出図柄９１，９２，９３の可変表示を表示せず、促進画像２８３Ｆ９６Ｂを表示するようにしてもよいし、演出図柄９１，９２，９３の可変表示よりも促進画像２８３Ｆ９６Ｂを手前に表示するようにしてもよい）。
【０３４７】
このような構成によれば、遊技者に対して残り期間が少なくなったことを、より強く認識させることができる。つまり、可変表示中演出よりも、保留記憶を増やすことが遊技者にとって有利であることを遊技者に認識させることができる。
【０３４８】
（２−４）  上記（２−３）の遊技機において、
前記有効期間表示手段は、前記可変表示演出実行手段によって可変表示の表示結果が表示されるときには、表示結果の表示を優先するように、前記有効期間表示を実行する（たとえば、図２０−２（Ｅ）で示すように、促進画像２８３Ｆ９７Ｂを画面端で実行するようにしてもよいし、図２０−２（Ｅ）で示すように、促進画像２８３Ｆ９７Ｂを演出図柄９１，９２，９３の背後に表示させるようにしてもよいし、促進画像２８３Ｆ９７Ｂを表示しないようにしてもよい）。
【０３４９】
このような構成によれば、遊技者に対して可変表示の表示結果を分かり易く認識させることができる。
【０３５０】
（２−５）  上記（２−１）から（２−４）のいずれかの遊技機において、
前記遊技機は、第１可変表示（たとえば、第１特別図柄の可変表示）を行う第１可変表示手段（たとえば、第１特別図柄表示器８ａ）と、第２可変表示（たとえば、第２特別図柄の可変表示）を行う第２可変表示手段（たとえば、第２特別図柄表示器８ｂ）と、遊技媒体（たとえば、遊技球）が進入可能な特定領域（たとえば、Ｖ入賞領域８７０）が内部に設けられ所定状態（たとえば、小当り遊技状態）において遊技媒体が進入可能な状態に制御可能な可変入賞手段（たとえば、Ｖ判定入賞装置８７）とを備え、前記第１可変表示手段と前記第２可変表示手段とのいずれかにおける表示結果が第１特定表示結果（たとえば、大当り表示結果）となったときに、遊技者にとって有利な第１有利状態（たとえば、特別図柄による大当り遊技状態）に制御可能であるとともに、前記第２可変表示手段における表示結果が第２特定表示結果（たとえば、小当り表示結果）となったときに前記所定状態に制御され、前記特定領域に遊技媒体が進入したことに基づいて遊技者にとって有利な第２有利状態（たとえば、小当り経由の大当り遊技状態）に制御可能であり、
前記第２可変表示手段による第２可変表示に関する情報を保留記憶情報（たとえば、保留記憶）として所定上限数（たとえば、４つ）まで記憶可能な保留記憶手段（たとえば、遊技制御用マイクロコンピュータ５６０、ＲＡＭ５５、第２保留記憶バッファ）と、
前記第１有利状態および前記第２有利状態が終了したことに基づいて、前記有効期間として所定可変表示回数（たとえば、時短状態の可変表示の回数）に亘り、少なくとも前記第２可変表示が通常状態よりも実行されやすい時短状態に制御可能な時短制御手段（たとえば、遊技制御用マイクロコンピュータ５６０、図１４のステップＳ１６３〜Ｓ１７０）と、
前記有効期間表示手段によって有効期間表示が実行された後、前記保留記憶手段に保留記憶情報が前記所定上限数まで記憶されたときに、達成報知演出（たとえば、図２０−６（Ｂ）で示すように「保留記憶上限達成」との保留上限達成画像を表示する保留上限達成報知）を実行する達成報知演出実行手段（たとえば、演出制御用マイクロコンピュータ１００、図２０−１のステップ２８３ＦＳ１２３）をさらに備え、
前記達成報知演出実行手段は、前記有効期間表示手段によって前記第１表示に加えて前記第２表示が実行されているときに、前記保留記憶手段に保留記憶情報が前記所定上限数まで記憶された場合は、前記達成報知演出の実行を制限する（たとえば、図２０−１のステップ２８３ＦＳ１２２で示すように、第２期間以降であれば、保留上限達成報知をまったく実行しないようにしてもよいし、画面端で実行するようにしてもよいし、音声のみで実行するようにしてもよい）。
【０３５１】
このような構成によれば、他の演出の状況に対応して達成報知演出を実行することがで
きる。
【０３５２】
（３）  また、以上に説明したように、この特徴部２８３Ｆには、上述した特徴部２８３Ｆの第３の特徴に関する、以下に示す第３発明が含まれている。従来、第１可変表示を行う第１可変表示手段と、第２可変表示を行う第２可変表示手段と、遊技媒体が進入可能な特定領域が内部に設けられ所定状態において遊技媒体が進入可能な状態に制御可能な可変入賞手段とを備え、前記第１可変表示手段と前記第２可変表示手段とのいずれかにおける表示結果が第１特定表示結果となったときに、遊技者にとって有利な第１有利状態に制御可能であるとともに、前記第２可変表示手段における表示結果が第２特定表示結果となったときに前記所定状態に制御され、前記特定領域に遊技媒体が進入したことに基づいて遊技者にとって有利な第２有利状態に制御可能な遊技機において、大当り遊技状態の連チャンが終了したときに大当り遊技状態における遊技結果を表示する場合に、最後の変動表示の変動パターンとして、遊技結果の表示のために長い変動時間の変動パターンを選択するものがあった（たとえば、特開２０１７−１６４６４０号公報参照）。
【０３５３】
しかし、特開２０１７−１６４６４０号公報の遊技機においては、第２可変表示の保留記憶情報が所定上限数まで記憶されていない状態で、遊技結果の表示のために長い変動時間の変動パターンが選択され、その後、保留記憶情報が所定上限数まで記憶された場合、その変動表示においては遊技結果を表示せず、再度、最後の変動表示において、遊技結果の表示のために長い変動時間の変動パターンを選択する必要があるため、変動表示などの演出が間延びしてしまい、遊技の興趣が低下する虞があった。このような課題を解決するために、２８３Ｆの第３発明は以下のように構成される。
【０３５４】
（３−１）  第１可変表示（たとえば、第１特別図柄の可変表示）を行う第１可変表示手段（たとえば、第１特別図柄表示器８ａ）と、第２可変表示（たとえば、第２特別図柄の可変表示）を行う第２可変表示手段（たとえば、第２特別図柄表示器８ｂ）と、遊技媒体（たとえば、遊技球）が進入可能な特定領域（たとえば、Ｖ入賞領域８７０）が内部に設けられ所定状態（たとえば、小当り遊技状態）において遊技媒体が進入可能な状態に制御可能な可変入賞手段（たとえば、Ｖ判定入賞装置８７）とを備え、少なくとも前記第１可変表示手段の表示結果が第１特定表示結果（たとえば、大当り表示結果）となったときに、遊技者にとって有利な第１有利状態（たとえば、特別図柄による大当り遊技状態）に制御可能であるとともに、前記第２可変表示手段における表示結果が第２特定表示結果（たとえば、小当り表示結果）となったときに前記所定状態に制御され、前記特定領域に遊技媒体が進入したことに基づいて遊技者にとって有利な第２有利状態（たとえば、小当り経由の大当り遊技状態）に制御可能な遊技機（たとえば、パチンコ遊技機１）であって、
前記第２可変表示手段による第２可変表示に関する情報を保留記憶情報（たとえば、保留記憶）として所定上限数（たとえば、４つ）まで記憶可能な保留記憶手段（たとえば、遊技制御用マイクロコンピュータ５６０、ＲＡＭ５５、第２保留記憶バッファ）と、
前記第１有利状態および前記第２有利状態が終了したことに基づいて、所定回数（たとえば、時短状態の可変表示の回数）に亘り、前記第２可変表示が通常状態よりも実行されやすい時短状態に制御可能な時短制御手段（たとえば、遊技制御用マイクロコンピュータ５６０、図１４のステップＳ１６３〜Ｓ１７０）と、
前記時短制御手段によって前記時短状態に制御されている間に前記保留記憶手段に記憶された保留記憶情報に対応する可変表示がすべて実行されるまでの間の遊技に関する情報（たとえば、図２０−２（Ｆ），図２０−４（Ｆ），図２０−６（Ｅ）で示すリザルト画像２８３Ｆ９８）を報知する遊技情報報知演出を実行する遊技情報報知演出実行手段（たとえば、演出制御用マイクロコンピュータ１００、図２０−１のステップ２８３ＦＳ１３３、ステップ２８３ＦＳ１３８）とを備え、
前記遊技情報報知演出実行手段は、
前記所定回数の可変表示が実行されるまでに前記保留記憶手段に記憶された最後の保
留記憶情報に対応する可変表示の表示結果が前記第１特定表示結果および前記第２特定表示結果のいずれでもない場合に、
前記保留記憶手段に記憶されている保留記憶情報の数が前記所定上限数に達しているときは、当該所定上限数個目の保留記憶情報に対応する可変表示の表示結果を表示するよりも前に、前記遊技情報報知演出を実行する（たとえば、図２０−１のステップ２８３ＦＳ１３８、図２０−２（Ｆ），図２０−４（Ｆ））一方、
前記保留記憶手段に記憶されている保留記憶情報の数が前記所定上限数に達していないときは、前記所定上限数に達していない時の最後の保留記憶情報に対応する可変表示の表示結果が表示された後に、前記遊技情報報知演出を実行する（たとえば、図２０−１のステップ２８３ＦＳ１３３、図２０−６（Ｅ））。
【０３５５】
このような構成によれば、保留記憶情報が所定上限数に達していない場合は、第２特別図柄の可変表示が実行される可能性が残っているため、最後の保留記憶情報に対応する可変表示の表示結果の表示後に遊技情報報知演出を実行する一方、所定上限数に達している場合は、当該所定上限数個目の保留記憶情報に対応する可変表示の表示結果の表示前に遊技情報報知演出を実行するため、演出を間延びさせることを抑制できる。その結果、遊技の興趣の低下を抑制できる。
【０３５６】
（３−２）  上記（３−１）の遊技機において、
前記遊技情報報知演出実行手段によって前記遊技情報報知演出が実行されない場合に、次の可変表示が開始されることを示唆する示唆演出（たとえば、図２０−４（Ｂ）で示すように「ＮＥＸＴ」画像を表示する演出）を実行する示唆演出実行手段をさらに備える。
【０３５７】
このような構成によれば、次の可変表示が開始されることを遊技者に認識させることができる。
【０３５８】
（３−３）  上記（３−１）または（３−２）の遊技機において、
前記遊技情報報知演出実行手段は、前記所定上限数個目の保留記憶情報に対応する可変表示の表示結果を表示するよりも前に実行する前記遊技情報報知演出と、前記所定上限数に達していない時の最後の保留記憶情報に対応する可変表示の表示結果が表示された後に実行する前記遊技情報報知演出とで、態様を異ならせて前記遊技情報報知演出を実行する（たとえば、図２０−２（Ｆ）、図２０−４（Ｆ）、図２０−６（Ｅ）で示すように、第３期間の遊技情報報知演出よりも、音声や表示を地味にした態様、たとえば、小さい音声や表示とした態様、地味な色相とした態様、明度を低くした態様、または、彩度を低くした態様で、第４期間の遊技情報報知演出を実行する）。
【０３５９】
このような構成によれば、状況に合わせた遊技情報報知演出を実行することができる。
【０３６０】
〔その他の変形例〕
次に、その他の変形例や特徴点等を以下に列挙する。
（１）  前述した実施の形態では、入賞の発生に応じて遊技媒体を遊技者の手元に払出す遊技機を説明したが、遊技媒体が封入され、入賞の発生に応じて遊技媒体を遊技者の手元に払出すことなく遊技点（得点）を加算する封入式の遊技機を採用してもよい。封入式の遊技機には、遊技媒体の一例となる複数の遊技球を遊技機内で循環させる循環経路が形成されているとともに、遊技点を記憶する記憶部が設けられており、球貸操作に応じて遊技点が記憶部に加算され、遊技球の発射操作に応じて遊技点が記憶部から減算され、入賞の発生に応じて遊技点が記憶部に加算される。入賞の発生に応じて遊技媒体を遊技者の手元に払出す遊技機を説明したが、遊技媒体が封入され、入賞の発生に応じて遊技媒体を遊技者の手元に払出すことなく遊技点（得点）を加算する封入式の遊技機を採用してもよい。封入式の遊技機には、遊技媒体の一例となる複数の遊技球を遊技機内で循環させる循環
経路が形成されているとともに、遊技点を記憶する記憶部が設けられており、球貸操作に応じて遊技点が記憶部に加算され、遊技球の発射操作に応じて遊技点が記憶部から減算され、入賞の発生に応じて遊技点が記憶部に加算される。
【０３６１】
（２）  本実施の形態では、「割合（比率、確率）」を例示したが、「割合（比率、確率）」は、これに限るものではなく、たとえば０％〜１００％の範囲内の値のうち、０％を含む値や、１００％を含む値、０％および１００％を含まない値であってもよい。
【０３６２】
（３）  遊技者にとって有利な遊技状態とは、大当り遊技状態、時短状態、高ベース状態、および、大当り遊技後の遊技状態が通常状態に比べて大当りとすることに決定される確率が高い状態である確変状態等、遊技者にとって通常状態よりも有利な遊技状態であればどのような遊技状態であってもよい。
【０３６３】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０３６４】
１  パチンコ遊技機、８ａ  第１特別図柄表示器、８ｂ  第２特別図柄表示器、９  演出表示装置、１００  演出制御用マイクロコンピュータ、５６０  遊技制御用マイクロコンピュータ。
【図１】
2019170583.tif 000003
【図２】
2019170583.tif 000004
【図３】
2019170583.tif 000005
【図４】
2019170583.tif 000006
【図５】
2019170583.tif 000007
【図６】
2019170583.tif 000008
【図７】
2019170583.tif 000009
【図８】
2019170583.tif 000010
【図９】
2019170583.tif 000011
【図１０】
2019170583.tif 000012
【図１１】
2019170583.tif 000013
【図１２】
2019170583.tif 000014
【図１３】
2019170583.tif 000015
【図１４】
2019170583.tif 000016
【図１５】
2019170583.tif 000017
【図１６】
2019170583.tif 000018
【図１７】
2019170583.tif 000019
【図１８】
2019170583.tif 000020
【図１９】
2019170583.tif 000021
【図２０−１】
2019170583.tif 000022
【図２０−２】
2019170583.tif 000023
【図２０−３】
2019170583.tif 000024
【図２０−４】
2019170583.tif 000025
【図２０−５】
2019170583.tif 000026
【図２０−６】
2019170583.tif 000027
【図２０−７】
2019170583.tif 000028